(57)【要約】【課題】効率的に通信を行なうこと。【解決手段】サブフレームｍがサブフレームｎより後のサブフレームであり、ｓＰＵＳＣＨを送信するサブフレームｍ＋ＢがＰＵＳＣＨを送信するサブフレームｎ＋Ａよりも前のサブフレームである場合、且つ、前記ＰＵＳＣＨの送信サブフレームと前記ｓＰＵＳＣＨの送信サブフレームが第１のサービングセルで同じ上りリンク電力制御サブフレームセットに属する場合、前記第１のＤＣＩフォーマットに含まれるＴＰＣコマンドによって得られる第１の補正値を、前記ＰＵＳＣＨの送信電力に対して適用せず、且つ、前記第２のＤＣＩフォーマットに含まれるＴＰＣコマンドによって得られる第２の補正値を、前記ｓＰＵＳＣＨの送信電力に対して適用する上りリンク電力制御部と、を備える。【選択図】図４
2020057830.tif 000002
【特許請求の範囲】
【請求項１】
ＴＰＣ（Ｔｒａｎｓｍｉｓｓｉｏｎ  Ｐｏｗｅｒ  Ｃｏｎｔｒｏｌ）コマンドを含むＤＣＩ（Ｄｏｗｎｌｉｎｋ  Ｃｏｎｔｒｏｌ  Ｉｎｆｏｒｍａｔｉｏｎ）フォーマットを受信する受信部と、
サブフレームｎで第１のＤＣＩフォーマットを検出すると、サブフレームｎ＋Ａで前記第１のＤＣＩフォーマットに対応するＰＵＳＣＨ（Ｐｈｙｓｉｃａｌ  Ｕｐｌｉｎｋ  Ｓｈａｒｅｄ  Ｃｈａｎｎｅｌ）を送信し、
サブフレームｍで第２のＤＣＩフォーマットを検出すると、サブフレームｍ＋Ｂで前記第２のＤＣＩフォーマットに対応するｓＰＵＳＣＨ（ｓｈｏｒｔｅｎｅｄ  ＰＵＳＣＨ）を送信し、前記Ｂは前記Ａよりも小さい値である、送信部と、
前記サブフレームｍが前記サブフレームｎより後のサブフレームであり、前記ｓＰＵＳＣＨを送信するサブフレームｍ＋Ｂが前記ＰＵＳＣＨを送信するサブフレームｎ＋Ａよりも前のサブフレームである場合、且つ、前記ＰＵＳＣＨの送信サブフレームと前記ｓＰＵＳＣＨの送信サブフレームが第１のサービングセルで同じ上りリンク電力制御サブフレームセットに属する場合、前記第１のＤＣＩフォーマットに含まれるＴＰＣコマンドによって得られる第１の補正値を、前記ＰＵＳＣＨの送信電力に対して適用せず、且つ、前記第２のＤＣＩフォーマットに含まれるＴＰＣコマンドによって得られる第２の補正値を、前記ｓＰＵＳＣＨの送信電力に対して適用する上りリンク電力制御部と、を備える
端末装置。
【請求項２】
前記上りリンク電力制御部は、
前記サブフレームｍが前記サブフレームｎより後のサブフレームであり、前記ｓＰＵＳＣＨを送信するサブフレームｍ＋Ｂが前記ＰＵＳＣＨを送信するサブフレームｎ＋Ａよりも後のサブフレームである場合、且つ、前記ＰＵＳＣＨの送信サブフレームと前記ｓＰＵＳＣＨの送信サブフレームが前記第１のサービングセルで同じ上りリンク電力制御サブフレームセットに属する場合、
前記第１の補正値を、前記ＰＵＳＣＨの送信電力に対して適用し、
前記第２の補正値を、前記ｓＰＵＳＣＨの送信電力に対して適用する
請求項１記載の端末装置。
【請求項３】
前記上りリンク電力制御部は、
前記サブフレームｍが前記サブフレームｎより前のサブフレームであり、前記ｓＰＵＳＣＨを送信するサブフレームｍ＋Ｂが前記ＰＵＳＣＨを送信するサブフレームｎ＋Ａよりも前のサブフレームである場合、且つ、前記ＰＵＳＣＨの送信サブフレームと前記ｓＰＵＳＣＨの送信サブフレームが前記第１のサービングセルで同じ上りリンク電力制御サブフレームセットに属する場合、
前記第１の補正値を、前記ＰＵＳＣＨの送信電力に対して適用し、
前記第２の補正値を、前記ｓＰＵＳＣＨの送信電力に対して適用する
請求項１または２記載の端末装置。
【請求項４】
前記上りリンク電力制御部は、
前記ＰＵＳＣＨの送信サブフレームと前記ｓＰＵＳＣＨの送信サブフレームが前記第１のサービングセルで異なる上りリンク電力制御サブフレームセットに属するとすれば、
前記第１の補正値を、前記ＰＵＳＣＨの送信電力に対して適用し、
前記第２の補正値を、前記ｓＰＵＳＣＨの送信電力に対して適用する
請求項１記載の端末装置。
【請求項５】
前記上りリンク電力制御部は、
前記第１のサービングセルの第１のサブフレームで、前記ＰＵＳＣＨの送信と前記ｓＰ
ＵＳＣＨの送信が衝突する場合、且つ、前記ｓＰＵＳＣＨの送信が前記第１のサブフレーム内の２番目のスロットに含まれる場合、前記ＰＵＳＣＨの送信電力に対して前記第２の補正値を適用しない
請求項１記載の端末装置。
【請求項６】
前記上りリンク電力制御部は、
前記第１のサービングセルの前記第１のサブフレームで、前記ＰＵＳＣＨの送信と前記ｓＰＵＳＣＨの送信が衝突する場合、且つ、前記ｓＰＵＳＣＨの送信が前記第１のサブフレーム内の２番目のスロットに含まれる場合、前記第１のサブフレームの次のサブフレームにおいて、前記第１の補正値および前記第２の補正値を適用する
請求項５記載の端末装置。
【請求項７】
前記送信部は、
前記第１のサービングセルの前記第１のサブフレームで、前記ＰＵＳＣＨの送信と前記ｓＰＵＳＣＨの送信が衝突する場合、且つ、前記ｓＰＵＳＣＨの送信が前記第１のサブフレーム内の１番目のスロットに含まれる場合、前記ＰＵＳＣＨの送信をドロップし、
前記上りリンク電力制御部は、
前記第１のサービングセルの前記第１のサブフレームにおける前記ｓＰＵＳＣＨの送信電力に対して、前記第１の補正値を適用せずに、前記第２の補正値を適用する
請求項５記載の端末装置。
【請求項８】
ＴＰＣ（Ｔｒａｎｓｍｉｓｓｉｏｎ  Ｐｏｗｅｒ  Ｃｏｎｔｒｏｌ）コマンドを含むＤＣＩ（Ｄｏｗｎｌｉｎｋ  Ｃｏｎｔｒｏｌ  Ｉｎｆｏｒｍａｔｉｏｎ）フォーマットを受信するステップと、
サブフレームｎで第１のＤＣＩフォーマットを検出すると、サブフレームｎ＋Ａで前記第１のＤＣＩフォーマットに対応するＰＵＳＣＨ（Ｐｈｙｓｉｃａｌ  Ｕｐｌｉｎｋ  Ｓｈａｒｅｄ  Ｃｈａｎｎｅｌ）を送信するステップと、
サブフレームｍで第２のＤＣＩフォーマットを検出すると、サブフレームｍ＋Ｂで前記第２のＤＣＩフォーマットに対応するｓＰＵＳＣＨ（ｓｈｏｒｔｅｎｅｄ  ＰＵＳＣＨ）を送信するステップと、
前記Ｂは前記Ａよりも小さい値であり、
前記サブフレームｍが前記サブフレームｎより後のサブフレームであり、前記ｓＰＵＳＣＨを送信するサブフレームｍ＋Ｂが前記ＰＵＳＣＨを送信するサブフレームｎ＋Ａよりも前のサブフレームである場合、且つ、前記ＰＵＳＣＨの送信サブフレームと前記ｓＰＵＳＣＨの送信サブフレームが第１のサービングセルで同じ上りリンク電力制御サブフレームセットに属する場合、前記第１のＤＣＩフォーマットに含まれるＴＰＣコマンドによって得られる第１の補正値を、前記ＰＵＳＣＨの送信電力に対して適用しないステップと、前記第２のＤＣＩフォーマットに含まれるＴＰＣコマンドによって得られる第２の補正値を、前記ｓＰＵＳＣＨの送信電力に対して適用するステップと、を有する
方法。
【発明の詳細な説明】
【技術分野】
【０００１】
本発明の実施形態は、効率的な通信を実現する端末装置および方法の技術に関する。
【背景技術】
【０００２】
標準化プロジェクトである３ＧＰＰ（３ｒｄ  Ｇｅｎｅｒａｌ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ
Ｄｉｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）の標準化が行なわれた。なお、ＥＵＴＲＡにおける標準化技術を採用した通信全般をＬＴＥ（Ｌｏｎｇ  Ｔｅｒｍ  Ｅｖｏｌｕｔｉｏｎ）通信と称する場合もある。
【０００３】
また、３ＧＰＰでは、より高速なデータ伝送を実現し、ＥＵＴＲＡに対して上位互換性を持つＡ−ＥＵＴＲＡ（Ａｄｖａｎｃｅｄ  ＥＵＴＲＡ）の検討を行なっている。ＥＵＴＲＡでは、基地局装置がほぼ同一のセル構成（セルサイズ）から成るネットワークを前提とした通信システムであったが、Ａ−ＥＵＴＲＡでは、異なる構成の基地局装置（セル）が同じエリアに混在しているネットワーク（異種無線ネットワーク、ヘテロジニアスネットワーク）を前提とした通信システムの検討が行なわれている。
【０００４】
さらに、通信に係る処理時間を低減するための技術が検討されている（非特許文献１）。
【先行技術文献】
【非特許文献】
【０００５】
【非特許文献１】”3GPP TR 36.881 v.0.5.0 (2015-11)”, R2-157181, 4th Dec. 2015.
【発明の概要】
【発明が解決しようとする課題】
【０００６】
通信装置（端末装置および／または基地局装置）において、従来の送信電力制御または送信制御では効率的な通信を行なうことができない場合がある。
【０００７】
本発明は上記の点に鑑みてなされたものであり、その目的は、効率的に通信を行なうための、送信電力制御および送信制御を行なうことができる端末装置および方法を提供することである。
【課題を解決するための手段】
【０００８】
（１）上記の目的を達成するために、本発明は、以下のような手段を講じた。すなわち、本発明の一態様による端末装置は、基地局装置と通信する端末装置であって、ＴＰＣ（Ｔｒａｎｓｍｉｓｓｉｏｎ  Ｐｏｗｅｒ  Ｃｏｎｔｒｏｌ）コマンドを含むＤＣＩ（Ｄｏｗｎｌｉｎｋ  Ｃｏｎｔｒｏｌ  Ｉｎｆｏｒｍａｔｉｏｎ）フォーマットを受信する受信部と、サブフレームｎで第１のＤＣＩフォーマットを検出すると、サブフレームｎ＋Ａで前記第１のＤＣＩフォーマットに対応するＰＵＳＣＨ（Ｐｈｙｓｉｃａｌ  Ｕｐｌｉｎｋ
Ｓｈａｒｅｄ  Ｃｈａｎｎｅｌ）を送信し、サブフレームｍで第２のＤＣＩフォーマットを検出すると、サブフレームｍ＋Ｂで前記第２のＤＣＩフォーマットに対応するｓＰＵＳＣＨ（ｓｈｏｒｔｅｎｅｄ  ＰＵＳＣＨ）を送信し、前記Ｂは前記Ａよりも小さい値で
ある、送信部と、前記サブフレームｍが前記サブフレームｎより後のサブフレームであり、前記ｓＰＵＳＣＨを送信するサブフレームｍ＋Ｂが前記ＰＵＳＣＨを送信するサブフレームｎ＋Ａよりも前のサブフレームである場合、且つ、前記ＰＵＳＣＨの送信サブフレームと前記ｓＰＵＳＣＨの送信サブフレームが第１のサービングセルで同じ上りリンク電力制御サブフレームセットに属する場合、前記第１のＤＣＩフォーマットに含まれるＴＰＣコマンドによって得られる第１の補正値を、前記ＰＵＳＣＨの送信電力に対して適用せず、且つ、前記第２のＤＣＩフォーマットに含まれるＴＰＣコマンドによって得られる第２の補正値を、前記ｓＰＵＳＣＨの送信電力に対して適用する上りリンク電力制御部と、を備える。
【０００９】
（２）また、本発明の一態様による方法は、基地局装置と通信する端末装置における方法であって、ＴＰＣ（Ｔｒａｎｓｍｉｓｓｉｏｎ  Ｐｏｗｅｒ  Ｃｏｎｔｒｏｌ）コマンドを含むＤＣＩ（Ｄｏｗｎｌｉｎｋ  Ｃｏｎｔｒｏｌ  Ｉｎｆｏｒｍａｔｉｏｎ）フォーマットを受信するステップと、サブフレームｎで第１のＤＣＩフォーマットを検出すると、サブフレームｎ＋Ａで前記第１のＤＣＩフォーマットに対応するＰＵＳＣＨ（Ｐｈｙｓｉｃａｌ  Ｕｐｌｉｎｋ  Ｓｈａｒｅｄ  Ｃｈａｎｎｅｌ）を送信するステップと、サブフレームｍで第２のＤＣＩフォーマットを検出すると、サブフレームｍ＋Ｂで前記第２のＤＣＩフォーマットに対応するｓＰＵＳＣＨ（ｓｈｏｒｔｅｎｅｄ  ＰＵＳＣＨ）を送信するステップと、前記Ｂは前記Ａよりも小さい値であり、前記サブフレームｍが前記サブフレームｎより後のサブフレームであり、前記ｓＰＵＳＣＨを送信するサブフレームｍ＋Ｂが前記ＰＵＳＣＨを送信するサブフレームｎ＋Ａよりも前のサブフレームである場合、且つ、前記ＰＵＳＣＨの送信サブフレームと前記ｓＰＵＳＣＨの送信サブフレームが第１のサービングセルで同じ上りリンク電力制御サブフレームセットに属する場合、前記第１のＤＣＩフォーマットに含まれるＴＰＣコマンドによって得られる第１の補正値を、前記ＰＵＳＣＨの送信電力に対して適用しないステップと、前記第２のＤＣＩフォーマットに含まれるＴＰＣコマンドによって得られる第２の補正値を、前記ｓＰＵＳＣＨの送信電力に対して適用するステップと、を有する。
【発明の効果】
【００１０】
この発明によれば、基地局装置と端末装置が通信する無線通信システムにおいて、伝送効率を向上させることができる。
【図面の簡単な説明】
【００１１】
【図１】第１の実施形態に係る下りリンクの無線フレーム構成の一例を示す図である。
【図２】第１の実施形態に係る上りリンクの無線フレーム構成の一例を示す図である。
【図３】第１の実施形態に係るＴＤＤ  ＵＬ／ＤＬ設定の各上りリンクサブフレームに対応するＫＰＵＳＣＨの値を示す図である。
【図４】第１の実施形態に係るＴＰＣコマンドを含むＤＣＩフォーマットおよび各サブフレームのｆｃ（ｉ）の対応関係を示す図である。
【図５】第１の実施形態に係る基地局装置のブロック構成の一例を示す図である。
【図６】第１の実施形態に係る端末装置のブロック構成の一例を示す図である。
【発明を実施するための形態】
【００１２】
＜第１の実施形態＞
本発明の第１の実施形態について以下に説明する。基地局装置と端末装置とが、１つまたは複数のセルにおいて通信する通信システムを用いて説明する。基地局装置は、ノードＢ、ｅＮＢ（ＥＵＴＲＡＮ  ＮｏｄｅＢ、ｅｖｏｌｖｅｄ  ＮｏｄｅＢ）、ＴＲＰ（Ｔｒａｎｓｍｉｓｓｉｏｎ  ａｎｄ／ｏｒ  Ｒｅｃｅｐｔｉｏｎ  Ｐｏｉｎｔ）と称されても
よい。端末装置は、移動局装置、ユーザ装置、ＵＥ（Ｕｓｅｒ  ｅｑｕｉｐｍｅｎｔ）と称されてもよい。
【００１３】
本実施形態で使用される主な物理チャネルおよび物理信号、フレーム構造について説明する。ここで、チャネルとは、信号の送信（伝搬、伝送）に用いられる媒体を意味する。物理チャネルとは信号の送信に用いられる物理的な媒体を意味する。本実施形態において、物理チャネルは、物理信号と同義的に使用されてもよい。物理チャネルは、ＬＴＥにおいて、今後追加、または、その構造／構成やフォーマットが変更または追加される可能性があるが、従来の物理チャネルの構成に対して、変更および／または追加された場合でも本実施形態の説明には影響しない。
【００１４】
本実施形態に係るフレーム構造タイプについて説明する。なお、フレーム構造タイプは、デュプレックスモードと関連付けられてもよい。デュプレックスは、２地点間（例えば、基地局装置と端末装置間）で情報をやり取りする方式である。デュプレックスは、双方向通信とも称される。デュプレックスモードには、ＦＤＤ（Ｆｒｅｑｕｅｎｃｙ  Ｄｉｖｉｓｉｏｎ  Ｄｕｐｌｅｘ）とＴＤＤ（Ｔｉｍｅ  Ｄｉｖｉｓｉｏｎ  Ｄｕｐｌｅｘ）がある。
【００１５】
ＦＤＤは、下りリンクと上りリンクで異なる周波数を用いて、同時に通信を行なうことができる。ＴＤＤは、下りリンクと上りリンクで同じ周波数を用いて、通信を行なうことができる。
【００１６】
フレーム構造タイプ１（ＦＳ１）は、ＦＤＤに対して適用される。つまり、ＦＳ１は、ＦＤＤがサポートされたセルオペレーションに対して適用される。ＦＳ１は、ＦＤ−ＦＤＤ（Ｆｕｌｌ  Ｄｕｐｌｅｘ−ＦＤＤ）とＨＤ−ＦＤＤ（Ｈａｌｆ  Ｄｕｐｌｅｘ−ＦＤＤ）の両方に適用できる。
【００１７】
ＦＤＤにおいて、下りリンク送信と上りリンク送信のそれぞれに用いられる周波数領域は分かれている。言い換えると、下りリンク送信と上りリンク送信でそれぞれ、周波数領域が規定される。つまり、下りリンク送信と上りリンク送信で異なるキャリア周波数が適用される。ここで、下りリンク送信および／または上りリンク送信に用いられるキャリア周波数（中心周波数）を含む周波数領域は、オペレーティングバンドと称されてもよい。
【００１８】
ＦＤＤでは、下りリンク送信および上りリンク送信のそれぞれに対して、１０サブフレームが利用可能である。
【００１９】
ＦＤＤにおいて、下りリンク送信と上りリンク送信に対するオペレーティングバンドは、１つのインデックスと対応付けられてもよい。つまり、１つのインデックスを選択することで、下りリンク送信に用いられる周波数領域と上りリンク送信に用いられる周波数領域が決定されてもよい。
【００２０】
ＨＤ−ＦＤＤオペレーションにおいて、端末装置は、同時に送信および受信を行なうことができないが、ＦＤ−ＦＤＤオペレーションにおいて、端末装置は、同時に送信および受信を行なうことができる。
【００２１】
さらに、ＨＤ−ＦＤＤには２つのタイプがある。タイプＡ・ＨＤ−ＦＤＤオペレーションに対しては、ガードピリオドは、同じ端末装置からの上りリンクサブフレームの直前の下りリンクサブフレームの最後尾部分（最後尾のシンボル）を受信しないことによって端末装置によって生成される。
【００２２】
タイプＢ・ＨＤ−ＦＤＤオペレーションに対しては、ＨＤガードサブフレームとして参照された、ガードピリオドは、同じ端末装置からの上りリンクサブフレームの直前の下りリンクサブフレームを受信しないことによって、および、同じ端末装置からの上りリンクサブフレームの直後の下りリンクサブフレームを受信しないことによって端末装置によって生成される。つまり、ＨＤ−ＦＤＤオペレーションにおいて、端末装置が下りリンクサブフレームの受信処理を制御することによってガードピリオドを生成している。なお、シンボルは、ＯＦＤＭシンボルまたはＳＣ−ＦＤＭＡシンボルのいずれかを含んでもよい。
【００２３】
フレーム構造タイプ２（ＦＳ２）は、ＴＤＤに対して適用される。つまり、ＦＳ２は、ＴＤＤがサポートされたセルオペレーションに対して適用される。各無線フレームは、２つのハーフフレームで構成される。各ハーフフレームは、５つのサブフレームで構成される。あるセルにおけるＵＬ−ＤＬ設定は、無線フレーム間で変更されてもよい。上りリンクまたは下りリンク送信におけるサブフレームの制御は、最新の無線フレームにおいて行なわれてもよい。端末装置は、最新の無線フレームにおけるＵＬ−ＤＬ設定を、ＰＤＣＣＨ／ＥＰＤＣＣＨまたは上位層シグナリングを介して取得することができる。なお、ＵＬ−ＤＬ設定またはＵＬ／ＤＬ設定（ＴＤＤ  ＵＬ／ＤＬ設定）は、ＴＤＤにおける、上りリンクサブフレーム、下りリンクサブフレーム、スペシャルサブフレームの構成を示す。ＵＬ／ＤＬ設定は、サブフレームアサインメントと称されてもよい。スペシャルサブフレームは、下りリンク送信が可能なＤｗＰＴＳ（Ｄｏｗｎｌｉｎｋ  Ｐｉｌｏｔ  Ｔｉｍｅ
Ｓｌｏｔ）、ガードピリオド（ＧＰ）、上りリンク送信が可能なＵｐＰＴＳ（Ｕｐｌｉｎｋ  Ｐｉｌｏｔ  Ｔｉｍｅ  Ｓｌｏｔ）から構成される。スペシャルサブフレームにおけるＤｗＰＴＳとＵｐＰＴＳの構成はテーブルで管理されており、端末装置は、上位層シグナリングを介して、その構成を取得することができる。なお、スペシャルサブフレームが下りリンクから上りリンクへのスイッチングポイントとなる。つまり、端末装置は、スイッチングポイントを境に、受信から送信へと遷移し、基地局装置は、送信から受信へと遷移する。スイッチングポイントは、５ｍｓ周期と１０ｍｓ周期とがある。スイッチングポイントが５ｍｓ周期の場合、スペシャルサブフレームは両方のハーフフレームに存在する。スイッチングポイントが１０ｍｓ周期の場合、スペシャルサブフレームは、第１のハーフフレームにのみ存在する。
【００２４】
ＵｐＰＴＳに対して２シンボルが割り当てられる場合、ＳＲＳとＰＲＡＣＨプリアンブルフォーマット４が配置可能である。
【００２５】
また、ＴＤＤでは、各セルの通信量（トラフィック量）や干渉を考慮した、ｅＩＭＴＡ（ＴＤＤ  ｅｎｈａｎｃｅｄ  Ｉｎｔｅｒｆｅｒｅｎｃｅ  Ｍａｎａｇｅｍｅｎｔ  ａｎｄ  Ｔｒａｆｆｉｃ Ａｄａｐｔａｔｉｏｎ）技術が適用可能である。ｅＩＴＭＡは、下
りリンクおよび／または上りリンクの通信量や干渉量を考慮して、ダイナミックに（Ｌ１レベル、または、Ｌ１シグナリングを用いて）ＴＤＤの設定を切り替えることによって、無線フレーム内（つまり、１０サブフレーム内）に占める、下りリンクサブフレームと上りリンクサブフレームの割合を変え、最適な通信を行なう技術である。
【００２６】
ＦＳ１とＦＳ２は、ＮＣＰ（Ｎｏｒｍａｌ  Ｃｙｃｌｉｃ  Ｐｒｅｆｉｘ）とＥＣＰ（Ｅｘｔｅｎｄｅｄ  Ｃｙｃｌｉｃ  Ｐｒｅｆｉｘ）が適用される。
【００２７】
フレーム構造タイプ３（ＦＳ３）は、ＬＡＡ（Ｌｉｃｅｎｓｅｄ  Ａｓｓｉｓｔｅｄ  Ａｃｃｅｓｓ）セカンダリセルオペレーションに対して適用される。また、ＦＳ３は、ＮＣＰのみが適用されてもよい。無線フレームに含まれる１０サブフレームは、下りリンク送信に利用される。端末装置は、規定されない限り、または、下りリンク送信がそのサブフレームで検出されない限り、いずれかの信号があるサブフレームに存在すると仮定せず、空のサブフレームとして、そのサブフレームを処理する。下りリンク送信は１つまたは
複数の連続するサブフレームを専有する。連続するサブフレームは、最初のサブフレームと最後のサブフレームを含んでもよい。つまり、連続するサブフレームは、少なくとも２つのサブフレームで構成されてもよい。連続するサブフレームは、時間領域において連続する１つよりも多いサブフレームを含む。最初のサブフレームは、そのサブフレームのいずれかのシンボルまたはスロット（例えば、ＯＦＤＭシンボル＃０または＃７）から始まる。また、最後のサブフレームは、フルサブフレーム（つまり、１４ＯＦＤＭシンボル）か、ＤｗＰＴＳ期間の１つに基づいて示されたＯＦＤＭシンボルの数（つまり、ＤｗＰＴＳに対して割り当てられたシンボル数）だけ専有される。なお、連続するサブフレームのうち、あるサブフレームが最後のサブフレームであるかどうかは、ＤＣＩフォーマットに含まれる、あるフィールド（つまり、ＤＣＩ）によって、端末装置に示される。そのフィールドは、さらに、そのフィールドを検出したサブフレーム、または、その次のサブフレームに用いられるＯＦＤＭシンボルの数が示されてもよい。また、ＦＳ３では、基地局装置および端末装置が、関連する下りリンク／上りリンクの送信を行なう前に、ＬＢＴ（Ｌｉｓｔｅｎ  Ｂｅｆｏｒｅ  Ｔａｌｋ）に関連するチャネルアクセス手順を行なう。つまり、チャネルアクセス手順において、送信側が、送信に用いるチャネルがクリアであると判断した場合、送信側の基地局装置および／または端末装置は、送信を行なうことができる。なお、ＬＡＡセカンダリセルは、ＬＡＡセルと称されてもよい。
【００２８】
なお、ＦＳ３において、上りリンク送信がサポートされてもよい。上りリンク送信は、１つまたは複数の連続するサブフレームを専有することができる。その際、ＬＡＡセルにおいて下りリンク送信のみをサポートしている端末装置、および、ＬＡＡセルにおいて下りリンク送信および上りリンク送信をサポートしている端末装置は、端末装置の能力情報を送信することによって、自装置がサポートしている通信方式を通知してもよい。
【００２９】
ＦＳ３をサポートしている端末装置および基地局装置は、免許不要の周波数帯で通信を行なってもよい。
【００３０】
ＬＡＡまたはＦＳ３のセルに対応するオペレーティングバンドは、ＥＵＴＲＡオペレーティングバンドのテーブルとともに管理されてもよい。例えば、ＥＵＴＲＡオペレーティングバンドのインデックスは、１から４４で管理され、ＬＡＡ（またはＬＡＡの周波数）に対応するオペレーティングバンドのインデックスは、４６で管理されてもよい。例えば、インデックス４６では、下りリンクの周波数帯のみが規定されてもよい。また、一部のインデックスにおいては、上りリンクの周波数帯が予約または将来規定されるものとして予め確保されてもよい。また、ＬＡＡまたはＦＳ３のセルに対応するオペレーティングバンドに対応するデュプレックスモードは、ＴＤＤであってもよい。ＬＡＡオペレーションが可能な周波数は、５ＧＨｚ以上であることが好ましいが、５ＧＨｚ未満であってもよい。つまり、ＬＡＡに対応するオペレーティングバンドとして、対応付けられた周波数において、ＬＡＡオペレーションの通信が行なわれてもよい。
【００３１】
次に、本実施形態に係る下りリンクおよび上りリンクの無線フレーム構成について説明する。
【００３２】
図１は、本実施形態に係る下りリンクの無線フレーム構成の一例を示す図である。下りリンクはＯＦＤＭアクセス方式が用いられる。
【００３３】
基地局装置から端末装置への下りリンクの無線通信では、以下の下りリンク物理チャネルが用いられる。ここで、下りリンク物理チャネルは、上位層から出力された情報を送信するために用いられる。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ｓＰＤＣＣＨ（short/shorter/shortened Physical Downlink Control Channel, PDCCH
for sTTI）
・ＰＤＳＣＨ（Physical Downlink Shared Channel）
・ｓＰＤＳＣＨ（short/shorter/shortened Physical Downlink Shared Channel, PDSCH for sTTI）
・ＰＭＣＨ（Physical Multicast Channel）
【００３４】
下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・下りリンク参照信号（Downlink Reference Signal: DL RS）
・ＤＳ（Discovery Signal）
【００３５】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００３６】
下りリンクの無線フレームは、下りリンクのリソースブロック（ＲＢ）ペアから構成されている。この下りリンクのＲＢペアは、下りリンクの無線リソースの割り当てなどの単位であり、予め決められた幅の周波数領域（例えば、ＲＢ帯域幅）および時間領域（例えば、２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成される。また、時間領域においては、ＮＣＰが付加される場合には７個、ＮＣＰよりも長いＣＰ長を有するＥＣＰが付加される場合には６個のＯＦＤＭシンボルから構成される。周波数領域において１つのサブキャリア、時間領域において１つのＯＦＤＭシンボルにより規定される領域をリソースエレメント（ＲＥ）と称する。ＰＤＣＣＨ／ＥＰＤＣＣＨは、端末装置識別子、ＰＤＳＣＨのスケジューリング情報、ＰＵＳＣＨのスケジューリング情報、変調方式、符号化率、再送パラメータなどの下りリンク制御情報（ＤＣＩ）が送信される物理チャネルである。なお、ここでは１つのコンポーネントキャリア（ＣＣ）における下りリンクサブフレームを記載しているが、ＣＣ毎に下りリンクサブフレームが規定され、下りリンクサブフレームはＣＣ間でほぼ同期している。ここで、ＣＣ間でほぼ同期しているとは、基地局装置から複数のＣＣを用いて送信する場合、各ＣＣの送信タイミングの誤差が所定の範囲内に収まることである。
【００３７】
なお、ここでは図示していないが、下りリンクサブフレームには、ＳＳやＰＢＣＨやＤＬＲＳが配置されてもよい。ＤＬＲＳとしては、ＰＤＣＣＨと同じアンテナポート（送信ポート）で送信されるＣＲＳ、チャネル状態情報（ＣＳＩ）の測定に用いられるＣＳＩ−ＲＳ、一部のＰＤＳＣＨと同じアンテナポートで送信されるＵＥＲＳ、ＥＰＤＣＣＨと同
じ送信ポートで送信されるＤＭＲＳがある。また、ＤＬＲＳは、ＣＲＳが配置されないキャリアに配置されるＲＳがあってもよい。この時、一部のサブフレーム（例えば、無線フレーム中の１番目と６番目のサブフレーム）に、時間および／または周波数のトラッキング用の信号として、ＣＲＳの一部のアンテナポート（例えば、アンテナポート０だけ）あるいは全部のアンテナポートに対応する信号と同様の信号（拡張同期信号と呼称する）を挿入することができる。ここで、アンテナポートは送信ポートと称されてもよい。ここで、“物理チャネル／物理信号がアンテナポートで送信される”とは、アンテナポートに対応する無線リソースやレイヤを用いて物理チャネル／物理信号が送信されるという意味を含む。例えば、受信部は、アンテナポートに対応する無線リソースやレイヤから物理チャネルや物理信号を受信することを意味する。
【００３８】
図２は、本実施形態に係る上りリンクの無線フレーム構成の一例を示す図である。上りリンクはＳＣ−ＦＤＭＡ方式が用いられる。
【００３９】
端末装置から基地局装置への上りリンクの無線通信では、以下の上りリンク物理チャネルが用いられる。ここで、上りリンク物理チャネルは、上位層から出力された情報を送信するために用いられる。
・ＰＵＣＣＨ（Physical Uplink Control Channel）
・ｓＰＵＣＣＨ（short/shorter/shortened Physical Uplink Control Channel, PUCCH for short TTI）
・ＰＵＳＣＨ（Physical Uplink Shared Channel）
・ｓＰＵＳＣＨ（short/shorter/shortened Physical Uplink Shared Channel, PUSCH for short TTI）
・ＰＲＡＣＨ（Physical Random Access Channel）
・ｓＰＲＡＣＨ（short/shorter/shortened Physical Random Access Channel, PRACH for short TTI）
【００４０】
上りリンクの無線通信では、以下の上りリンク物理信号が用いられる。ここで、上りリンク物理信号は、上位層から出力された情報を送信するために用いられないが、物理層によって用いられる。
・上りリンク参照信号（Uplink Reference Signal: UL RS）
【００４１】
本実施形態において、以下の２つのタイプの上りリンク参照信号が用いられる。
・ＤＭＲＳ（Demodulation Reference Signal）
・ＳＲＳ（Sounding Reference Signal）
【００４２】
上りリンクでは、ＰＵＳＣＨ、ＰＵＣＣＨなどが割り当てられる。また、ＰＵＳＣＨやＰＵＣＣＨとともに、ＵＬＲＳが割り当てられる。上りリンクの無線フレームは、上りリンクのＲＢペアから構成されている。この上りリンクのＲＢペアは、上りリンクの無線リソースの割り当てなどの単位であり、予め決められた幅の周波数領域（ＲＢ帯域幅）および時間領域（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成される。時間領域においては、ＮＣＰが付加される場合には７個、ＥＣＰが付加される場合には６個のＳＣ−ＦＤＭＡシンボルから構成される。なお、ここでは１つのＣＣにおける上りリンクサブフレームを記載しているが、ＣＣ毎に上りリンクサブフレームが規定されてもよい。
【００４３】
ＬＴＥの時間単位Ｔｓは、サブキャリア間隔（例えば、１５ｋＨｚ）とＦＦＴサイズ（例えば、２０４８）に基づいて規定されている。つまり、Ｔｓは、１／（１５０００×２
０４８）秒で規定されている。なお、１つのスロットの時間長は、１５３６０・Ｔｓ（つまり、０．５ｍｓ）である。１つのサブフレームの時間長は、３０７２０・Ｔｓ（つまり、１ｍｓ）である。１つの無線フレームの時間長は、３０７２００・Ｔｓ（つまり、１０ｍｓ）である。なお、帯域幅が拡張される場合やサブキャリア間隔が変わる場合には、必要に応じてＦＦＴサイズは変わってもよい。
【００４４】
物理チャネルまたは物理信号のスケジューリングについて無線フレームを用いて管理している。１つの無線フレームの時間長は１０ミリ秒（ｍｓ）である。１つの無線フレームは１０サブフレームで構成される。さらに、１つのサブフレームは２つのスロットで構成される。すなわち、１つのサブフレームの時間長は１ｍｓ、１つのスロットの時間長は０．５ｍｓである。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（ＴＴＩ、スロット、シンボル）で構成される領域で定義される。なお、１つのサブフレームは、１つのリソースブロックペアと称されてもよい。
【００４５】
また、１つのＴＴＩは１つのサブフレームまたは１つのサブフレームを構成するシンボルの数として規定されてもよい。例えば、ＮＣＰの場合、１つのＴＴＩは、１４シンボルで構成されてもよい。また、ＥＣＰの場合、１つのＴＴＩは、１２シンボルで構成されてもよい。なお、ＴＴＩは、受信側では受信時間間隔として規定されてもよい。ＴＴＩは、物理チャネルや物理信号の送信単位または受信単位として定義されてもよい。つまり、物理チャネルや物理信号の時間長は、ＴＴＩの長さに基づいて規定されてもよい。なお、シンボルは、ＳＣ−ＦＤＭＡシンボルおよび／またはＯＦＤＭシンボルが含まれてもよい。また、ＴＴＩの長さ（ＴＴＩ長）は、シンボルの数で表現されてもよい。また、ＴＴＩ長は、ミリ秒（ｍｓ）やマイクロ秒（μｓ）のような時間長で表現されてもよい。なお、同じＣＰ長および／または同じＣＰの種類において、１つのＴＴＩを構成するシンボルの数が少ない（例えば、ＮＣＰで１４シンボルよりも少ない）、または、１ｍｓ−ＴＴＩよりも短いＴＴＩ長で構成されるＴＴＩをｓＴＴＩ（ｓｈｏｒｔ／ｓｈｏｒｔｅｎｅｄ／ｓｈｏｒｔｅｒ  ＴＴＩ）と称してもよい。
【００４６】
各シンボルには、物理チャネルおよび／または物理信号に係る系列がマップされる。系列の検出精度を高めるために、ＣＰが物理チャネルおよび／または物理信号に係る系列に付加される。
【００４７】
下りリンク送信に対するｓＴＴＩ（ＤＬ−ｓＴＴＩ）のＴＴＩ長は、２シンボルと７シンボルのいずれかが設定されてもよい。また、上りリンク送信に対するｓＴＴＩ（ＵＬ−ｓＴＴＩ）のＴＴＩ長は、２シンボルと、３または４シンボル、７シンボルのいずれかが設定されてもよい。ＤＬ−ｓＴＴＩ内に、ｓＰＤＣＣＨとｓＰＤＳＣＨが配置されてもよい。なお、上りリンク物理チャネルのそれぞれ（例えば、ｓＰＵＳＣＨ、ｓＰＵＣＣＨ、ｓＰＲＡＣＨ）のＴＴＩ長は、個別に設定されてもよい。なお、ｓＰＤＳＣＨのＴＴＩ長には、ｓＰＤＣＣＨのシンボルが含まれてもよいし、ＰＤＣＣＨのシンボルが含まれてもよい。また、ｓＰＵＳＣＨおよび／またはｓＰＵＣＣＨのＴＴＩ長には、ＤＭＲＳのシンボルが含まれてもよいし、ＳＲＳのシンボルが含まれてもよい。下りリンク送信に対するｓＴＴＩのＴＴＩ長は、上位層シグナリングを介して設定されてもよい。下りリンク送信に対するｓＴＴＩのＴＴＩ長は、システムインフォメーションを介して設定されてもよい。上りリンク送信に対するｓＴＴＩのＴＴＩ長は、上位層シグナリングを介して設定されてもよい。上りリンク送信に対するｓＴＴＩのＴＴＩ長は、ＤＣＩフォーマットのあるフィールドに基づいて設定されてもよい。
【００４８】
図１と図２は、異なる物理チャネル／物理信号は周波数分割多重（ＦＤＭ）および／ま
たは時分割多重（ＴＤＭ）されている例を示している。
【００４９】
なお、ｓＴＴＩに対して、種々の物理チャネルおよび／または物理信号が送信される場合、各物理チャネルおよび／または物理信号はそれぞれ、ｓＰＤＳＣＨ、ｓＰＤＣＣＨ、ｓＰＵＳＣＨ、ｓＰＵＣＣＨ、ｓＰＲＡＣＨと称されてもよい。
【００５０】
ｓＰＤＳＣＨ、ｓＰＤＣＣＨ、ｓＰＵＳＣＨ、ｓＰＵＣＣＨ、ｓＰＲＡＣＨは、それぞれの物理チャネル（ＰＤＳＣＨ、ＰＤＣＣＨ、ＰＵＳＣＨ、ＰＵＣＣＨ、ＰＲＡＣＨ）に対するショートフォーマットまたは異なるタイプとして定義されてもよい。また、ＰＤＳＣＨ、ＰＤＣＣＨ、ＰＵＳＣＨ、ＰＵＣＣＨ、ＰＲＡＣＨは、それぞれの物理チャネルに対するロングフォーマットとして定義されてもよい。
【００５１】
ｓＰＤＳＣＨ、ｓＰＤＣＣＨ、ｓＰＵＳＣＨ、ｓＰＵＣＣＨ、ｓＰＲＡＣＨは、ある上位層パラメータに基づいてＭＢＳＦＮサブフレームでの送信が設定されてもよい。つまり、端末装置は、ある上位層パラメータに基づいて、ＭＢＳＦＮサブフレームにおける下りリンク送信および／または上りリンク送信が設定されたとすれば、ＭＢＳＦＮサブフレームにおいて、ｓＰＤＣＣＨおよびｓＰＤＳＣＨのモニタを行ない、ｓＰＵＳＣＨ／ｓＰＵＣＣＨ／ｓＰＲＡＣＨの送信を行なってもよい。
【００５２】
ｓＴＴＩに対して物理チャネルが送信される場合には、その物理チャネルを構成するＯＦＤＭシンボルおよび／またはＳＣ−ＦＤＭＡシンボルの数、または、その物理チャネルの送信に用いられるＯＦＤＭシンボルおよび／またはＳＣ−ＦＤＭＡシンボルの数は、ＮＣＰで１４シンボル（ＥＣＰで１２シンボル）よりも少ないシンボル数であってもよい。また、ｓＴＴＩに対する物理チャネルに用いられるシンボルの数は、ＤＣＩおよび／またはＤＣＩフォーマットを用いて設定されてもよいし、上位層シグナリングを用いて設定されてもよい。ｓＴＴＩに用いられるシンボルの数だけでなく、時間方向のスタートシンボルが設定されてもよい。なお、ＮＣＰで１４シンボル（ＥＣＰで１２シンボル）の送信単位は、ＴＴＩと称されてもよい。
【００５３】
また、ｓＴＴＩは、システム帯域幅内の特定の帯域幅内で送信されてもよい。ｓＴＴＩとして設定される帯域幅は、ＤＣＩおよび／またはＤＣＩフォーマットを用いて設定されてもよいし、上位層シグナリング（ＲＲＣシグナリング、ＭＡＣ  ＣＥ）を用いて設定されてもよい。帯域幅は、スタートとエンドのリソースブロックインデックスまたは周波数ポジションを用いて設定されてもよいし、帯域幅とスタートのリソースブロックインデックス／周波数ポジションを用いて設定されてもよい。ｓＴＴＩがマップされる帯域幅をｓＴＴＩバンドと称されてもよい。ｓＴＴＩバンド内でマップされる物理チャネルをｓＴＴＩに対する物理チャネルと称されてもよい。ｓＴＴＩに対する物理チャネルには、ｓＰＤＳＣＨ、ｓＰＤＣＣＨ、ｓＰＵＳＣＨ、ｓＰＵＣＣＨ、ｓＰＲＡＣＨが含まれてもよい。
【００５４】
ｓＴＴＩを規定するために用いられる情報／パラメータがＤＣＩおよび／またはＤＣＩフォーマットを用いて設定される場合、それらのＤＣＩおよび／またはＤＣＩフォーマットは特定のＲＮＴＩを用いてスクランブルされてもよいし、特定のＲＮＴＩによってスクランブルされたＣＲＣ（Ｃｙｃｌｉｃ  Ｒｅｄｕｎｄａｎｃｙ  Ｃｈｅｃｋ）がＤＣＩフォーマットを構成するビット列に付加されてもよい。
【００５５】
ここで、下りリンク物理チャネルおよび下りリンク物理信号を総称して、下りリンク信号とも称する。また、上りリンク物理チャネルおよび上りリンク物理信号を総称して、上りリンク信号とも称する。下りリンク物理チャネルおよび上りリンク物理チャネルを総称して、物理チャネルとも称する。下りリンク物理信号および上りリンク物理信号を総称して、物理信号とも称する。
【００５６】
ＰＢＣＨは、端末装置で共通に用いられるマスターインフォメーションブロック（ＭＩＢ,Ｂｒｏａｄｃａｓｔ  Ｃｈａｎｎｅｌ：ＢＣＨ）を報知するために用いられる。
【００５７】
ＰＣＦＩＣＨは、ＰＤＣＣＨの送信に用いられる時間領域（ＯＦＤＭシンボル）を指示する情報を送信するために用いられる。
【００５８】
ＰＨＩＣＨは、基地局装置が受信した上りリンクデータ（Ｕｐｌｉｎｋ  Ｓｈａｒｅｄ
Ｃｈａｎｎｅｌ：ＵＬ−ＳＣＨ）に対するＡＣＫ（ＡＣＫｎｏｗｌｅｄｇｅｍｅｎｔ）またはＮＡＣＫ（Ｎｅｇａｔｉｖｅ  ＡＣＫｎｏｗｌｅｄｇｅｍｅｎｔ）を示すＨＡＲＱインディケータ（ＨＡＲＱフィードバック、応答情報）を送信するために用いられる。つまり、ＰＨＩＣＨは、基地局装置において、ＰＵＳＣＨに対する検出（および／またはデコード）成功や検出失敗を示す情報を含む物理チャネルである。
【００５９】
ＰＤＣＣＨ、ＥＰＤＣＣＨ、および／または、ｓＰＤＣＣＨは、下りリンク制御情報（ＤＣＩ）を送信するために用いられる。本実施形態において、ＰＤＣＣＨは、ＥＰＤＣＣＨを含んでもよい。また、ＰＤＣＣＨは、ｓＰＤＣＣＨを含んでもよい。
【００６０】
ｓＰＤＣＣＨは、周波数領域および／または時間領域のマッピングが制限されたＰＤＣＣＨおよび／またはＥＰＤＣＣＨであってもよい。また、ｓＰＤＣＣＨは、同じｓＴＴＩにｓＰＤＳＣＨがマップされてもよい。ｓＰＤＣＣＨに関する設定は、上位層シグナリングを介して設定されてもよい。ｓＰＤＣＣＨに関する設定は、システムインフォメーションを介して設定されてもよい。ｓＰＤＣＣＨに関する設定は、ＰＤＣＣＨ／ＥＰＤＣＣＨに含まれるあるＤＣＩフォーマットのあるフィールドを介して設定されてもよい。
【００６１】
ここで、ＰＤＣＣＨ、ＥＰＤＣＣＨ、および／または、ｓＰＤＣＣＨで送信されるＤＣＩに対して、複数のＤＣＩフォーマットが定義されてもよい。すなわち、ＤＣＩに対するフィールドがＤＣＩフォーマットによって定義され、情報ビットにマップされてもよい。
【００６２】
あるサービングセルにおいて、つまり、あるサービングセルにおける端末装置と基地局装置において、ｓＴＴＩに対する物理チャネルが送信可能な場合、端末装置は、ｓＴＴＩの設定に関する情報／パラメータを含むＤＣＩフォーマットがマップされたＰＤＣＣＨ／ＥＰＤＣＣＨをモニタしてもよい。つまり、基地局装置は、ｓＴＴＩを用いた物理チャネルの送信および／または受信をサポートしている端末装置に対して、ＰＤＣＣＨ／ＥＰＤＣＣＨに、ｓＴＴＩの設定に関する情報／パラメータを含むＤＣＩフォーマットをマップして送信してもよい。なお、ＤＣＩフォーマットの詳細については後述する。
【００６３】
ｓＰＤＳＣＨは、ＰＤＣＣＨおよび／またはＥＰＤＣＣＨで検出した第１の下りリンクグラントと、ｓＰＤＣＣＨで検出した第２の下りリンクグラントによって、スケジュールされてもよい。第１の下りリンクグラントと第２の下りリンクグラントは、ともに、特定のＲＮＴＩを用いてスクランブルされてもよい。
【００６４】
ｓＰＤＳＣＨは、１つの下りリンクグラント（つまり、１つのＤＣＩ、１つのＤＣＩフォーマット）を用いてスケジュールされてもよい。
【００６５】
ｓＰＤＳＣＨは、２つの下りリンクグラント（つまり、２つのＤＣＩ、２つのＤＣＩフォーマット）を用いてスケジュールされてもよい。
【００６６】
１つの下りリンクグラントでスケジュールされるか、２つの下りリンクグラントでスケジュールされるかは、システムインフォメーションまたは上位層シグナリングに含まれる
上位層パラメータに基づいて、設定されてもよい。
【００６７】
ｓＰＵＳＣＨは、１つの上りリンクグラント（つまり、１つのＤＣＩ、１つのＤＣＩフォーマット）を用いてスケジュールされてもよい。
【００６８】
ｓＰＵＳＣＨは、２つの上りリンクグラント（つまり、２つのＤＣＩ、２つのＤＣＩフォーマット）を用いてスケジュールされてもよい。
【００６９】
１つの上りリンクグラントでスケジュールされるか、２つの上りリンクグラントでスケジュールされるかは、システムインフォメーションまたは上位層シグナリングに含まれる上位層パラメータに基づいて、設定されてもよい。
【００７０】
ｓＰＤＣＣＨは、ＰＤＣＣＨおよび／またはＥＰＤＣＣＨで検出した第１の下りリンクグラントに含まれるＤＣＩに基づいて、ｓＰＤＣＣＨをモニタする領域（つまり、下りリンクのｓＴＴＩバンド）が設定されてもよい。ｓＰＤＣＣＨをモニタする領域には、ｓＰＤＣＣＨをモニタする時間領域に関する情報が含まれてもよい。また、ｓＰＤＣＣＨをモニタする領域には、ｓＰＤＣＣＨをモニタする周波数領域に関する情報が含まれてもよい。
【００７１】
ｓＰＵＣＣＨは、ｓＰＤＣＣＨで検出した第２の下りリンクグラントに含まれるＤＣＩによって、リソースが決定されてもよい。
【００７２】
また、端末装置は、ＰＤＣＣＨ候補、ＥＰＤＣＣＨ候補、および／または、ｓＰＤＣＣＨ候補のセットをモニタしてもよい。以下、ＰＤＣＣＨは、ＥＰＤＤＣＨおよび／またはｓＰＤＣＣＨを含んでもよい。
【００７３】
ここで、ＰＤＣＣＨ候補とは、基地局装置によって、ＰＤＣＣＨが、配置および／または送信される可能性のある候補を示していてもよい。また、モニタとは、モニタされる全てのＤＣＩフォーマットに応じて、ＰＤＣＣＨ候補のセット内のＰＤＣＣＨのそれぞれに対して、端末装置がデコードを試みるという意味が含まれてもよい。
【００７４】
ここで、端末装置が、モニタするＰＤＣＣＨ候補のセットは、サーチスペースとも称される。サーチスペースには、コモンサーチスペース（ＣＳＳ）が含まれてもよい。例えば、ＣＳＳは、複数の端末装置に対して共通なサーチスペースとして定義されてもよい。
【００７５】
また、サーチスペースには、ユーザ装置スペシフィックサーチスペース（ＵＳＳ）が含まれてもよい。例えば、ＵＳＳは、少なくとも、端末装置に対して割り当てられるＣ−ＲＮＴＩに基づいて与えられてもよい。端末装置は、ＣＳＳ、および／または、ＵＳＳにおいて、ＰＤＣＣＨをモニタし、自装置宛てのＰＤＣＣＨを検出してもよい。
【００７６】
また、サーチスペースには、ＣＳＳとは別に、複数の端末装置において共有されるサーチスペースが含まれてもよい。例えば、このＵＳＳは、端末装置グループサーチスペース（ＵＥＧ−ＳＳ）またはセル共有サーチスペース（ＣＣ−ＳＳ）と称されてもよい。ＵＥＧ−ＳＳは、少なくとも、複数の端末装置に対して共通のＲＮＴＩに基づいて与えられてもよい。端末装置は、ＵＥＧ−ＳＳにおいて、ＰＤＣＣＨをモニタし、自装置宛てのＰＤＣＣＨを検出してもよい。
【００７７】
端末装置は、自装置宛てのＰＤＣＣＨを検出し、デコードすることによって自装置宛てのＤＣＩフォーマットに含まれるＤＣＩを取得することができる。
【００７８】
ＣＳＳおよび／またはＵＳＳにおいて、ＰＵＳＣＨ送信モード１の端末装置は、Ｃ−ＲＮＴＩによってスクランブルされたＣＲＣを伴うＰＤＣＣＨをデコードすることができ、ＤＣＩフォーマット０を取得することができる。
【００７９】
ＣＳＳおよび／またはＵＳＳにおいて、ＰＵＳＣＨ送信モード２の端末装置は、Ｃ−ＲＮＴＩによってスクランブルされたＣＲＣを伴うＰＤＣＣＨをデコードすることができ、ＤＣＩフォーマット４を取得することができる。
【００８０】
ＣＳＳにおいて、端末装置は、テンポラリーＣ−ＲＮＴＩによってスクランブルされたＣＲＣを伴うＰＤＣＣＨをデコードすることができ、ＤＣＩフォーマット０を取得することができる。ｓＴＴＩオペレーションが可能な端末装置に対して、該ＤＣＩフォーマット０によってＰＵＳＣＨがスケジュールされてもよい。
【００８１】
ＣＳＳにおいて、端末装置は、ＴＰＣ−ＰＵＣＣＨ−ＲＮＴＩによってスクランブルされたＣＲＣを伴うＰＤＣＣＨをデコードすることができ、ＤＣＩフォーマット３／３Ａを取得することができる。ｓＴＴＩオペレーションが可能な端末装置に対して、該ＤＣＩフォーマット３／３ＡによってＰＵＣＣＨに対するＴＰＣコマンドが送信されてもよい。
【００８２】
ＣＳＳにおいて、端末装置は、ＴＰＣ−ＰＵＳＣＨ−ＲＮＴＩによってスクランブルされたＣＲＣを伴うＰＤＣＣＨをデコードすることができ、ＤＣＩフォーマット３／３Ａを取得することができる。ｓＴＴＩオペレーションが可能な端末装置に対して、該ＤＣＩフォーマット３／３ＡによってＰＵＳＣＨに対するＴＰＣコマンドが送信されてもよい。
【００８３】
ＣＳＳにおいて、ｓＴＴＩオペレーションが可能な端末装置は、Ｃ−ＲＮＴＩによってスクランブルされたＣＲＣを伴うＰＤＣＣＨおよび／またはｓＰＤＣＣＨをデコードすることができ、ＤＣＩフォーマット０を取得することができる。ｓＴＴＩオペレーションが可能な端末装置に対して、該ＤＣＩフォーマット０によってＰＵＳＣＨがスケジュールされてもよい。
【００８４】
ＵＳＳにおいて、ｓＴＴＩオペレーションが可能な端末装置は、Ｃ−ＲＮＴＩによってスクランブルされたＣＲＣを伴うＰＤＣＣＨおよび／またはｓＰＤＣＣＨをデコードすることができ、ＤＣＩフォーマット０／４／Ｘを取得することができる。ｓＴＴＩオペレーションが可能な端末装置に対して、該ＤＣＩフォーマット０／４／ＸによってｓＰＵＳＣＨがスケジュールされてもよい。
【００８５】
ＵＥＧ−ＳＳにおいて、ｓＴＴＩオペレーションが可能な端末装置は、Ｃ−ＲＮＴＩによってスクランブルされたＣＲＣを伴うＰＤＣＣＨおよび／またはｓＰＤＣＣＨをデコードすることができ、ＤＣＩフォーマット０／４／Ｘを取得することができる。
【００８６】
ＵＥＧ−ＳＳにおいて、ｓＴＴＩオペレーションが可能な端末装置は、ＴＰＣ−ｓＰＵＣＣＨ−ＲＮＴＩによってスクランブルされたＣＲＣを伴うＰＤＣＣＨおよび／またはｓＰＤＣＣＨをデコードすることができ、ＤＣＩフォーマット３／３Ａ／Ｚを取得することができる。
【００８７】
ＵＥＧ−ＳＳにおいて、ｓＴＴＩオペレーションが可能な端末装置は、ＴＰＣ−ｓＰＵＳＣＨ−ＲＮＴＩによってスクランブルされたＣＲＣを伴うＰＤＣＣＨおよび／またはｓＰＤＣＣＨをデコードすることができ、ＤＣＩフォーマット３／３Ａ／Ｚを取得することができる。
【００８８】
ここで、ｓＴＴＩオペレーションとは、上述したｓＴＴＩを用いて通信を行なうこと、
または、上述したｓＴＴＩを用いた物理チャネル、例えば、ｓＰＤＳＣＨ、ｓＰＤＣＣＨ、ｓＰＵＳＣＨ、ｓＰＵＣＣＨ、ｓＰＲＡＣＨのうち、少なくとも１つを用いて通信を行なうことである。つまり、ｓＴＴＩオペレーションとは、ｓＴＴＩが設定された端末装置および基地局装置によって行なわれる通信（つまり、送信および受信）に関するオペレーションのことである。ｓＴＴＩオペレーションには、ｓＴＴＩを用いたまたはｓＴＴＩに関連する、総受信処理や、変復調処理、コーディング、デコーディング、ＲＲＭ（Ｒａｄｉｏ  Ｒｅｓｏｕｒｃｅ  Ｍａｎａｇｅｍｅｎｔ）測定、チャネル評価（またはＣＳＩ測定）、同期処理、ＡＣＫ／ＮＡＣＫ処理（ＨＡＲＱ−ＡＣＫ処理）が含まれてもよい。
【００８９】
ｓＴＴＩオペレーションが可能、且つ、ＰＣＦＩＣＨが検出可能な端末装置は、ＰＣＦＩＣＨによって示されたＰＤＣＣＨ領域（つまり、ＰＤＣＣＨに割り当てられるＯＦＤＭシンボル数）に基づいて、ＰＣＦＩＣＨを含むサブフレームにおけるｓＴＴＩの構成を示すｓＴＴＩパターンを推定できてもよい。例えば、ＰＣＦＩＣＨが３シンボルを示す場合、そのサブフレームのｓＴＴＩパターンは、３シンボルｓＴＴＩ、２シンボルｓＴＴＩ、２シンボルｓＴＴＩ、３シンボルｓＴＴＩ、２シンボルｓＴＴＩ、２シンボルｓＴＴＩであってもよい。
【００９０】
ＰＤＳＣＨは、下りリンクデータ（Ｄｏｗｎｌｉｎｋ  Ｓｈａｒｅｄ  Ｃｈａｎｎｅｌ：ＤＬ−ＳＣＨ）を送信するために用いられる。また、ＰＤＳＣＨは、システムインフォメーションメッセージを送信するために用いられる。ここで、システムインフォメーションブメッセージは、セルスペシフィックな情報であってもよい。また、システムインフォメーションは、ＲＲＣシグナリングに含まれてもよい。また、ＰＤＳＣＨは、ＲＲＣシグナリング、および、ＭＡＣコントロールエレメントを送信するために用いられてもよい。
【００９１】
また、ＰＤＳＣＨは、上りリンクグラントを送信するために用いられてもよい。例えば、端末装置は、基地局装置によってスケジュールされたＰＤＳＣＨにおいて、上りリンクグラント（上りリンクグラントに含まれる情報）を受信（検出、デコード）してもよい。
【００９２】
ＰＭＣＨは、マルチキャストデータ（Ｍｕｌｔｉｃａｓｔ  Ｃｈａｎｎｅｌ：ＭＣＨ）を送信するために用いられる。
【００９３】
同期信号は、端末装置が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００９４】
下りリンク参照信号は、端末装置が下りリンク物理チャネルの伝搬路補正を行なうために用いられる。ここで、下りリンク参照信号は、端末装置が下りリンクのチャネル状態情報を算出するために用いられる。
【００９５】
ＤＳは、ＤＳに関するパラメータが設定された周波数において、時間周波数同期やセル識別、ＲＲＭ測定（イントラおよび／またはインター周波数測定）に用いられる。また、ＤＳは複数の信号から構成され、それらの信号が同じ周期で送信される。ＤＳは、ＰＳＳ／ＳＳＳ／ＣＲＳのリソースを用いて構成され、さらに、ＣＳＩ−ＲＳのリソースを用いて構成されてもよい。ＤＳにおいて、ＣＲＳやＣＳＩ−ＲＳがマップされるリソースを用いて、ＲＳＲＰやＲＳＲＱが測定されてもよい。
【００９６】
ＢＣＨ、ＭＣＨ、ＵＬ−ＳＣＨおよびＤＬ−ＳＣＨは、トランスポートチャネルである。媒体アクセス制御（ＭＡＣ）層で用いられるチャネルをトランスポートチャネルと称する。ＭＡＣ層で用いられるトランスポートチャネルの単位を、トランスポートブロック（
ＴＢ）またはＭＡＣ  ＰＤＵ（Ｐｒｏｔｏｃｏｌ  Ｄａｔａ  Ｕｎｉｔ）とも称する。ＭＡＣ層においてトランスポートブロック毎にＨＡＲＱ（Ｈｙｂｒｉｄ  Ａｕｔｏｍａｔｉｃ  Ｒｅｐｅａｔ  ｒｅＱｕｅｓｔ）の制御が行なわれる。トランスポートブロックは、ＭＡＣ層が物理層に渡す（ｄｅｌｉｖｅｒ）データの単位である。物理層において、トランスポートブロックはコードワードにマップされ、コードワード毎に符号化処理が行なわれる。
【００９７】
ＰＵＣＣＨ、および／または、ｓＰＵＣＣＨは、上りリンク制御情報（ＵＣＩ）を送信（またはフィードバック）するために用いられる。以下、ＰＵＣＣＨは、ｓＰＵＣＣＨを含んでもよい。ここでＵＣＩには、下りリンクのチャネルの状態を示すために用いられるチャネル状態情報（ＣＳＩ）が含まれてもよい。また、ＵＣＩには、ＵＬ−ＳＣＨのリソースを要求するために用いられるスケジューリング要求（ＳＲ）が含まれてもよい。また、ＵＣＩには、ＨＡＲＱ−ＡＣＫ（ＨＡＲＱ−ＡＣＫｎｏｗｌｅｄｇｅｍｅｎｔ）が含まれてもよい。
【００９８】
ここで、ＨＡＲＱ−ＡＣＫは、下りリンクデータに対するＨＡＲＱ−ＡＣＫを示してもよい。すなわち、ＨＡＲＱ−ＡＣＫは、下りリンクデータに対するＡＣＫ（Ａｃｋｎｏｗｌｅｄｇｅｍｅｎｔ、ｐｏｓｉｔｉｖｅ−ａｃｋｎｏｗｌｅｄｇｍｅｎｔ）またはＮＡＣＫ（Ｎｅｇａｔｉｖｅ−ａｃｋｎｏｗｌｅｄｇｅｍｅｎｔ）を示してもよい。なお、下りリンクデータは、トランスポートブロック、ＭＡＣ  ＰＤＵ、ＤＬ−ＳＣＨ、ＰＤＳＣＨが含まれてもよい。また、ＣＳＩは、チャネル品質インディケータ（ＣＱＩ）、プレコーディングマトリックスインディケータ（ＰＭＩ）、および／または、ランクインディケーション（ＲＩ）で構成されてもよい。ＨＡＲＱ−ＡＣＫは、ＨＡＲＱ−ＡＣＫ応答と称されてもよい。
【００９９】
ＰＵＣＣＨは、送信するＵＣＩの種類や組み合わせに応じてフォーマットが規定されてもよい。
【０１００】
ＰＵＣＣＨフォーマット１は、ポジティブＳＲを送信するために用いられる。
【０１０１】
ＰＵＣＣＨフォーマット１ａは、１ビットのＨＡＲＱ−ＡＣＫ、または、ＦＤＤまたはＦＤＤ−ＴＤＤプライマリセルＦＳ１の場合、ポジティブＳＲを伴う１ビットのＨＡＲＱ−ＡＣＫ、を送信するために用いられる。なお、ＦＤＤ−ＴＤＤプライマリセルＦＳは、ＦＤＤ−ＴＤＤキャリアアグリゲーション（ＦＤＤ−ＴＤＤ  ＣＡ）を行なう場合のプライマリセルのフレーム構造タイプ（ＦＳ）を示している。つまり、ＦＤＤ−ＴＤＤ  ＣＡにおいて、あるフレーム構造タイプのプライマリセルと言い換えることができる。また、セカンダリセルについても同様に示すことができる。ＦＤＤ−ＴＤＤ  ＣＡは、少なくとも１つのＦＤＤコンポーネントキャリア（つまり、ＦＤＤセル）と少なくとも１つのＴＤＤコンポーネントキャリア（つまり、ＴＤＤセル）を含むキャリアアグリゲーションである。
【０１０２】
ＰＵＣＣＨフォーマット１ｂは、２ビットのＨＡＲＱ−ＡＣＫ、または、ポジティブＳＲを伴う２ビットのＨＡＲＱ−ＡＣＫ、を送信するために用いられる。
【０１０３】
また、ＰＵＣＣＨフォーマット１ｂは、端末装置に１つよりも多いサービングセルが設定された時、または、ＴＤＤの場合、端末装置に１つのサービングセルが設定された時、チャネル選択を使って、４ビットまでのＨＡＲＱ−ＡＣＫを送信するために用いられてもよい。
【０１０４】
チャネル選択は、複数のＰＵＣＣＨリソースのうち、何れか１つを選択することによっ
て、同じビットの値であっても、その解釈を変えることができる。例えば、第１のＰＵＣＣＨリソースと第２のＰＵＣＣＨリソースで、同じビットの値であっても、その示す内容は異なってもよい。チャネル選択により、複数のＰＵＣＣＨリソースを用いることによって、ＨＡＲＱ−ＡＣＫを拡張することができる。
【０１０５】
ＰＵＣＣＨフォーマット２は、ＨＡＲＱ−ＡＣＫを多重しない時のＣＳＩレポートを送信するために用いられる。
【０１０６】
また、ＰＵＣＣＨフォーマット２は、ＥＣＰに対するＨＡＲＱ−ＡＣＫを多重したＣＳＩレポートを送信するために用いられてもよい。
【０１０７】
ＰＵＣＣＨフォーマット２ａは、ＮＣＰに対する１ビットのＨＡＲＱ−ＡＣＫを多重したＣＳＩレポートを送信するために用いられる。
【０１０８】
ＰＵＣＣＨフォーマット２ｂは、ＮＣＰに対する２ビットのＨＡＲＱ−ＡＣＫを多重したＣＳＩレポートを送信するために用いられる。
【０１０９】
ＮＣＰだけがサポートされたＰＵＣＣＨフォーマット２ａ／２ｂにおいて、あるビット列は、ＰＵＣＣＨに対するＤＭＲＳの生成に用いられた１つの変調シンボルにマップされる。つまり、ＮＣＰだけがサポートされたＰＵＣＣＨフォーマット２ａ／２ｂにおいて、ＤＭＲＳシンボルをデータが割り当て可能なシンボルとして用いることができる。
【０１１０】
ＰＵＣＣＨフォーマット３は、ＦＤＤまたはＦＤＤ−ＴＤＤプライマリセルＦＳ１に対して１０ビットまでのＨＡＲＱ−ＡＣＫ、ＴＤＤに対して２０ビットのＨＡＲＱ−ＡＣＫ、ＦＤＤ−ＴＤＤプライマリセルＦＳ２に対して２１ビットのＨＡＲＱ−ＡＣＫを送信するために用いられる。
【０１１１】
また、ＰＵＣＣＨフォーマット３は、ＦＤＤまたはＦＤＤ−ＴＤＤに対して１０ビットのＨＡＲＱ−ＡＣＫおよび１ビットのポジティブ／ネガティブＳＲに対応する１１ビットまでのＵＣＩ、および、ＴＤＤに対して２０ビットのＨＡＲＱ−ＡＣＫおよび１ビットのポジティブ／ネガティブＳＲに対応する２１ビットのＵＣＩ、および、ＦＤＤ−ＴＤＤプライマリセルＦＳ２に対して２１ビットまでのＨＡＲＱ−ＡＣＫおよび１ビットのポジティブ／ネガティブＳＲに対応する２２ビットのＵＣＩ、を送信するために用いられてもよい。
【０１１２】
また、ＰＵＣＣＨフォーマット３は、ＦＤＤまたはＦＤＤ−ＴＤＤに対して１０ビットのＨＡＲＱ−ＡＣＫおよび１ビットのポジティブ／ネガティブＳＲに対応する１１ビットまでのＵＣＩ、および、ＴＤＤに対して２０ビットのＨＡＲＱ−ＡＣＫおよび１ビットのポジティブ／ネガティブＳＲに対応する２１ビットのＵＣＩ、および、ＦＤＤ−ＴＤＤプライマリセルＦＳ２に対して２１ビットまでのＨＡＲＱ−ＡＣＫおよび１ビットのポジティブ／ネガティブＳＲに対応する２２ビットのＵＣＩ、を送信するために用いられてもよい。
【０１１３】
また、ＰＵＣＣＨフォーマット３は、ＨＡＲＱ−ＡＣＫ、および、（もしあれば）１ビットのポジティブ／ネガティブＳＲ、および、ＣＳＩレポートを送信するために用いられてもよい。
【０１１４】
ＰＵＣＣＨフォーマット４は、ＨＡＲＱ−ＡＣＫ、（もしあれば）ＳＲ、および、（もしあれば）周期的なＣＳＩレポートを含む２２ビットよりも多いＵＣＩを送信するために用いられる。
【０１１５】
また、ＰＵＣＣＨフォーマット４は、１つよりも多いＣＳＩレポート、および、（もしあれば）ＳＲを送信するために用いられてもよい。
【０１１６】
ＰＵＣＣＨフォーマット５は、ＨＡＲＱ−ＡＣＫ、（もしあれば）ＳＲ、および、（もしあれば）周期的なＣＳＩレポートを含む２２ビットよりも多いＵＣＩを送信するために用いられる。
【０１１７】
また、ＰＵＣＣＨフォーマット５は、１つよりも多いＣＳＩレポート、および、（もしあれば）ＳＲを送信するために用いられてもよい。
【０１１８】
ＰＵＣＣＨフォーマットに基づいて、対応するＤＭＲＳの数や配置が異なってもよい。例えば、ＮＣＰが付加される場合、ＰＵＣＣＨフォーマット１／１ａ／１ｂに対しては１スロット内に３つのＤＭＲＳが配置され、ＰＵＣＣＨフォーマット２／２ａ／２ｂ／３に対しては１スロット内に２つのＤＭＲＳが配置され、ＰＵＣＣＨフォーマット４／５に対しては１スロット内に１つのＤＭＲＳが配置される。
【０１１９】
ＰＵＣＣＨがＳＲＳサブフレームで送信される場合には、短縮フォーマットが適用されるＰＵＣＣＨフォーマット（例えば、ＰＵＣＣＨフォーマット１、１ａ、１ｂ、３）においては、ＳＲＳが割り当てられる可能性のある最後尾の１シンボルまたは２シンボル（そのサブフレームにおける２番目のスロットの最後尾の１シンボルまたは２シンボル）を空にして、つまり、短縮フォーマットでＰＵＣＣＨを送信してもよい。
【０１２０】
ＰＵＣＣＨフォーマット１／１ａ／１ｂとＰＵＣＣＨフォーマット２／２ａ／２ｂは、同じＲＢで送信されてもよい。ＰＵＣＣＨフォーマット１／１ａ／１ｂとＰＵＣＣＨフォーマット２／２ａ／２ｂの送信に用いられるＲＢにおけるＰＵＣＣＨフォーマット１／１ａ／１ｂに対するサイクリックシフトは個別に設定されてもよい。
【０１２１】
なお、ｓＰＵＣＣＨに対して、上述したＰＵＣＣＨフォーマットに相当するｓＰＵＣＣＨフォーマットが規定されてもよい。各ｓＰＵＣＣＨフォーマットを用いてＵＣＩやＨＡＲＱ−ＡＣＫを送信するかは、ある上位層パラメータに基づいて設定されてもよい。
【０１２２】
ＰＵＳＣＨ、および／または、ｓＰＵＳＣＨは、上りリンクデータ（Ｕｐｌｉｎｋ−Ｓｈａｒｅｄ  Ｃｈａｎｎｅｌ：ＵＬ−ＳＣＨ）を送信するために用いられる。以下、ＰＵＳＣＨは、ｓＰＵＳＣＨを含んでもよい。また、ＰＵＳＣＨは、上りリンクデータと共にＨＡＲＱ−ＡＣＫおよび／またはＣＳＩを送信するために用いられてもよい。また、ＰＵＳＣＨは、ＣＳＩのみ、または、ＨＡＲＱ−ＡＣＫおよびＣＳＩのみを送信するために用いられてもよい。すなわち、ＰＵＳＣＨは、ＵＣＩのみを送信するために用いられてもよい。
【０１２３】
ここで、基地局装置と端末装置は、上位層において信号／情報をやり取り（送受信）してもよい。例えば、基地局装置と端末装置は、無線リソース制御（Ｒａｄｉｏ  Ｒｅｓｏｕｒｃｅ  Ｃｏｎｔｒｏｌ：ＲＲＣ）層において、ＲＲＣシグナリングを送受信してもよい。ＲＲＣシグナリングは、ＲＲＣ信号、ＲＲＣ情報、ＲＲＣメッセージと称されてもよい。また、基地局装置と端末装置は、ＭＡＣ層において、ＭＡＣコントロールエレメント（ＭＡＣ  ＣＥ）をやり取り（送受信）してもよい。ここで、ＲＲＣシグナリング、および／または、ＭＡＣコントロールエレメントを、上位層の信号とも称する。
【０１２４】
ここで、本実施形態において、「上位層のパラメータ」、「上位層のメッセージ」、「上位層シグナリング」、「上位層の信号」、「上位層の情報」、および、「上位層の情報
要素」は、同一のものであってもよい。また、「上位層のパラメータ」、「上位層のメッセージ」、「上位層の情報」、および／または、「上位層の情報要素」は、「上位層シグナリング」や「上位層の信号」で送信される「パラメータ」、「メッセージ」、「情報」、および／または、「情報要素」であってもよい。
【０１２５】
また、ＰＵＳＣＨは、ＲＲＣシグナリング、および、ＭＡＣコントロールエレメントを送信するために用いられてもよい。ここで、基地局装置から送信されるＲＲＣシグナリングは、セル内における複数の端末装置に対して共通のシグナリングであってもよい。また、基地局装置から送信されるＲＲＣシグナリングは、ある端末装置に対して専用のシグナリング（ｄｅｄｉｃａｔｅｄ  ｓｉｇｎａｌｉｎｇとも称する）であってもよい。すなわち、ユーザ装置固有の情報は、ある端末装置に対して専用のシグナリングを用いて送信されてもよい。
【０１２６】
ＰＲＡＣＨ、および／または、ｓＰＲＡＣＨは、ランダムアクセスプリアンブルを送信するために用いられる。以下、ＰＲＡＣＨは、ｓＰＲＡＣＨを含んでもよい。例えば、ＰＲＡＣＨ（または、ランダムアクセスプロシージャ）は、端末装置が、基地局装置と時間領域の同期を取ることを主な目的として用いられる。また、ＰＲＡＣＨ（または、ランダムアクセスプロシージャ）は、初期コネクション確立プロシージャ、ハンドオーバプロシージャ、コネクション再確立プロシージャ、上りリンク送信に対する同期（タイミング調整）、および、スケジューリング要求（ＰＵＳＣＨリソースの要求、ＵＬ−ＳＣＨリソースの要求）の送信のためにも用いられてもよい。
【０１２７】
ＤＭＲＳは、ＰＵＳＣＨ、ｓＰＵＳＣＨ、および／または、ＰＵＣＣＨの送信に関連する。すなわち、ＤＭＲＳは、ＰＵＳＣＨ、ｓＰＵＳＣＨ、または、ＰＵＣＣＨと時間多重されてもよい。例えば、基地局装置は、ＰＵＳＣＨ、ｓＰＵＳＣＨ、または、ＰＵＣＣＨの伝搬路補正を行なうためにＤＭＲＳを使用してもよい。ＤＭＲＳは、復調する物理チャネルの種類に応じて、時間多重の配置や多重するＤＭＲＳの数が異なってもよい。
【０１２８】
ＳＲＳは、ＰＵＳＣＨまたはＰＵＣＣＨの送信に関連しない。例えば、基地局装置は、上りリンクのチャネル状態または送信タイミングを測定するためにＳＲＳを使用してもよい。ＳＲＳには、上位層の信号によって関連するパラメータが設定された場合に送信するトリガタイプ０ＳＲＳと、上位層の信号によって関連するパラメータが設定され、且つ、上りリンクグラントに含まれるＳＲＳリクエストによって送信が要求された場合に送信するトリガタイプ１ＳＲＳがある。
【０１２９】
上述した種々の物理チャネルおよび／または物理信号のサブキャリア間隔は、物理チャネルおよび／または物理信号毎に個別に規定／設定されてもよい。また、種々の物理チャネルおよび／または物理信号の１シンボルの時間長は、物理チャネルおよび／または物理信号毎に個別に規定／設定されてもよい。つまり、種々の物理チャネルおよび／または物理信号のＴＴＩ長は、物理チャネルおよび／または物理信号毎に個別に規定／設定されてもよい。
【０１３０】
本実施形態では、複数のセル（セルに対応するコンポーネントキャリア）を用いて通信を行なうＣＡ（Ｃａｒｒｉｅｒ  Ａｇｇｒｅｇａｔｉｏｎ）が行なわれてもよい。ＣＡでは、初期アクセスやＲＲＣ接続を確立するセルをプライマリセル（ＰＣｅｌｌ）、プライマリセルを用いて追加／変更／削除／アクティベーション・デアクティベーションされるセカンダリセルがある。セカンダリセルに関する設定は、プライマリセルからの上位層シグナリングを介して、端末装置に送信されてもよい。
【０１３１】
本実施形態では、複数のセル（セルに対応するコンポーネントキャリア）を用いて通信
を行なうＤＣ（Ｄｕａｌ  Ｃｏｎｎｅｃｔｉｖｉｔｙ）が行なわれてもよい。ＤＣでは、２つの基地局装置（ＭｅＮＢ（Ｍａｓｔｅｒ  ｅＮＢ）、ＳｅＮＢ（Ｓｅｃｏｎｄａｒｙ
ｅＮＢ））のそれぞれに属しているセルでグループを構成する。ＭｅＮＢに属し、プライマリセルを含むセルグループをＭＣＧ（Ｍａｓｔｅｒ  Ｃｅｌｌ  Ｇｒｏｕｐ）とし、ＳｅＮＢに属し、プライマリセカンダリセル（ＰＳＣｅｌｌ）を含むセルグループをＳＣＧ（Ｓｅｃｏｎｄａｒｙ  Ｃｅｌｌ  Ｇｒｏｕｐ）と規定している。プライマリセカンダリセルは、複数のセルグループが設定された場合の、プライマリセルを含まないセルグループ、つまり、ＳＣＧにおいて、プライマリセルと同様の機能を有するセル（セカンダリセル、プライマリセル以外のサービングセル）のことである。
【０１３２】
プライマリセルとプライマリセカンダリセルは、各ＣＧにおけるプライマリセルの役割を担っている。ここで、プライマリセルとは、ＰＵＣＣＨおよび／またはＰＵＣＣＨに相当する制御チャネル、つまり、ＵＣＩの送信が可能な物理チャネルの送信および／または割り当て可能なセルのことであってもよいし、初期アクセス手順／ＲＲＣ接続手順／初期コネクション確立手順に関連するセルであってもよいし、Ｌ１シグナリングでのランダムアクセス手順に関するトリガをかけることのできるセルであってもよいし、無線リンクをモニタリングするセルであってもよいし、セミパーシステントスケジューリングがサポートされるセルであってもよいし、ＲＬＦを検出／判定するセルであってもよいし、常にアクティベーションであるセルであってもよい。なお、本実施形態では、プライマリセルおよび／またはプライマリセカンダリセルの機能を有しているセルのことをスペシャルセルと呼称する場合がある。ＬＲ（Ｌａｔｅｎｃｙ  Ｒｅｄｕｃｔｉｏｎ）セルに対して、プライマリセル／プライマリセカンダリセル／セカンダリセルはＬＴＥと同様に規定されてもよい。以降では、ＰＣｅｌｌと記載した箇所は、ＰＳＣｅｌｌを含んでもよい。ＬＲセルは、ｓＴＴＩを用いて通信を行なうことのできるセルであってもよいし、処理時間が従来よりも短縮された物理チャネル／物理信号を用いて通信を行なうセルであってもよい。
【０１３３】
本実施形態において、時間領域は、時間長やシンボルの数で表されてもよい。また、周波数領域は、帯域幅やサブキャリアの数や、周波数方向のリソースエレメントの数、リソースブロック数で表されてもよい。
【０１３４】
ＬＲセルでは、サブフレームのタイプや上位層の設定情報、Ｌ１シグナリング（つまり、ＰＤＣＣＨを用いたシグナリング）に含まれる制御情報に基づいて、ＴＴＩのサイズが変更可能であってもよい。
【０１３５】
ＬＲセルでは、グラント（上りリンクグラントおよび／または下りリンクグラント）が不要なアクセスが可能であってもよい。なお、グラントが不要なアクセスとは、ＰＤＳＣＨやＰＵＳＣＨ（下りリンクや上りリンクの共用チャネル／データチャネル）のスケジュールを指示する制御情報（ＤＣＩフォーマット、下りリンクグラント、上りリンクグラント）を用いないアクセスのことである。つまり、ＬＲセルでは、ＰＤＣＣＨ（下りリンクの制御チャネル）を用いた、ダイナミックなリソース割り当てや送信指示を行なわないアクセス方式が適用されてもよい。
【０１３６】
ＬＲセルでは、端末装置は、端末装置の機能（性能、能力）および基地局装置からの設定に基づいて、下りリンクリソース（信号、チャネル）に対応するＨＡＲＱ−ＡＣＫおよび／またはＣＳＩフィードバックを、同じサブフレームにマップされた上りリンクリソース（信号、チャネル）を用いて行なってもよい。なお、このサブフレームにおいて、あるサブフレームにおけるＣＳＩの測定結果に対するＣＳＩに関する参照リソースは、同じサブフレームのＣＲＳまたはＣＳＩ−ＲＳであってもよい。このようなサブフレームは、自己完結型のサブフレームと呼称されてもよい。
【０１３７】
なお、自己完結型のサブフレームは、連続する１つよりも多いサブフレームで構成されてもよい。つまり、自己完結型のサブフレームは、複数のサブフレームで構成されてもよいし、複数のサブフレームで構成される１つの送信バーストであってもよい。自己完結型のサブフレームを構成する最後尾のサブフレーム（最後尾を含む後方のサブフレーム）は、上りリンクサブフレームかスペシャルサブフレームであることが好ましい。つまり、この最後尾のサブフレームにおいて、上りリンク信号／上りリンクチャネルが送信されることが好ましい。
【０１３８】
自己完結型のサブフレームが、複数の下りリンクサブフレームと１つの上りリンクサブフレームまたはスペシャルサブフレームで構成される場合、その複数の下りリンクサブフレームのそれぞれに対するＨＡＲＱ−ＡＣＫは、その１つの上りリンクサブフレームまたはスペシャルサブフレームのＵｐＰＴＳで送信されてもよい。
【０１３９】
端末装置および基地局装置を含む通信装置は、信号を受信（復調・復号）できたか否かに基づいて、その信号に対するＡＣＫまたはＮＡＣＫを決定し、その情報をフィードバックしてもよい。ＡＣＫは、該通信装置において、信号を受信できたことを示し、ＮＡＣＫは、該通信装置において、信号を受信できなかったことを示す。ＮＡＣＫがフィードバックされた該通信装置は、ＮＡＣＫである信号の再送信を行なってもよい。端末装置は、基地局装置から送信された、ＰＵＳＣＨに対するＨＡＲＱ−ＡＣＫの内容に基づいて、ＰＵＳＣＨを再送信するか否かを決定する。基地局装置は、端末装置から送信された、ＰＤＳＣＨまたはＰＤＣＣＨ／ＥＰＤＣＣＨに対するＨＡＲＱ−ＡＣＫの内容に基づいて、ＰＤＳＣＨを再送信するか否かを決定する。端末装置が送信したＰＵＳＣＨに対するＡＣＫ／ＮＡＣＫは、ＰＤＣＣＨまたはＰＨＩＣＨを用いて端末装置にフィードバックされる。基地局装置が送信したＰＤＳＣＨまたはＰＤＣＣＨ／ＥＰＤＣＣＨに対するＡＣＫ／ＮＡＣＫは、ＰＵＣＣＨまたはＰＵＳＣＨを用いて基地局装置にフィードバックされる。
【０１４０】
なお、本実施形態において、サブフレームは、基地局装置および／または端末装置の送信単位および／または受信単位を示している。
【０１４１】
基地局装置は、ＣＣＣＨ（Ｃｏｍｍｏｎ  Ｃｏｎｔｒｏｌ  Ｃｈａｎｎｅｌ）に対するＬＣＩＤ（Ｌｏｇｉｃａｌ  Ｃｈａｎｎｅｌ  ＩＤ）と端末装置の能力情報（性能情報、機能情報）に基づいて端末装置がＬＲ（Ｌａｔｅｎｃｙ  Ｒｅｄｕｃｔｉｏｎ）デバイスおよび／またはｓＴＴＩデバイスであることを決定してもよい。
【０１４２】
端末装置および／または基地局装置が、ＬＲに関する能力をサポートしている場合、受信信号および／または送信信号に用いられるＴＴＩの長さ（シンボル数）に基づいて、処理時間（処理遅延、レイテンシー）が決定されてもよい。つまり、ＬＲに関する能力をサポートしている端末装置および／または基地局装置の処理時間は、受信信号および／または送信信号に対するＴＴＩ長に基づいて可変であってもよい。
【０１４３】
ＬＲに関する能力情報は、端末装置がサポートしている、ｓＴＴＩに含まれる、シンボルの数またはシンボルの最小数を示す情報であってもよい。また、ＬＲに関する能力情報は、端末装置がｓＴＴＩに含まれる所定のシンボルの数をサポートしているかどうかを示す情報であってもよい。また、ＬＲに関する能力情報は、端末装置が処理時間の短縮をサポートしているかどうかを示す情報であってもよい。また、ＬＲに関する能力情報は、ｓＴＴＩオペレーション時にどの程度処理時間を短縮できるかを示す情報であってもよい。つまり、ＬＲに関する能力情報は、処理時間の短縮の幅または最小値／最大値を示す情報であってもよい。また、ＬＲに関する能力情報は、下りリンクと上りリンクそれぞれに対して規定されてもよい。
【０１４４】
Ｓ１シグナリングがページングに対する端末無線能力情報を含んで拡張している。このページング固有の能力情報が基地局装置によってＭＭＥ（Ｍｏｂｉｌｉｔｙ  Ｍａｎａｇｅｍｅｎｔ  Ｅｎｔｉｔｙ）に提供されると、ＭＭＥからのページング要求が、ｓＴＴＩオペレーションが可能な端末装置に関する情報を基地局装置に指示するために、ＭＭＥはこの情報を用いられてもよい。識別子は、ＩＤ（Ｉｄｅｎｔｉｔｙ、Ｉｄｅｎｔｉｆｉｅｒ）と称されてもよい。
【０１４５】
端末装置の能力情報（ＵＥ  ｒａｄｉｏ  ａｃｃｅｓｓ  ｃａｐａｂｉｌｉｔｙ、ＵＥ
ＥＵＴＲＡ  ｃａｐａｂｉｌｉｔｙ）は、基地局装置（ＥＵＴＲＡＮ）が端末装置の能力情報が必要な時、接続モードの端末装置（つまり、ＲＲＣ接続が確立している端末装置）に対する手順を開始する。基地局装置は、端末装置の能力情報を問い合わせる。端末装置は、その問い合わせに応じて端末装置の能力情報を送信する。基地局装置は、その能力情報に対応しているか否かを判断し、対応している場合には、その能力情報に対応した設定情報を、上位層シグナリングなどを用いて端末装置へ送信する。端末装置は、能力情報に対応する設定情報が設定されたことによって、その能力に基づく送受信が可能であると判断する。
【０１４６】
物理チャネルおよび／または物理信号の設定に関するパラメータは上位層パラメータとして上位層シグナリングを介して端末装置に設定されてもよい。また、一部の物理チャネルおよび／または物理信号の設定に関するパラメータは、ＤＣＩフォーマットやグラントなど、Ｌ１シグナリング（物理層シグナリング、例えば、ＰＤＣＣＨ／ＥＰＤＣＣＨ）を介して端末装置に設定されてもよい。また、物理チャネルおよび／または物理信号の設定に関するパラメータはデフォルトの設定またはデフォルト値が端末装置に予め設定されてもよい。また、端末装置は、上位層シグナリングを用いて、それらの設定に関するパラメータが通知されると、デフォルト値を更新してもよい。また、対応する設定に応じて、その設定を通知するために用いられる上位層シグナリング／メッセージの種類は異なってもよい。例えば、上位層シグナリング／メッセージは、ＲＲＣメッセージや報知情報、システムインフォメーションなどが含まれてもよい。
【０１４７】
基地局装置は、ＬＡＡ周波数において、ＤＳを送信する場合、ＤＳオケージョン内にデータ情報および／または制御情報をマップしてもよい。そのデータ情報および／または制御情報には、ＬＡＡセルに関する情報が含まれてもよい。例えば、そのデータ情報および／または制御情報には、ＬＡＡセルが属する周波数、セルＩＤ、負荷や混雑状況、干渉／送信電力、チャネルの専有時間や送信データに関するバッファの状況が含まれてもよい。
【０１４８】
ＬＡＡ周波数において、ＤＳが測定される場合、ＤＳに含まれる各信号に用いられるリソースは拡張されてもよい。例えば、ＣＲＳは、アンテナポート０だけでなく、アンテナポート２や３などに対応するリソースが用いられてもよい。また、ＣＳＩ−ＲＳも、アンテナポート１５だけでなく、アンテナポート１６や１７などに対応するリソースが用いられてもよい。
【０１４９】
ＬＲセルにおいて、上位層の信号（ＲＲＣシグナリング）またはシステムインフォメーションを用いて、端末装置にＤＳに関するリソースが設定された場合、Ｌ１シグナリング（ＰＤＣＣＨやＤＣＩフォーマットに含まれる、あるフィールドに相当する制御情報）やＬ２シグナリング（ＭＡＣ  ＣＥに相当する制御情報）、つまり、下位層の信号（ＲＲＣ層より下の層の信号）を用いて、端末装置は、ＤＳを受信するか否かをダイナミックに指示されてもよい。
【０１５０】
ＬＲセルにおいて、復調／復号用のＲＳとＣＳＩ測定用のＲＳは、共通のリソースであってもよいし、個別に規定される場合は異なるリソースであってもよい。
【０１５１】
次に、本実施形態に係るセルサーチについて説明する。
【０１５２】
ＬＴＥにおいて、セルサーチは、端末装置があるセルの時間周波数同期を行ない、且つ、そのセルのセルＩＤを検出するための手順である。ＥＵＴＲＡセルサーチは、７２サブキャリア以上に対応する拡大縮小可能な全送信帯域幅をサポートする。ＥＵＴＲＡセルサーチは下りリンクにおいて、ＰＳＳとＳＳＳに基づいて行なわれる。ＰＳＳとＳＳＳは各無線フレームの第１のサブフレームと第６のサブフレームの帯域幅の中心の７２サブキャリアを用いて送信される。隣接のセルサーチは初期セルサーチとして同じ下りリンク信号に基づいて行なわれる。
【０１５３】
ＬＲにおいて、スタンドアロン型で通信が行なわれる場合には、上記と同様のセルサーチが行なわれてもよい。
【０１５４】
次に、本実施形態に係る物理層の測定について説明する。
【０１５５】
ＬＴＥにおいて、物理層の測定は、イントラ周波数およびインター周波数のＥＵＴＲＡＮ内の測定（ＲＳＲＰ／ＲＳＲＱ）と、端末装置の受信送信の時間差、端末装置のポジショニングに用いられる参照信号時間差に関する測定（ＲＳＴＤ）と、ＲＡＴ間（ＥＵＴＲＡＮ−ＧＥＲＡＮ／ＵＴＲＡＮ）に関する測定と、システム間（ＥＵＴＲＡＮ−非３ＧＰＰ  ＲＡＴ）に関する測定などがある。なお、物理層の測定は、モビリティをサポートするために行なわれる。また、ＥＵＴＲＡＮ測定には、アイドルモードの端末装置によって行なわれる測定や接続モードの端末装置によって行なわれる測定がある。端末装置は、適切な測定ギャップにおいてＥＵＴＲＡＮ測定を行ない、ＥＵＴＲＡＮ測定をしたセルに同期している。なお、これらの測定は、端末装置で行なわれるため、端末装置の測定と称されてもよい。
【０１５６】
端末装置は、ＥＵＴＲＡＮ内の測定に対して、少なくとも２つの物理量（ＲＳＲＰ、ＲＳＲＱ）がサポートされてもよい。さらに、端末装置は、ＲＳＳＩに関する物理量がサポートされてもよい。端末装置は、上位層パラメータとして設定された物理量に関するパラメータに基づいて対応する測定を行なってもよい。
【０１５７】
物理層の測定は、モビリティをサポートするために行なわれる。例えば、イントラ周波数およびインター周波数のＥＵＴＲＡＮ内の測定（ＲＳＲＰ／ＲＳＲＱ）と、端末装置の受信と送信間の時間差、端末装置のポジショニングに用いられる参照信号時間差に関する測定（ＲＳＴＤ）と、インターＲＡＴ（ＥＵＴＲＡＮ−ＧＥＲＡＮ／ＵＴＲＡＮ）に関する測定と、システム間（ＥＵＴＲＡＮ−非３ＧＰＰ  ＲＡＴ）に関する測定などがある。例えば、物理層の測定は、イントラおよびインター周波数ハンドオーバに対する測定やインターＲＡＴハンドオーバに対する測定、タイミング測定、ＲＲＭに対する測定、ポジショニングがサポートされていればポジショニングに関する測定が含まれる。なお、インターＲＡＴハンドオーバに対する測定は、ＧＳＭ（登録商標），ＵＴＲＡ  ＦＤＤ，ＵＴＲＡ  ＴＤＤ，ＣＤＭＡ２０００，１ｘＲＴＴ，ＣＤＭＡ２０００  ＨＲＰＤ，ＩＥＥＥ８０２．１１へのハンドオーバのサポートにおいて定義されている。また、ＥＵＴＲＡＮ測定は、モビリティをサポートするために用いられる。また、ＥＵＴＲＡＮ測定には、アイドルモードの端末装置によって行なわれる測定や接続モードの端末装置によって行なわれる測定がある。例えば、イントラおよびインター周波数のそれぞれに対して、端末装置がアイドルモードと接続モードのどちらのモードであっても、ＲＳＲＰやＲＳＲＱは測定されてもよい。端末装置は、適切な測定ギャップにおいてＥＵＴＲＡＮ測定を行ない、ＥＵＴＲＡＮ測定をしたセルに同期している。
【０１５８】
物理層の測定は、無線特性が端末装置および基地局装置によって測定され、ネットワークの上位層に報告されることを含んでいる。
【０１５９】
次に、本実施形態に係るＤＣＩフォーマットの詳細について説明する。
【０１６０】
ＤＣＩフォーマットは、送信されるＤＣＩの構成、組み合わせや用途に応じて規定されてもよい。
【０１６１】
ＤＣＩフォーマット０は、１つの上りリンクセル（つまり、サービングセル）におけるＰＵＳＣＨのスケジューリングに対して用いられる。
【０１６２】
ＤＣＩフォーマット０Ａは、１つのＬＡＡセカンダリセルにおけるＰＵＳＣＨのスケジューリングに対して用いられる。
【０１６３】
ＤＣＩフォーマット０Ｂは、１つのＬＡＡセカンダリセルにおける複数のサブフレームのそれぞれにおけるＰＵＳＣＨのスケジューリングに対して用いられる。
【０１６４】
ＤＣＩフォーマット１は、１つのセルにおける１つＰＤＳＣＨコードワードのスケジューリングに対して用いられる。
【０１６５】
ＤＣＩフォーマット１Ａは、１つのセルにおける１つのＰＤＳＣＨコードワードのコンパクトスケジューリングおよび／またはＰＤＣＣＨオーダーによって開始されるランダムアクセス手順に対して用いられる。ＰＤＣＣＨオーダーに対応するＤＣＩはＰＤＣＣＨまたはＥＰＤＣＣＨによって伝送されてもよい。
【０１６６】
ＤＣＩフォーマット１Ｂは、プレコーディング情報を伴う、１つのセルにおける１つのＰＤＳＣＨコードワードのコンパクトスケジューリングに対して用いられる。
【０１６７】
ＤＣＩフォーマット１Ｃは、１つのＰＤＳＣＨコードワードの非常にコンパクトなスケジューリング、ＭＣＣＨ変更通知、ＳＣ−ＭＣＣＨ変更通知、ＴＤＤ再設定（ＴＤＤ  ＵＬ／ＤＬ設定の再設定）、ＬＡＡ共有情報に対して用いられる。
【０１６８】
ＤＣＩフォーマット１Ｄは、プレコーディングおよび電力オフセット情報を伴う、１つのセルにおける１つのＰＤＳＣＨコードワードの非常にコンパクトなスケジューリングに対して用いられる。
【０１６９】
ＤＣＩフォーマット２／２Ａ／２Ｂ／２Ｃ／２Ｄは、下りリンク送信に関連するＤＣＩフォーマットである。
【０１７０】
ＤＣＩフォーマット３は、２ビットでの電力調整を伴うＰＵＣＣＨおよび／またはＰＵＳＣＨに対するＴＰＣコマンド（つまり、４種類の電力調整／電力補正が可能なＴＰＣコマンド）の送信に対して用いられる。
【０１７１】
ＤＣＩフォーマット３Ａは、１ビットでの電力調整を伴うＰＵＣＣＨおよび／またはＰＵＳＣＨに対するＴＰＣコマンド（つまり、２種類の電力調整／電力補正が可能なＴＰＣコマンド）の送信に対して用いられる。
【０１７２】
ＤＣＩフォーマット４は、複数のアンテナポート送信モードを伴う、１つの上りリンクセルにおけるＰＵＳＣＨのスケジューリングに対して用いられる。
【０１７３】
ＤＣＩフォーマット４Ａは、複数のアンテナポート送信モードを伴う、１つのＬＡＡセルにおけるＰＵＳＣＨのスケジューリングに対して用いられる。
【０１７４】
ＤＣＩフォーマット４Ｂは、１つのＬＡＡセルの複数のサブフレームのそれぞれにおける、複数のアンテナポート送信モードを伴うＰＵＳＣＨのスケジューリングに対して用いられる。
【０１７５】
ここで、ｓＴＴＩの送信に対して用いられる種々のＤＣＩフォーマットを、ＤＣＩフォーマットＸ／Ｙ／Ｚとする。
【０１７６】
ＤＣＩフォーマットＸは、１つのセル（１つのＬＲセル）におけるｓＰＵＳＣＨのスケジューリングに用いられる。
【０１７７】
ＤＣＩフォーマットＹは、１つのセル（１つのＬＲセル）におけるｓＰＤＳＣＨのスケジューリングに用いられる。
【０１７８】
ＤＣＩフォーマットＸおよびＤＣＩフォーマットＹに対するフォーマットサイズまたはペイロードサイズは、同じサイズであってもよい。その際、ブラインド検出の数を低減するために、ＤＣＩフォーマットＸおよびＤＣＩフォーマットＹは、１つのフィールドに基づいて切り替えられてもよい。
【０１７９】
ＤＣＩフォーマットＺは、所定のビットの電力調整を伴うｓＰＵＣＣＨおよび／またはｓＰＵＳＣＨに対するＴＰＣコマンド（つまり、所定のビットに対応する種類の電力調整／電力補正が可能なＴＰＣコマンド）の送信に対して用いられる。
【０１８０】
ＤＣＩフォーマット０／４／３／３Ａにおいて、ｓＰＵＳＣＨに対するＴＰＣコマンドが含まれる場合、ｓＰＵＳＣＨに対するＴＰＣコマンドを構成するビット数は、ＰＵＳＣＨに対するＴＰＣコマンドを構成するビット数よりも多くてもよい。つまり、ｓＰＵＳＣＨに対するＴＰＣコマンドによって得られる補正値は、ＰＵＳＣＨに対するＴＰＣコマンドによって得られる補正値よりも、大きい値が設定可能であってもよい。また、ｓＰＵＳＣＨに対するＴＰＣコマンドによって得られる補正値は、ＰＵＳＣＨに対するＴＰＣコマンドによって得られる補正値よりも、小さい値が設定可能であってもよい。つまり、ｓＰＵＳＣＨに対するＴＰＣコマンドによって得られる補正値は、ＰＵＳＣＨに対するＴＰＣコマンドによって得られる補正値よりも、広い範囲、且つ、多段階に設定可能であってもよい。
【０１８１】
ｓＰＤＳＣＨ／ｓＰＵＳＣＨのスケジューリングや電力調整に用いられるＤＣＩ／ＤＣＩフォーマットは、ｓＤＣＩ／ｓＤＣＩフォーマットと称されてもよい。
【０１８２】
ＤＣＩの送信には、基地局装置が、端末装置に割り当てたＲＮＴＩが利用されてもよい。具体的には、ＤＣＩフォーマット（下りリンク制御情報でもよい）にＣＲＣパリティビットが付加され、付加された後に、ＣＲＣパリティビットがＲＮＴＩによってスクランブルされてもよい。ここで、ＤＣＩフォーマットに付加されるＣＲＣパリティビットは、ＤＣＩフォーマットのペイロードから得られてもよい。なお、ＤＣＩ送信は、ＤＣＩフォーマットの送信やＰＤＣＣＨでの送信が含まれてもよい。
【０１８３】
ここで、本実施形態において、「ＣＲＣパリティビット」、「ＣＲＣビット」、および、「ＣＲＣ」は同一であってもよい。また、「ＣＲＣパリティビットが付加されたＤＣＩフォーマットが送信されるＰＤＣＣＨ」、「ＣＲＣパリティビットを含み、且つ、ＤＣＩフォーマットを含むＰＤＣＣＨ」、「ＣＲＣパリティビットを含むＰＤＣＣＨ」、および
、「ＤＣＩフォーマットを含むＰＤＣＣＨ」は、同一であってもよい。また、「Ｘを含むＰＤＣＣＨ」、および、「Ｘを伴うＰＤＣＣＨ」は、同一であってもよい。端末装置は、ＤＣＩフォーマットをモニタしてもよい。また、端末装置は、ＤＣＩをモニタしてもよい。また、端末装置は、ＰＤＣＣＨをモニタしてもよい。
【０１８４】
端末装置は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも称される）。すなわち、端末装置は、ＲＮＴＩによってスクランブルされたＣＲＣを伴うＰＤＣＣＨを検出してもよい。また、端末装置は、ＲＮＴＩによってスクランブルされたＣＲＣパリティビットが付加されたＤＣＩフォーマットを伴うＰＤＣＣＨを検出してもよい。つまり、ＤＣＩ送信の誤り検出のために、ＣＲＣが付加されてもよい。ＤＣＩ送信に付加されるＣＲＣは、対応するＲＮＴＩやマスクでスクランブルされてもよい。
【０１８５】
ここで、ＲＮＴＩには、Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）が含まれてもよい。例えば、Ｃ−ＲＮＴＩは、ＲＲＣ接続およびスケジューリングの識別に対して使用される、端末装置に対するユニークな（一意的な）識別子であってもよい。また、Ｃ−ＲＮＴＩは、動的にスケジュールされるユニキャスト送信のために利用されてもよい。つまり、Ｃ−ＲＮＴＩは、端末装置を識別するために用いられてもよい。
【０１８６】
また、ＲＮＴＩには、ＳＰＳ  Ｃ−ＲＮＴＩ（Ｓｅｍｉ−Ｐｅｒｓｉｓｔｅｎｔ  Ｓｃｈｅｄｕｌｉｎｇ  Ｃ−ＲＮＴＩ）が含まれてもよい。例えば、ＳＰＳ  Ｃ−ＲＮＴＩは、セミパーシステントスケジューリングに対して使用される、端末装置に対するユニークな（一意的な）識別子である。また、ＳＰＳ  Ｃ−ＲＮＴＩは、半持続的（ｓｅｍｉ−ｐｅｒｓｉｓｔｅｎｔｌｙ）にスケジュールされるユニキャスト送信のために利用されてもよい。ここで、半持続的にスケジュールされる送信とは、周期的にスケジュールされる送信の意味が含まれてもよい。
【０１８７】
また、ＲＮＴＩには、ＲＡ−ＲＮＴＩ（Ｒａｎｄｏｍ  Ａｃｃｅｓｓ−ＲＮＴＩ）が含まれてもよい。例えば、ＲＡ−ＲＮＴＩは、ランダムアクセスレスポンスメッセージの送信に対して使用される識別子であってもよい。すなわち、ＲＡ−ＲＮＴＩは、ランダムアクセスプロシージャにおいて、ランダムアクセスレスポンスメッセージの送信のために利用されてもよい。例えば、端末装置は、ランダムアクセスプリアンブルを送信した場合において、ＲＡ−ＲＮＴＩによってスクランブルされたＣＲＣを伴うＰＤＣＣＨをモニタしてもよい。また、端末装置は、ＲＡ−ＲＮＴＩによってスクランブルされたＣＲＣを伴うＰＤＣＣＨの検出に基づいて、ＰＤＳＣＨでランダムアクセスレスポンスを受信してもよい。
【０１８８】
ここで、Ｃ−ＲＮＴＩによってスクランブルされたＣＲＣを伴うＰＤＣＣＨは、ＵＳＳまたはＣＳＳにおいて送信されてもよい。また、ＳＰＳ  Ｃ−ＲＮＴＩによってスクランブルされたＣＲＣを伴うＰＤＣＣＨは、ＵＳＳまたはＣＳＳにおいて送信されてもよい。また、ＲＡ−ＲＮＴＩによってスクランブルされたＣＲＣを伴うＰＤＣＣＨは、ＣＳＳのみにおいて送信されてもよい。
【０１８９】
ＣＲＣをスクランブルするＲＮＴＩには、ＲＡ−ＲＮＴＩ、Ｃ−ＲＮＴＩ、ＳＰＳ  Ｃ−ＲＮＴＩ、テンポラリーＣ−ＲＮＴＩ、ｅＩＭＴＡ−ＲＮＴＩ、ＴＰＣ−ＰＵＣＣＨ−ＲＮＴＩ、ＴＰＣ−ＰＵＳＣＨ−ＲＮＴＩ、Ｍ−ＲＮＴＩ、Ｐ−ＲＮＴＩ、ＳＩ−ＲＮＴＩがある。
【０１９０】
ＲＡ−ＲＮＴＩ、Ｃ−ＲＮＴＩ、ＳＰＳ  Ｃ−ＲＮＴＩ、ｅＩＭＴＡ−ＲＮＴＩ、ＴＰＣ−ＰＵＣＣＨ−ＲＮＴＩ、ＴＰＣ−ＰＵＳＣＨ−ＲＮＴＩは、上位層シグナリングを介して、端末装置に設定される。
【０１９１】
Ｍ−ＲＮＴＩ、Ｐ−ＲＮＴＩ、ＳＩ−ＲＮＴＩは１つの値に対応している。例えば、Ｐ−ＲＮＴＩは、ＰＣＨおよびＰＣＣＨに対応し、ページングとシステムインフォメーションの変更を通知するために用いられる。ＳＩ−ＲＮＴＩは、ＤＬ−ＳＣＨ、ＢＣＣＨに対応し、システムインフォメーションの報知に用いられる。ＲＡ−ＲＮＴＩは、ＤＬ−ＳＣＨに対応し、ランダムアクセスレスポンスに用いられる。
【０１９２】
ＲＡ−ＲＮＴＩ、Ｃ−ＲＮＴＩ、ＳＰＳ  Ｃ−ＲＮＴＩ、テンポラリーＣ−ＲＮＴＩ、ｅＩＭＴＡ−ＲＮＴＩ、ＴＰＣ−ＰＵＣＣＨ−ＲＮＴＩ、ＴＰＣ−ＰＵＳＣＨ−ＲＮＴＩは、上位層シグナリングを用いて設定される。
【０１９３】
ＴＰＣ−ｓＰＵＣＣＨ−ＲＮＴＩおよび／またはＴＰＣ−ｓＰＵＳＣＨ−ＲＮＴＩは、ｓＴＴＩ送信を行なう端末装置に対して、上位層シグナリングを用いて設定されてもよい。
【０１９４】
Ｍ−ＲＮＴＩ、Ｐ−ＲＮＴＩ、ＳＩ−ＲＮＴＩ、ＣＣ−ＲＮＴＩは所定の値が定義されてもよい。
【０１９５】
各ＲＮＴＩによってスクランブルされたＣＲＣを伴うＰＤＣＣＨは、ＲＮＴＩの値によって、対応するトランスポートチャネルや論理チャネルが異なる場合もある。つまり、ＲＮＴＩの値によって、示される情報が異なる場合もある。
【０１９６】
１つのＳＩ−ＲＮＴＩは、すべてのＳＩメッセージと同様にＳＩＢ１にアドレスするために用いられる。
【０１９７】
ＳＩ−ＲＮＴＩは、ＤＣＩフォーマット１Ａおよび／または１Ｃにおいて、システムインフォメーションにアドレスするために用いられる。
【０１９８】
ＲＡ−ＲＮＴＩは、ＤＣＩフォーマット１Ａおよび／または１Ｃにおいて、ＰＤＣＣＨオーダーによって開始されるランダムアクセス手順に関する情報にアドレスするために用いられる。
【０１９９】
Ｐ−ＲＮＴＩは、ＤＣＩフォーマット１Ａおよび／または１Ｃにおいて、ページング情報にアドレスするために用いられる。
【０２００】
Ｍ−ＲＮＴＩは、マルチキャスト情報にアドレスするために用いられる。
【０２０１】
ＴＰＣ−ＰＵＳＣＨ−ＲＮＴＩは、ＤＣＩフォーマット３／３Ａにおいて、ＰＵＳＣＨに対するＴＰＣコマンドに関する情報にアドレスするために用いられる。
【０２０２】
ＴＰＣ−ＰＵＣＣＨ−ＲＮＴＩは、ＤＣＩフォーマット３／３Ａにおいて、ＰＵＣＣＨに対するＴＰＣコマンドに関する情報にアドレスするために用いられる。
【０２０３】
ＴＰＣ−ｓＰＵＳＣＨ−ＲＮＴＩは、ＤＣＩフォーマット３／３Ａ／Ｚにおいて、ｓＰＵＳＣＨに対するＴＰＣコマンドに関する情報にアドレスするために用いられる。
【０２０４】
ＴＰＣ−ｓＰＵＣＣＨ−ＲＮＴＩは、ＤＣＩフォーマット３／３Ａ／Ｚにおいて、ｓＰ
ＵＣＣＨに対するＴＰＣコマンドに関する情報にアドレスするために用いられる。
【０２０５】
ＣＣ−ＲＮＴＩは、ＤＣＩフォーマット１Ｃにおいて、ＬＡＡ共有情報にアドレスするために用いられる。
【０２０６】
ここで、下りリンク送信（例えば、ＰＤＳＣＨおよび／またはｓＰＤＳＣＨの送信）に関連するＤＣＩフォーマットは下りリンクグラント、または、下りリンクアサインメントと称されてもよい。また、上りリンク送信（例えば、ＰＵＳＣＨおよび／またはｓＰＵＳＣＨおよび／またはＳＲＳの送信）に関連するＤＣＩフォーマットは上りリンクグラント、および／または、上りリンクアサインメントと称されてもよい。下りリンクグラントはＤＬグラント、上りリンクグラントはＵＬグラントと称されてもよい。
【０２０７】
本実施形態において、ＰＵＳＣＨの送信／スケジューリングに関連するＤＣＩフォーマット／上りリンクグラントを第１の上りリンクグラント、ｓＰＵＳＣＨの送信／スケジューリングに関連するＤＣＩフォーマット／上りリンクグラントを第２の上りリンクグラントと称する。
【０２０８】
例えば、第１の上りリンクグラントには、キャリアインディケータフィールド（ＣＩＦ）が含まれてもよい。また、第１の上りリンクグラントには、スケジュールされるＰＵＳＣＨに対するＴＰＣコマンドに関する情報が含まれてもよい。また、第１の上りリンクグラントには、ＤＭＲＳ（ＰＵＳＣＨの送信に関連するＤＭＲＳ）に対するサイクリックシフトに関する情報が含まれてもよい。また、第１の上りリンクグラントには、ＭＣＳ（ｍｏｄｕｌａｔｉｏｎ  ａｎｄ  ｃｏｄｉｎｇ  ｓｃｈｅｍｅ）に関する情報、および／または、リダンダンシーバージョンに関する情報が含まれてもよい。また、第１の上りリンクグラントには、リソースブロック割り当てに関する情報、および／または、ホッピングリソース割り当てに関する情報が含まれてもよい。また、第１の上りリンクグラントには、ＣＳＩの送信をリクエストするために用いられる情報（ＣＳＩリクエスト）が含まれてもよい。また、第１の上りリンクグラントには、ＳＲＳの送信をリクエストするために用いられる情報（ＳＲＳリクエスト）が含まれてもよい。
【０２０９】
ここで、上りリンクグラントは、複数の端末装置に対して共通なＤＣＩ、および／または、ある１つの端末装置に対して専用のＤＣＩとして定義されてもよい。すなわち、上りリンクグラントは、ＣＳＳ、および／または、ＵＳＳ、および／または、ＵＥＧ−ＳＳにおいて送信されてもよい。また、上りリンクグラントは、ＰＤＣＣＨ、および／または、ＥＰＤＣＣＨで送信されてもよい。また、上りリンクグラントに付加されるＣＲＣパリティビットが、所定のＲＮＴＩまたは所定の値のＲＮＴＩによってスクランブルされてもよい。
【０２１０】
また、上りリンクグラントは、ある１つのサブフレームに対する設定を規定するために用いられてもよい。すなわち、上りリンクグラントは、ある１つのサブフレームにおいて共通に用いられる設定を指示するために用いられてもよい。すなわち、上りリンクグラントを用いて指示される設定は、１つのサブフレーム毎に対して有効であってもよい。すなわち、上りリンクグラントは、サブフレームスペシフィックの上りリンクグラントであってもよい。すなわち、端末装置は、上りリンクグラントを用いてＰＵＳＣＨがスケジュールされた場合には、あるサブフレームにおいて（あるサブフレーム全てを用いて）、スケジュールされたＰＵＳＣＨまたはｓＰＵＳＣＨでの送信を行なってもよい。
【０２１１】
また、上りリンクグラントとして、少なくとも、ＰＵＳＣＨ、ｓＰＵＳＣＨ、および／または、ｓＰＤＣＣＨに対する周波数リソースの割り当てに関連する情報（例えば、ＰＵＳＣＨ、ｓＰＵＳＣＨ、および／または、ｓＰＤＣＣＨに対する物理リソースブロックの
割り当てに関連する情報）が含まれるＤＣＩフォーマットが定義されてもよい。このようなＤＣＩフォーマットは、第２の上りリンクグラントと称されてもよい。第２の上りリンクグラントは、少なくとも、ＰＵＳＣＨ、ｓＰＵＳＣＨ、および／または、ｓＰＤＣＣＨのスケジューリングに用いられてもよい。
【０２１２】
例えば、第２の上りリンクグラントには、スケジュールされるＰＵＳＣＨ、スケジュールされるｓＰＵＳＣＨ、および／または、スケジュールされるｓＰＤＣＣＨに対する帯域幅に関連する情報が含まれてもよい。すなわち、第２の上りリンクグラントには、ＰＵＳＣＨでの送信、ｓＰＵＳＣＨでの送信、および／または、ｓＰＤＣＣＨでの送信に対する、スケジュールされる帯域幅に関連する情報が含まれてもよい。
【０２１３】
例えば、第２の上りリンクグラントには、スケジュールされるＰＵＳＣＨ、スケジュールされるｓＰＵＳＣＨ、および／または、スケジュールされるｓＰＤＣＣＨに対する物理リソースブロックの開始位置（および／または、終了位置、例えば、開始位置からの長さやリソースブロック数）に関連する情報が含まれてもよい。また、第２の上りリンクグラントには、スケジュールされるＰＵＳＣＨ、スケジュールされるｓＰＵＳＣＨ、スケジュールされるｓＰＤＣＣＨに対する物理リソースブロックを指示するための情報が含まれてもよい。
【０２１４】
ここで、第２の上りリンクグラントには、ＣＩＦが含まれてもよい。また、第２の上りリンクグラントには、スケジュールされるＰＵＳＣＨに対するＴＰＣコマンドに関する情報が含まれてもよい。また、第２の上りリンクグラントには、スケジュールされるｓＰＵＳＣＨに対するＴＰＣコマンドに関する情報が含まれてもよい。また、第２の上りリンクグラントには、ＤＭＲＳ（ＰＵＳＣＨ、および／または、ｓＰＵＳＣＨの送信に関連するＤＭＲＳ）に対するサイクリックシフトに関する情報が含まれてもよい。また、第２の上りリンクグラントには、ＭＣＳに関する情報、および／または、リダンダンシーバージョンに関する情報が含まれてもよい。また、第２の上りリンクグラントには、リソースブロック割り当てに関する情報、および／または、ホッピングリソース割り当てに関する情報が含まれてもよい。また、第２の上りリンクグラントには、ＣＳＩリクエストが含まれてもよい。また、第２の上りリンクグラントには、ＳＲＳリクエストが含まれてもよい。
【０２１５】
ここで、第２の上りリンクグラントを用いて送信される情報（一部、または、全ての情報）は、上位層の信号（例えば、ＭＡＣ層における信号、および／または、ＲＲＣ層における信号）を用いて送信されてもよい。以下、第２の上りリンクグラントを用いて、上述したような下りリンク制御情報が送信されることを記載するが、第２の上りリンクグラントを用いて送信される下りリンク制御情報は、上位層の信号を用いて送信されてもよい。
【０２１６】
ここで、第２の上りリンクグラントは、複数の端末装置に対して共通なＤＣＩまたは上りリンクグラントとして定義されてもよい。すなわち、第２の上りリンクグラントは、ＣＳＳまたはＵＥＧ−ＳＳにおいて送信されてもよい。また、第２の上りリンクグラントは、ＰＤＣＣＨ、および／または、ＥＰＤＣＣＨのみで送信されてもよい。つまり、第２の上りリンクグラントは、特定の物理チャネルの特定のサーチスペースにおいて、送信されてもよい。
【０２１７】
また、第２の上りリンクグラントに付加されるＣＲＣパリティビットは、特定のＲＮＴＩによってスクランブルされてもよい。例えば、特定のＲＮＴＩとは、Ｃ−ＲＮＴＩとは個別に設定されるＲＮＴＩであってもよい。また、特定のＲＮＴＩとは、上位層パラメータとして設定されるＲＮＴＩであってもよい。ここで、第２の上りリンクグラントに付加されるＣＲＣパリティビットは、第１のＵＬ−ＲＮＴＩによってスクランブルされてもよい。また、第２の上りリンクグラントが送信されるサーチスペースは、少なくとも、第１
のＵＬ−ＲＮＴＩによって与えられてもよい。
【０２１８】
また、第２の上りリンクグラントは、ある１つのサブフレームに対する設定を規定するために用いられてもよい。すなわち、第２の上りリンクグラントは、ある１つのサブフレームにおいて共通に用いられる設定を指示するために用いられてもよい。すなわち、第２の上りリンクグラントを用いて指示される設定は、１つまたは複数のサブフレーム毎に対して有効であってもよい。すなわち、第２の上りリンクグラントは、サブフレームスペシフィックの上りリンクグラントであってもよい。すなわち、端末装置は、第２の上りリンクグラントを用いてＰＵＳＣＨがスケジュールされた場合には、あるサブフレームにおいて（または、あるサブフレーム全てを用いて）、スケジュールされたＰＵＳＣＨでの送信を行なってもよい。
【０２１９】
また、上りリンクグラントとして、少なくとも、ＰＵＳＣＨ、および／または、ｓＰＵＳＣＨに対する時間リソースの割り当てに関する情報が含まれるＤＣＩフォーマットが定義されてもよい。このようなＤＣＩフォーマットは、第３の上りリンクグラントと称されてもよい。例えば、第３の上りリンクグラントには、ＰＵＳＣＨ、および／または、ｓＰＵＳＣＨでの送信に対する送信時間間隔（ＴＴＩ）の割り当てに関連する情報が含まれてもよい。なお、ＴＴＩの時間長に関する情報は、送信に用いられるシンボルの数を示す譲歩であってもよい。すなわち、第３の上りリンクグラントは、少なくとも、ＰＵＳＣＨ、および／または、ｓＰＵＳＣＨのスケジューリングに用いられてもよい。
【０２２０】
例えば、第３の上りリンクグラントには、スケジュールされるＰＵＳＣＨ、および／または、スケジュールされるｓＰＵＳＣＨに対するＴＴＩの長さに関連する情報が含まれてもよい。また、第３の上りリンクグラントには、スケジュールされるＰＵＳＣＨと共に送信されるＤＭＲＳの位置に関連する情報が含まれてもよい。また、第３の上りリンクグラントには、スケジュールされるｓＰＵＳＣＨと共に送信されるＤＭＲＳの位置に関連する情報が含まれてもよい。
【０２２１】
また、第３の上りリンクグラントには、スケジュールされるＰＵＳＣＨと共に送信されるＤＭＲＳに関する情報（例えば、ＤＭＲＳのサイクリックシフトに関する情報）が含まれてもよい。また、第３の上りリンクグラントには、スケジュールされるｓＰＵＳＣＨと共に送信されるＤＭＲＳに関する情報（例えば、ＤＭＲＳのサイクリックシフトに関する情報）が含まれてもよい。また、第３の上りリンクグラントには、第３の上りリンクグラントの受信（検出）に基づく、ＰＵＳＣＨでの送信および／またはｓＰＵＳＣＨでの送信に対する遅延または時間オフセットに関する情報が含まれてもよい。
【０２２２】
ここで、第３の上りリンクグラントには、ＣＩＦが含まれてもよい。また、第３の上りリンクグラントには、スケジュールされるＰＵＳＣＨに対するＴＰＣコマンドに関する情報が含まれてもよい。また、第３の上りリンクグラントには、スケジュールされるｓＰＵＳＣＨに対するＴＰＣコマンドに関する情報が含まれてもよい。また、第３の上りリンクグラントには、ＤＭＲＳ（つまり、ＰＵＳＣＨ、および／または、ｓＰＵＳＣＨの送信に関連するＤＭＲＳ）に対するサイクリックシフトに関する情報が含まれてもよい。また、第３の上りリンクグラントには、ＭＣＳに関する情報、および／または、リダンダンシーバージョンに関する情報が含まれてもよい。また、第３のＵＬグラントには、リソースブロック割り当てに関する情報、および／または、ホッピングリソース割り当てに関する情報が含まれてもよい。また、第３の上りリンクグラントには、ＣＳＩリクエストが含まれてもよい。また、第３の上りリンクグラントには、ＳＲＳリクエストが含まれてもよい。また、第３の上りリンクグラントには、ＴＴＩインデックスに関する情報が含まれてもよい。
【０２２３】
ここで、第３の上りリンクグラントは、ある１つの端末装置に対して専用のＤＣＩとして定義されてもよい。すなわち、第３の上りリンクグラントは、ＵＳＳにおいて送信されてもよい。また、第３の上りリンクグラントは、ＰＤＣＣＨ、ＥＰＤＣＣＨ、および／または、ｓＰＤＣＣＨで送信されてもよい。また、第３の上りリンクグラントは、ＰＤＳＣＨで送信されてもよい。
【０２２４】
また、第３の上りリンクグラントに付加されるＣＲＣパリティビットは、特定のＲＮＴＩによってスクランブルされてもよい。ここで、第３の上りリンクグラントに付加されるＣＲＣパリティビットは、第３のＵＬ−ＲＮＴＩによってスクランブルされてもよい。また、第３の上りリンクグラントが送信されるサーチスペースは、少なくとも、第２のＵＬ−ＲＮＴＩによって与えられてもよい。
【０２２５】
また、第３の上りリンクグラントは、ある１つのＴＴＩに対する設定を規定するために用いられてもよい。すなわち、第３の上りリンクグラントは、ある１つのＴＴＩにおいて用いられる設定を指示するために用いられてもよい。すなわち、第３の上りリンクグラントを用いて指示される設定は、１つのＴＴＩに対して有効であってもよい。すなわち、第３の上りリンクグラントは、ＴＴＩスペシフィックの上りリンクグラントであってもよい。すなわち、端末装置は、第３の上りリンクグラントを用いてＰＵＳＣＨがスケジュールされた場合には、あるＴＴＩにおいて（つまり、あるサブフレームにおける、あるＴＴＩにおいて）、スケジュールされたＰＵＳＣＨでの送信を行なってもよい。なお、ある１つのＴＴＩは、ある１つのｓＴＴＩであってもよい。また、ある１つのｓＴＴＩは、ある１つのサブフレーム内のｓＴＴＩであってもよい。
【０２２６】
ここで、上述したように、第２の上りリンクグラントは、第３の上りリンクグラントが送信されるｓＰＤＣＣＨのスケジューリングに用いられてもよい。例えば、端末装置は、第２の上りリンクグラントを受信（検出）することによって、第３の上りリンクグラントを受信（検出）してもよい。また、端末装置は、第２の上りリンクグラントが送信されるＰＤＣＣＨおよび／またはＥＰＤＣＣＨをモニタ（デコード、検出）することによって、第３の上りリンクグラントが送信されるＰＤＣＣＨ、ＥＰＤＣＣＨおよび／またはｓＰＤＣＣＨをモニタしてもよい。なお、モニタすることは、ある物理チャネル、または、ある物理チャネルによって送信される情報を、デコードすること、および／または、検出することを含んでもよい。
【０２２７】
ここで、第２の上りリンクグラントが送信されるＰＤＣＣＨおよび／またはＥＰＤＣＣＨは、端末装置１によるモニタリングによって検出され、第３の上りリンクグラントが送信されるＰＤＣＣＨ、ＥＰＤＣＣＨおよび／またはｓＰＤＣＣＨのリソースは、第２の上りリンクグラントに含まれる情報によって、直接的に指示されてもよい。ここで、ＰＤＣＣＨ、ＥＰＤＣＣＨおよび／またはｓＰＤＣＣＨのリソースには、時間リソース、および／または、周波数リソースが含まれてもよい。すなわち、第３の上りリンクグラントが送信されるＰＤＣＣＨ、ＥＰＤＣＣＨおよび／またはｓＰＤＣＣＨは、端末装置によってモニタされなくてもよい。
【０２２８】
以下、上りリンクグラント（ＤＣＩフォーマット）は、第１の上りリンクグラント、第２の上りリンクグラント、および／または、第３の上りリンクグラントを含んでもよい。
【０２２９】
ここで、端末装置は、下りリンクグラントを用いてＰＤＳＣＨのリソースがスケジュールされた場合には、スケジューリングに基づき、ＰＤＳＣＨで下りリンクデータ（ＤＬ−ＳＣＨ）を受信してもよい。また、端末装置は、上りリンクグラントを用いてＰＵＳＣＨのリソースがスケジュールされた場合には、スケジューリングに基づき、ＰＵＳＣＨを用いて上りリンクデータ（ＵＬ−ＳＣＨ）および／または上りリンク制御情報（ＵＣＩ）を
送信してもよい。また、端末装置は、上りリンクグラントを用いてｓＰＵＳＣＨのリソースがスケジュールされた場合には、スケジューリングに基づき、ｓＰＵＳＣＨで上りリンクデータおよび／または上りリンク制御情報を送信してもよい。
【０２３０】
本実施形態において、ＰＤＳＣＨの送信／スケジューリングに関連するＤＣＩフォーマット／下りリンクグラントを第１の下りリンクグラント、ｓＰＤＳＣＨの送信／スケジューリングに関連するＤＣＩフォーマット／下りリンクグラントを第２の下りリンクグラントと称する。
【０２３１】
例えば、第１の下りリンクグラントには、ＣＩＦが含まれてもよい。また、第１の下りリンクグラントには、スケジュールされるＰＤＳＣＨのＨＡＲＫ−ＡＣＫの送信に用いられるＰＵＣＣＨに対するＴＰＣコマンドに関する情報が含まれてもよい。また、第１の下りリンクグラントには、ＨＡＲＱプロセスナンバーに関する情報が含まれてもよい。また、第１の下りリンクグラントには、ＭＣＳに関する情報、および／または、リダンダンシーバージョンに関する情報が含まれてもよい。また、第１の下りリンクグラントには、リソースブロック割り当てに関する情報、および／または、集中配置か分散配置かを示す情報が含まれてもよい。また、第１の下りリンクグラントには、ＳＲＳリクエストが含まれてもよい。
【０２３２】
例えば、第２の下りリンクグラントには、スケジュールされるＰＤＳＣＨ、スケジュールされるｓＰＤＳＣＨ、および／または、スケジュールされるｓＰＤＣＣＨに対する帯域幅に関連する情報が含まれてもよい。すなわち、第２の下りリンクグラントには、ＰＤＳＣＨでの送信、ｓＰＤＳＣＨでの送信、および／または、ｓＰＤＣＣＨでの送信に対する、スケジュールされる帯域幅に関連する情報が含まれてもよい。
【０２３３】
ＳＲＳリクエストおよび／またはＣＳＩリクエストに対して用いられるビットの数は、ＳＲＳリクエストおよび／またはＣＳＩリクエストが含まれるＤＣＩフォーマットの種類に基づいて決定されてもよい。
【０２３４】
次に、本実施形態に係る端末装置および／または基地局装置の処理時間（レイテンシー）について説明する。
【０２３５】
本実施形態において、“ＯＦＤＭシンボルおよび／またはＳＣ−ＦＤＭＡシンボルにＣＰが付加される”とは、“ＯＦＤＭシンボルおよび／またはＳＣ−ＦＤＭＡシンボルで送信される物理チャネルの系列にＣＰの系列が付加される”と同義であってもよい。
【０２３６】
処理時間は、検出した信号の受信および復号に要する時間と、送信する信号の生成（変調や符号化）に要する時間に基づいて決定されてもよい。端末装置および基地局装置は、受信信号のＴＴＩ長や送信信号のＴＴＩ長が短くすることによって、それに伴う、復号に要する時間と生成に要する時間をそれぞれ短くすることができる。また、処理時間には、タイミングアドバンスや同期信号、デュプレックスモードに基づく時間調整が含まれてもよい。
【０２３７】
本実施形態では、端末装置がｓＴＴＩを用いた送信および／または受信（つまり、ｓＴＴＩオペレーション）をサポートしている場合、端末装置は、一部の物理チャネルに対して、ＯＦＤＭシンボルおよび／またはＳＣ−ＦＤＭＡシンボルにＮＣＰが付加された１４シンボルで構成されるＴＴＩにおける処理時間を短縮してもよい。ＴＴＩに関する処理時間の短縮が可能かどうかは、基地局装置からの上位層シグナリングを介して、設定されてもよい。つまり、基地局装置は、端末装置から送信された能力情報に基づいて、セル内の端末装置がｓＴＴＩをサポートしている能力があると判断した場合、ＴＴＩおよび／また
はｓＴＴＩに対する送信および／または受信に対する処理時間を短縮するように設定してもよい。なお、端末装置は、送信と受信に対して個別に、処理時間の短縮に関する能力がサポートされてもよい。また、端末装置は、送信に関する処理時間と受信に関する処理時間のそれぞれに対して、処理時間の短縮に関する能力がサポートされるかどうかを示してもよい。また、送信に関する処理と受診に関する処理はそれぞれ、上りリンクに関する処理と下りリンクに関する処理と言い換えてもよい。なお、処理時間を短縮することによって、タイミングアドバンスに基づく時間調整が制限されてもよい。
【０２３８】
処理時間を物理チャネルのＴＴＩ長毎にダイナミックに変更するか、上位層パラメータに基づいて削減するかは、基地局装置によって上位層シグナリングを介して、設定されてもよい。
【０２３９】
ここで、“端末装置がｓＴＴＩを用いた送信をサポートする”とは、ｓＰＵＳＣＨやｓＰＵＣＣＨ、ｓＰＲＡＣＨのうち、少なくとも１つの物理チャネルに対する送信をサポートしていることと同義である。また、“端末装置がｓＴＴＩを用いた受信をサポートする”とは、ｓＰＤＳＣＨやｓＰＤＣＣＨのうち、少なくとも１つの物理チャネルに対する受信をサポートしていることと同義である。
【０２４０】
ｓＴＴＩは、物理チャネル毎にサポートされているかどうかが示されてもよい。端末装置は、物理チャネル毎にｓＴＴＩを用いた送信および／または受信をサポートしているかどうかを、能力情報を用いて示してもよい。基地局装置は、その能力情報に基づいて、該端末装置に対して、上位層シグナリングを介して、ｓＴＴＩに関する設定を行なってもよい。
【０２４１】
次に、本実施形態に係るＰＵＳＣＨの送信電力制御について説明する。
【０２４２】
端末装置が、サービングセルｃに対して同時にＰＵＣＣＨを伴わないＰＵＳＣＨを送信する場合、サービングセルｃのサブフレームｉにおけるＰＵＳＣＨ送信に対する端末装置の送信電力ＰＰＵＳＣＨ，ｃ（ｉ）は、数式（１）によって与えられてもよい。
【数１】
2020057830.tif 000003
【０２４３】
端末装置が、サービングセルｃに対して同時にＰＵＣＣＨを伴うＰＵＳＣＨを送信する場合、サービングセルｃのサブフレームｉにおけるＰＵＳＣＨ送信に対する端末装置の送信電力ＰＰＵＳＣＨ，ｃ（ｉ）は、数式（２）によって与えられてもよい。
【数２】
2020057830.tif 000004
【０２４４】
端末装置が、サービングセルｃに対するＰＵＳＣＨを送信しない場合、ＰＵＳＣＨに対するＤＣＩフォーマット３／３Ａとともに受信されたＴＰＣコマンドのアキュムレーションに対して、端末装置は、サービングセルｃのサブフレームｉにおけるＰＵＳＣＨ送信に対する端末装置の送信電力ＰＰＵＳＣＨ，ｃ（ｉ）が数式（３）によって計算されたと想定する。
【数３】
2020057830.tif 000005
【０２４５】
ここで、ＰＣＭＡＸ，ｃ（ｉ）は、サービングセルｃに対するサブフレームｉにおける設定された端末装置の送信電力である。「＾」が上部に付いているパラメータ（変数、引数）は、対応するパラメータの線形値である。
【０２４６】
端末装置が、サービングセルｃに対するサブフレームｉにおいて、ＰＵＳＣＨを送信しないでＰＵＣＣＨを送信する場合、ＰＵＳＣＨに対するＤＣＩフォーマット３／３Ａとともに受信されたＴＰＣコマンドのアキュムレーションに対して、端末装置は、サービングセルｃのサブフレームｉにおけるＰＵＣＣＨ送信に対する端末装置の送信電力ＰＰＵＣＣＨ，ｃ（ｉ）に対して得られたＰＣＭＡＸ，ｃ（ｉ）を想定する。
【０２４７】
端末装置が、サービングセルｃに対するサブフレームｉにおいて、ＰＵＣＣＨとＰＵＳＣＨを送信しない場合、ＰＵＳＣＨに対するＤＣＩフォーマット３／３Ａとともに受信されたＴＰＣコマンドのアキュムレーションに対して、端末装置は、ＭＰＲ＝０ｄＢ、Ａ−ＭＰＲ＝０ｄＢ、Ｐ−ＭＰＲ＝０ｄＢ、ΔＴｃ＝０ｄＢと想定してＰＣＭＡＸ，ｃ（ｉ）を算出する。
【０２４８】
ここで、ＭＰＲ（Ｍａｘｉｍｕｍ  Ｐｏｗｅｒ  Ｒｅｄｕｃｔｉｏｎ）は、端末装置の最大送信電力／最大出力電力に対する種々の条件に基づく調整値である。ＭＰＲは、端末装置に設定されるチャネル帯域幅および／または送信帯域幅および変調方式（ＱＰＳＫや１６ＱＡＭなど）に基づいて決定されてもよい。ＰＲＡＣＨ、ＰＵＣＣＨとＳＲＳ送信に対して、ＰＵＳＣＨのＱＰＳＫに対するＭＰＲが適用される。各サブフレームに対して、ＭＰＲは、スロット毎に推定され、スロットの送信で引き継がれた最大値によって与えられる。その最大値は、同じサブフレームの２つのスロットの推定値の大きい方である。つまり、２つのスロットのうち、大きい方の値がそのサブフレームに適用される。言い換えると、ＭＰＲは、スロット毎に推定されるが、サブフレームには、そのサブフレームに含まれるスロットの中で大きい方の値が適用される。１つのコンポーネントキャリアにおける非連続なリソース割り当て送信に対して、最大送信電力／最大出力電力に対するＭＰＲは、送信帯域幅設定と、チャネル帯域幅または集約された帯域幅の同時に送信されたリソースブロックの総数に関連付けられて規定されてもよい。
【０２４９】
Ａ−ＭＰＲは、追加された要求条件（ＣＡやＭＩＭＯ（Ｍｕｌｔｉｐｌｅ  Ｉｎｐｕｔ
Ｍｕｌｔｉｐｌｅ  Ｏｕｔｐｕｔ）、ＤＣ（Ｄｕａｌ  Ｃｏｎｎｅｃｔｉｖｉｔｙ））に対応するＭＰＲである。例えば、ＡＣＬＲ（Ａｄｊａｃｅｎｔ  Ｃｈａｎｎｅｌ  Ｌｅａｋａｇｅ  Ｒａｔｉｏ）やスペクトルエミッションの追加要求条件に対応する。それらの要求条件は、ネットワークによってシグナルされてもよい。つまり、Ａ−ＭＰＲは、ネットワークシグナリングの値に基づいて規定されてもよい。また、Ａ−ＭＰＲは、コンポーネントキャリアの帯域幅とリソースブロックの配置位置（周波数位置、周波数領域）および変調方式に基づいて決定されてもよい。つまり、同じコンポーネントキャリアであっても周波数領域によってＡ−ＭＰＲの値は独立に規定されてもよい。例えば、帯域幅の中央と端では、Ａ−ＭＰＲの値は異なってもよい。
【０２５０】
なお、ＣＡは、複数のコンポーネントキャリア（サービングセル）を集約して通信を行なう方式のことである。同じオペレーティングバンドに属する異なる周波数（つまり、キャリア周波数または中心周波数）のコンポーネントキャリアを集約するＣＡをイントラバンドＣＡと称する。異なるオペレーティングバンドのコンポーネントキャリアを集約するＣＡをインターバンドＣＡと称する。
【０２５１】
なお、ＭＩＭＯは、複数のアンテナ（アンテナポート）を用いて通信を行なう方式のことである。
【０２５２】
例えば、ネットワークシグナリングの値に対応するＡ−ＭＰＲとサブキャリア間隔に対応するＡ−ＭＰＲは独立に設定されてもよい。
【０２５３】
ＭＰＲとＡ−ＭＰＲは、サービングセルに対して規定されてもよい。つまり、ＭＰＲとＡ−ＭＰＲは、サービングセル毎に設定されてもよい。
【０２５４】
インターバンドＣＡを行なう場合、ＣＡを行なうコンポーネントキャリア（サービングセル）のそれぞれに対して許容値ΔＩＢ，ｃが規定されてもよい。
【０２５５】
Ｐ−ＭＰＲ（Ｐｏｗｅｒ  Ｍａｎａｇｅｍｅｎｔ  ＭＰＲ）は、コンプライアンスを保証するために用いられるＭＰＲであり、サービングセル毎に適用される。例えば、Ｐ−ＭＰＲは、電磁エネルギー吸収や不必要なエミッション、複数のＲＡＴで同時に送信が発生するような密集地（密集シナリオ）などを考慮して適用される。
【０２５６】
ＭＰＲ、Ａ−ＭＰＲ、Ｐ−ＭＰＲは、サービングセル毎に規定されてもよい。また、ＭＰＲ、Ａ−ＭＰＲ、Ｐ−ＭＰＲは、オペレーティングバンド毎に規定されてもよい。
【０２５７】
ＭＰＲ、Ａ−ＭＰＲ、Ｐ−ＭＰＲはそれぞれ、スロット毎に評価されるが、サブフレームに対しては、その中で（つまり、サブフレームを構成するスロットの中で）最も大きい値が適用される。つまり、端末装置が設定可能な最大出力電力（端末装置が設定可能な総送信電力）の値が小さくなる値が適用されてもよい。
【０２５８】
最大出力電力値は、基地局装置から受信した情報（例えば、システムインフォメーション、または、ＲＲＣメッセージ）、ＭＰＲ、Ａ−ＭＰＲ、Ｐ−ＭＰＲ、および、ΔＩＢ，ｃの一部、または、全部に少なくとも基づいて決定されてもよい。最大出力電力値は、最大出力電力値の下限値、および、最大出力電力の上限値の間の値である。最大出力電力値の下限値は、基地局装置から受信した情報（例えば、システムインフォメーション、または、ＲＲＣメッセージ）、ＭＰＲ、Ａ−ＭＰＲ、Ｐ−ＭＰＲ、および、ΔＩＢ，ｃの一部、または、全部に少なくとも基づいて決定されてもよい。最大出力電力値の上限値は、基地局装置から受信した情報（例えば、システムインフォメーション、または、ＲＲＣメッセージ）、ＭＰＲ、Ａ−ＭＰＲ、Ｐ−ＭＰＲ、および、ΔＩＢ，ｃの一部、または、全部に少なくとも基づいて決定されてもよい。
【０２５９】
ＭＰＵＳＣＨ，ｃ（ｉ）は、サービングセルｃおよびサブフレームｉに対して有効なリソースブロックの数で表現されたＰＵＳＣＨリソースアサインメントの帯域幅である。つまり、ＤＣＩによって設定されるパラメータである。
【０２６０】
上りリンク電力制御に関する上位層パラメータとして、ＰＯ＿ＮＯＭＩＮＡＬ＿ＰＵＳＣＨとＰＯ＿ＵＥ＿ＰＵＳＣＨが設定される。ＰＯ＿ＮＯＭＩＮＡＬ＿ＰＵＳＣＨとＰＯ＿ＵＥ＿ＰＵＳＣＨは、セミパーシステントグラントに対応するＰＵＳＣＨ、ダイナミックスケジュールドグラントに対応するＰＵＳＣＨ、ランダムアクセスレスポンスグラントに対応するＰＵＳＣＨのそれぞれに対して設定されてもよい。さらに、上りリンク電力制御に関して、１つよりも多くのサブフレームセットが設定される場合、セミパーシステントグラントに対応するＰＵＳＣＨ、ダイナミックスケジュールドグラントに対応するＰＵＳＣＨに対して、上りリンク電力制御サブフレームセット２（第２のサブフレームセット）に対応するＰＯ＿ＮＯＭＩＮＡＬ＿ＰＵＳＣＨとＰＯ＿ＵＥ＿ＰＵＳＣＨが追加で設定されてもよい。言い換えると、ランダムアクセスレスポンスグラントに対応するＰＵＳＣＨに対しては、１つよりも多くサブフレームセットが設定された場合であっても、同じＰＯ＿ＮＯＭＩＮＡＬ＿ＰＵＳＣＨとＰＯ＿ＵＥ＿ＰＵＳＣＨを用いてもよい。ここで、上
りリンク電力制御サブフレームセットとは、上りリンク電力制御に関する種々のパラメータを共有しているサブフレームが属しているグループ（つまり、サブフレームセット）を示す。つまり、サブフレームセット毎に異なる上りリンク電力制御が行なわれてもよい。
【０２６１】
ＰＯ＿ＰＵＳＣＨ，ｃは、サービングセルｃに対して設定されるＰＯ＿ＮＯＭＩＮＡＬ＿ＰＵＳＣＨとＰＯ＿ＵＥ＿ＰＵＳＣＨの和である。
【０２６２】
αｃは、サービングセルｃにおける下りリンクパスロスＰＬｃに対する補償係数である。αｃの値は、上位層パラメータとしてセミパーシステントグラントに対応するＰＵＳＣＨ、ダイナミックスケジュールドグラントに対応するＰＵＳＣＨのそれぞれに対して設定されるが、ランダムアクセスレスポンスグラントに対応するＰＵＳＣＨに対して用いられる場合、αｃの値は、常に１である。
【０２６３】
ＰＬｃは、サービングセルｃに対する端末装置において算出された下りリンクパスロス評価値である。ＰＬｃは、上位層によって提供された下りリンク参照信号の電力値とリファレンスサービングセルに対して、上位層フィルタ設定に基づく参照信号受信電力（ＲＳＲＰ）に基づいて決定されてもよい。
【０２６４】
サービングセルｃがプライマリセルを含むＴＡＧ（つまり、ＰＴＡＧ）に属するとすれば、プライマリセルの上りリンクに対して、プライマリセルは、リファレンスシグナルパワーおよび上位層においてフィルタされたＲＳＲＰを決定するためのリファレンスサービングセルとして用いられてもよい。また、サービングセルｃがプライマリセルを含むＴＡＧに属するとすれば、セカンダリセル（つまり、セカンダリセルであるサービングセル）の上りリンクに対して、パスロスリファレンスまたはパスロスのリファレンスサービングセルのリンクを示す上位層パラメータによって設定されたサービングセルが、リファレンスシグナルパワーおよび上位層においてフィルタされたＲＳＲＰを決定するためのリファレンスサービングセルとして用いられてもよい。なお、リファレンスシグナルパワーは、基地局装置からの送信電力に相当する上位層パラメータである。例えば、ＣＲＳの送信電力は、リファレンスシグナルパワーに基づいてもよい。
【０２６５】
サービングセルｃがＰＳＣｅｌｌを含むＴＡＧ（つまり、ＰＳＴＡＧ）に属するとすれば、ＰＳＣｅｌｌの上りリンクに対して、ＰＳＣｅｌｌは、リファレンスシグナルパワーおよび上位層においてフィルタされたＲＳＲＰを決定するためのリファレンスサービングセルとして用いられてもよい。また、サービングセルｃがＰＳＣｅｌｌを含むＴＡＧに属するとすれば、ＰＳＣｅｌｌ以外のセカンダリセルの上りリンクに対して、パスロスリファレンスまたはパスロスのリファレンスサービングセルのリンクを示す上位層パラメータによって設定されたサービングセルが、リファレンスシグナルパワーおよび上位層においてフィルタされたＲＳＲＰを決定するためのリファレンスサービングセルとして用いられてもよい。
【０２６６】
サービングセルｃがプライマリセルまたはＰＳＣｅｌｌを含まないＴＡＧ（つまり、ＳＴＡＧ）に属するとすれば、サービングセルｃが、リファレンスシグナルパワーおよび上位層においてフィルタされたＲＳＲＰを決定するためのリファレンスサービングセルとして用いられてもよい。つまり、プライマリセルやＰＳＣｅｌｌは、リファレンスサービングセルとして用いられなくてもよい。
【０２６７】
ΔＴＦ，ｃ（ｉ）は、数式（４）に基づいて与えられてもよい。Ｋｓは、各サービングセルに対する上位層によって与えられたＭＣＳの差分に関するパラメータ（つまり、ｄｅｌｔａＭＣＳ−ｅｎａｂｌｅｄ）によって与えられてもよい。Ｋｓは、１．２５と０がある。該パラメータが“ｅｎａｂｌｅｄ”に設定される場合にはＫｓ＝１．２５であり、該
パラメータが“ｄｉｓａｂｌｅｄ”に設定される場合にはＫｓ＝０である。また、ＰＵＳＣＨに対する送信モード２に対して、Ｋｓ＝０である。
【数４】
2020057830.tif 000006
【０２６８】
ＢＰＲＥ（Ｂｉｔ  Ｐｅｒ  Ｒｅｓｏｕｒｃｅ  Ｅｌｅｍｅｎｔ）は、ＵＬ−ＳＣＨデータを伴わないＰＵＳＣＨによって送信される制御データに対しては１つのリソースエレメントに割り当てられるＣＱＩ／ＰＭＩビットの数である。なお、ＣＱＩ／ＰＭＩビットは、ＣＲＣビットを含んでもよい。また、ＢＰＲＥは、他の場合には、１つのリソースエレメントに割り当てられる各コードブロックのサイズの和である。
【０２６９】
βＰＵＳＣＨｏｆｆｓｅｔは、ＵＬ−ＳＣＨデータを伴わないＰＵＳＣＨによって送信される制御データに対してはβＣＱＩｏｆｆｓｅｔであり、それ以外の場合、１である。
【０２７０】
βＰＵＳＣＨｏｆｆｓｅｔは、１つのコードワードの場合と複数のコードワードの場合のそれぞれに対して設定されてもよい。
【０２７１】
βＰＵＳＣＨｏｆｆｓｅｔは、ＣＱＩ、ＲＩ、ＡＣＫのそれぞれに対して設定されてもよい。
【０２７２】
βＰＵＳＣＨｏｆｆｓｅｔは、ダイナミックスケジュールドグラントに対応するＰＵＳＣＨおよびセミパーシステントグラントに対応するＰＵＳＣＨのそれぞれに対して設定されてもよい。
【０２７３】
βＰＵＳＣＨｏｆｆｓｅｔは、上りリンク電力制御サブフレームセットに関するパラメータ（つまり、ｔｐｃ−ＳｕｂｆｒａｍｅＳｅｔ）に基づいて、１つよりも多いサブフレームセットが設定される場合、サブフレームセットに対応するβＰＵＳＣＨｏｆｆｓｅｔが設定されてもよい。
【０２７４】
βＰＵＳＣＨｏｆｆｓｅｔは、１つよりも多いサブフレームセットが設定される場合、サブフレームセットのそれぞれに対して、ＣＱＩ、ＲＩ、ＡＣＫのそれぞれに対するβＰＵＳＣＨｏｆｆｓｅｔが設定されてもよい。
【０２７５】
βＰＵＳＣＨｏｆｆｓｅｔは、１つよりも多いサブフレームセットが設定される場合、サブフレームセットのそれぞれに対して、各グラントに対するβＰＵＳＣＨｏｆｆｓｅｔが設定されてもよい。
【０２７６】
βＰＵＳＣＨｏｆｆｓｅｔは、１つよりも多いサブフレームセットが設定される場合、サブフレームセットのそれぞれに対して、１つのコードワードおよび／または複数のコードワードに対するβＰＵＳＣＨｏｆｆｓｅｔが設定されてもよい。
【０２７７】
δＰＵＳＣＨ，ｃは、ＴＰＣコマンドとして参照されたＰＵＳＣＨの送信電力に対する補正値である。つまり、δＰＵＳＣＨ，ｃは、ＰＵＳＣＨに対するＴＰＣコマンドによって得られた補正値である。δＰＵＳＣＨ，ｃ、つまり、ＰＵＳＣＨに対するＴＰＣコマンドは、ＤＣＩフォーマット０／４を伴うＰＤＣＣＨ／ＥＰＤＣＣＨに含まれてもよい。また、ＴＰＣコマンドは、ＣＲＣパリティビットがＴＰＣ−ＰＵＳＣＨ−ＲＮＴＩでスクランブルされたＤＣＩフォーマット３／３Ａを伴うＰＤＣＣＨにおいて、他の端末装置に対するＴＰＣコマンドとジョイントコーディングされてもよい。
【０２７８】
端末装置が、サービングセルｃに対して、上りリンク電力制御サブフレームセットを含む上りリンク電力制御に関するパラメータが設定され、サブフレームｉが上位層パラメータである上りリンク電力制御サブフレームセットによって示された上りリンク電力制御サブフレームセット２（つまり、第２のサブフレームセット）に属するとすれば、上りリンク電力制御サブフレームセット２のサブフレームｉに対する最新のＰＵＳＣＨ電力制御調
整状態は、ｆｃ，２（ｉ）によって与えられ、端末装置は、サブフレームｉにおけるＰＵＳＣＨの送信電力ＰＰＵＳＣＨ，ｃ（ｉ）を決定するために、ｆｃ（ｉ）の代わりに、ｆｃ，２（ｉ）を用いる。それ以外の場合、つまり、１つよりも多いサブフレームセットが設定されない場合、または、サブフレームｉが第１の上りリンク電力制御サブフレームセットに属する場合、最新のＰＵＳＣＨ電力制御調整状態は、ｆｃ（ｉ）によって与えられる。
【０２７９】
アキュムレーションが有効かどうかを示す上位層パラメータ（つまり、Ａｃｃｕｍｕｌａｔｉｏｎ−ｅｎａｂｌｅｄ）に基づいて、アキュムレーションが有効であるとすれば、または、ＴＰＣコマンドδＰＵＳＣＨ，ｃが、ＣＲＣがテンポラリーＣ−ＲＮＴＩによってスクランブルされたＤＣＩフォーマット０を伴うＰＤＣＣＨ／ＥＰＤＣＣＨに含まれるとすれば、ｆｃ（ｉ）およびｆｃ，２（ｉ）は、数式（５）および／または数式（６）によって与えられてもよい。
【数５】
2020057830.tif 000007
【数６】
2020057830.tif 000008
【０２８０】
数式（５）および／または数式（６）のように、ＴＰＣコマンドの値に対応する電力制御調整値（補正値）の加算処理（累算処理）を行なう電力調整を、アキュムレーションまたはＴＰＣアキュムレーションと称してもよい。また、ＴＰＣコマンドに基づく電力制御調整値（補正値）の累算処理を行なわない場合、直前の１つのＴＰＣコマンドの値に対応する電力制御調整値（補正値）のみに基づく電力調整をＴＰＣアブソリュートと称してもよい。
【０２８１】
δＰＵＳＣＨ，ｃ（ｉ−ＫＰＵＳＣＨ）は、サブフレームｉ−ＫＰＵＳＣＨにおける、ＤＣＩフォーマット０／４を伴うＰＤＣＣＨ／ＥＰＤＣＣＨまたはＤＣＩフォーマット３／３Ａを伴うＰＤＣＣＨでシグナルされる。ｆｃ（０）は、アキュムレーションのリセット後の最初の値である。ＫＰＵＳＣＨは、サブフレームの数を示してもよい。ＫＰＵＳＣＨの値は、サブフレームｉにおけるＰＵＳＣＨ送信に対して適用されるＴＰＣコマンドが送信されるサブフレームを示すために用いられてもよい。
【０２８２】
ＫＰＵＳＣＨの値は、ＦＤＤまたはＦＤＤ−ＴＤＤおよびサービングセルＦＳ１に対して、４である。なお、ＦＤＤ−ＴＤＤは、ＦＤＤセル（ＦＤＤコンポーネントキャリア）とＴＤＤセル（ＴＤＤコンポーネントキャリア）のキャリアアグリゲーションの場合を指している。
【０２８３】
ＴＤＤに対して、端末装置が１つよりも多いサービングセルが設定され、少なくとも２つの設定されたサービングセルのＴＤＤ  ＵＬ／ＤＬ設定が同じでないとすれば、または、端末装置が少なくとも１つのサービングセルに対してｅＩＭＴＡに関する設定（つまり、ＥＩＭＴＡ−ＭａｉｎＣｏｎｆｉｇＳｅｒｖＣｅｌｌ）が設定されるとすれば、または、ＦＤＤ−ＴＤＤおよびサービングセルＦＳ２に対して、ＴＤＤ  ＵＬ／ＤＬ設定に対するＫＰＵＳＣＨの値は、サービングセルｃに対する上りリンクリファレンスＵＬ／ＤＬ設定を参照する。ここで、上りリンクリファレンスＵＬ／ＤＬ設定は、上りリンク送信を行なうサブフレームおよび上りリンク送信に対するＡＣＫ／ＮＡＣＫを送信するサブフレームを設定／規定するために用いられるＴＤＤ  ＵＬ／ＤＬ設定のことであり、端末装置は、このＴＤＤ  ＵＬ／ＤＬ設定に規定されているスペシャルサブフレームおよび上りリンクサブフレームにおいて、上りリンク送信を行ない、このＴＤＤ  ＵＬ／ＤＬ設定に規定されているスペシャルサブフレームおよび下りリンクサブフレームにおいて、下りリンク受信を行なう。
【０２８４】
ＴＤＤ  ＵＬ／ＤＬ設定１から６に対して、ＫＰＵＳＣＨの値は、図３（ａ）に記載のＴＤＤ  ＵＬ／ＤＬ設定に対応したテーブルで与えられる。図３は、本実施形態に係るＴＤＤ  ＵＬ／ＤＬ設定の各上りリンクサブフレームに対応するＫＰＵＳＣＨの値を示す図である。
【０２８５】
図Ｘ２は、ＴＤＤ  ＵＬ／ＤＬ設定の上りリンクサブフレームに対応するＫＰＵＳＣＨの値を示す図である。例えば、ＴＤＤ  ＵＬ／ＤＬ設定０のサブフレーム２において、ＫＰＵＳＣＨの値は、６である。つまり、サブフレーム２のＰＵＳＣＨ送信に対して、６つ前のサブフレームで受信したＴＰＣコマンドを用いて電力調整を行なうことを示している。
【０２８６】
ＴＤＤ  ＵＬ／ＤＬ設定０に対して、サブフレーム２または７におけるＰＵＳＣＨ送信が、ＵＬインデックスのＬＳＢ（Ｌｅａｓｔ  Ｓｉｇｎｉｆｉｃａｎｔ  Ｂｉｔ）が“１”にセットされたＤＣＩフォーマット０／４のＰＤＣＣＨ／ＥＰＤＣＣＨでスケジュールされるとすれば、ＫＰＵＳＣＨの値は、７である。それ以外のＰＵＳＣＨ送信に対しては、ＫＰＵＳＣＨの値は、図３（ａ）に記載のＴＤＤ  ＵＬ／ＤＬ設定に対応したテーブル
で与えられる。
【０２８７】
サービングセルｃおよびＢＬ／ＣＥ（Ｂａｎｄｗｉｄｔｈ  ｒｅｄｕｃｅｄ  Ｌｏｗ  ｃｏｍｐｌｅｘｉｔｙ  ａｎｄ／ｏｒ  Ｃｏｖｅｒａｇｅ  Ｅｎｈａｎｃｅｍｅｎｔ）に関する能力をサポートしていない端末装置に対して、端末装置は、端末装置のＣ−ＲＮＴＩを伴うＤＣＩフォーマット０／４またはＳＰＳ  Ｃ−ＲＮＴＩに対するＤＣＩフォーマット０または端末装置のＴＰＣ−ＰＵＳＣＨ−ＲＮＴＩを伴うＤＣＩフォーマット３／３ＡのＰＤＣＣＨの復号を、ＤＲＸオペレーション中またはサービングセルｃが不活性化されている時を除き、毎サブフレームにおいて、試みる。
【０２８８】
ＢＬ／ＣＥに関する能力をサポートしていない端末装置に対して、サービングセルｃに対するＤＣＩフォーマット０／４とＤＣＩフォーマット３／３Ａが同じサブフレームで両方検出されるとすれば、端末装置は、ＤＣＩフォーマット０／４で提供されたＴＰＣコマンドを用いて、ＰＵＳＣＨの送信電力をセットする。
【０２８９】
サービングセルｃに対してＴＰＣコマンドが復号されていないサブフレーム、または、ＤＲＸが生じているサブフレーム、または、サブフレームｉがＴＤＤまたはＦＤＤ−ＴＤＤおよびサービングセルｃフレーム構造タイプ２において上りリンクサブフレームでないサブフレームに対して、δＰＵＳＣＨ，ｃは０ｄＢである。
【０２９０】
ＤＣＩフォーマット０を伴うＰＤＣＣＨ／ＥＰＤＣＣＨがＳＰＳアクティベーションまたはリリースＰＤＣＣＨ／ＥＰＤＣＣＨとして有効であるとすれば、δＰＵＳＣＨ，ｃは０ｄＢであってもよい。
【０２９１】
ＤＣＩフォーマット３／３Ａを伴うＰＤＣＣＨによってシグナルされるδＰＵＳＣＨ，ｃは、ある特定のテーブル（つまり、第１のテーブル、または、あるテーブル内の第１のセット）によって与えられてもよいし、上位層パラメータとして上位層によって提供されたＴＰＣインデックスによって決定された特定のテーブル（つまり、第２のテーブル、または、あるテーブル内の第２のセット）によって与えられてもよい。
【０２９２】
サービングセルｃに対する端末装置の送信電力が、最大出力電力ＰＣＭＡＸ，ｃ（ｉ）に到達しているとすれば、サービングセルｃに対してポジティブＴＰＣコマンドは累算（加算）されない。つまり、サービングセルｃに対する端末装置の送信電力が、ＰＣＭＡＸ，ｃ（ｉ）を超えるようなＴＰＣコマンドは適用されない。同様に、端末装置の送信電力が最小電力に到達しているとすれば、ネガティブＴＰＣコマンドは累算（減算）されない。つまり、サービングセルｃに対する端末装置の送信電力が、最小電力よりも小さくなるようなＴＰＣコマンドは適用されない。
【０２９３】
端末装置に、サービングセルｃに対して、少なくとも上りリンク電力制御サブフレームセットに関する上位層パラメータを含む上りリンク電力制御に関する設定（言い換えると、パラメータセット）が設定されていないとすれば、該サービングセルｃに対して、上位層によってＰＯ＿ＵＥ＿ＰＵＳＣＨ，ｃの値が変更または再設定される時、または、端末装置が該サービングセルｃに対するランダムアクセスレスポンスメッセージを受信する時、端末装置は、ＴＰＣコマンドに基づくアキュムレーションをリセットする。
【０２９４】
端末装置に、サービングセルｃに対して、少なくとも上りリンク電力制御サブフレームセットに関する上位層パラメータを含む上りリンク電力制御に関する設定が設定されているとすれば、上位層によってＰＯ＿ＵＥ＿ＰＵＳＣＨ，ｃの値が変更または再設定される時、または、端末装置が該サービングセルｃに対するランダムアクセスレスポンスメッセージを受信する時、端末装置は、サービングセルｃに対するｆｃ（＊）に対応するアキュ
ムレーションをリセットする。
【０２９５】
端末装置に、サービングセルｃに対して、少なくとも上りリンク電力制御サブフレームセットに関する上位層パラメータを含む上りリンク電力制御に関する設定が設定されているとすれば、上位層によってＰＯ＿ＵＥ＿ＰＵＳＣＨ，ｃ，２の値が変更または再設定される時、端末装置は、サービングセルｃに対するｆｃ，２（＊）に対応するアキュムレーションをリセットする。
【０２９６】
端末装置に、サービングセルｃに対して、少なくとも上りリンク電力制御サブフレームセットに関する上位層パラメータを含む上りリンク電力制御に関する設定が設定されているとすれば、サブフレームｉが、上りリンク電力制御サブフレームセットに関する上位層パラメータによって指示された上りリンク電力制御サブフレームセット２に属するとすれば、ｆｃ（ｉ）＝ｆｃ（ｉ−１）であり、サブフレームｉが、上りリンク電力制御サブフレームセットに関する上位層パラメータによって指示された上りリンク電力制御サブフレームセット２に属さないとすれば、ｆｃ，２（ｉ）＝ｆｃ，２（ｉ−１）である。
【０２９７】
次に、本実施形態に係るｓＰＵＳＣＨの送信電力制御について説明する。
【０２９８】
端末装置が、サービングセルｃに対して同時にＰＵＣＣＨ／ｓＰＵＣＣＨを伴わないｓＰＵＳＣＨを送信する場合、サービングセルｃのｓＴＴＩｘまたはサービングセルｃのサブフレームｉのｓＴＴＩｘにおけるｓＰＵＳＣＨ送信に対する端末装置の送信電力ＰｓＰＵＳＣＨ，ｃ（ｘ）は、数式（７）によって与えられてもよい。なお、ｓＴＴＩｘは、先頭からｘ番目のｓＴＴＩを示してもよい。また、ｓＴＴＩｘは、無線フレーム内（つまり、連続するある１０サブフレーム内）におけるｘ番目のｓＴＴＩを示してもよい。また、ｓＴＴＩｘは、あるサブフレーム内におけるｘ番目のｓＴＴＩを示してもよい。
【数７】
2020057830.tif 000009
【０２９９】
端末装置が、サービングセルｃに対して同時にＰＵＣＣＨ／ｓＰＵＳＣＨを伴うｓＰＵＳＣＨを送信する場合、サービングセルｃのｓＴＴＩｘまたはサービングセルｃのサブフレームｉのｓＴＴＩｘにおけるｓＰＵＳＣＨ送信に対する端末装置の送信電力ＰｓＰＵＳＣＨ，ｃ（ｘ）は、数式（８）によって与えられてもよい。
【数８】
2020057830.tif 000010
【０３００】
端末装置が、サービングセルｃに対するｓＰＵＳＣＨを送信しない場合、ｓＰＵＳＣＨに対するＤＣＩフォーマット３／３Ａとともに受信されたＴＰＣコマンドのアキュムレーションに対して、端末装置は、サービングセルｃのｓＴＴＩｘまたはサービングセルｃのサブフレームｉのｓＴＴＩｘにおけるｓＰＵＳＣＨ送信に対する端末装置の送信電力ＰｓＰＵＳＣＨ，ｃ（ｘ）が数式（９）によって計算されたと想定する。
【数９】
2020057830.tif 000011
【０３０１】
ＭｓＰＵＳＣＨ，ｃ（ｘ）は、サービングセルｃおよびサブフレームｉのｓＴＴＩｘに対して有効なリソースブロックの数で表現されたｓＰＵＳＣＨリソースアサインメントの帯域幅である。つまり、ＤＣＩによって設定されるパラメータである。
【０３０２】
ｓＰＵＳＣＨに対する上りリンク電力制御に関する上位層パラメータとして、ＰＯ＿ＮＯＭＩＮＡＬ＿ｓＰＵＳＣＨとＰＯ＿ＵＥ＿ｓＰＵＳＣＨが設定されてもよい。ＰＯ＿ＮＯＭＩＮＡＬ＿ｓＰＵＳＣＨとＰＯ＿ＵＥ＿ｓＰＵＳＣＨは、セミパーシステントグラントに対応するｓＰＵＳＣＨ、ダイナミックスケジュールドグラントに対応するｓＰＵＳＣＨ、ランダムアクセスレスポンスグラントに対応するｓＰＵＳＣＨのそれぞれに対して設定されてもよい。さらに、上りリンク電力制御に関して、１つよりも多くのサブフレームセットが設定される場合、セミパーシステントグラントに対応するｓＰＵＳＣＨ、ダイナミックスケジュールドグラントに対応するｓＰＵＳＣＨに対して、上りリンク電力制御サブフレームセット２（第２のサブフレームセット）に対応するＰＯ＿ＮＯＭＩＮＡＬ＿ｓＰＵＳＣＨとＰＯ＿ＵＥ＿ｓＰＵＳＣＨが追加で設定されてもよい。言い換えると、ランダムアクセスレスポンスグラントに対応するｓＰＵＳＣＨに対しては、１つよりも多くサブフレームセットが設定された場合であっても、同じＰＯ＿ＮＯＭＩＮＡＬ＿ｓＰＵＳＣＨとＰＯ＿ＵＥ＿ｓＰＵＳＣＨを用いてもよい。
【０３０３】
ＰＯ＿ｓＰＵＳＣＨ，ｃは、サービングセルｃに対して設定されるＰＯ＿ＮＯＭＩＮＡＬ＿ｓＰＵＳＣＨとＰＯ＿ＵＥ＿ｓＰＵＳＣＨの和である。
【０３０４】
αｃおよびＰＬｃは、サービングセルｃに対するＰＵＳＣＨと共有されてもよい。また、αｃおよびＰＬｃは、サービングセルｃに対するＰＵＳＣＨと個別に設定されてもよい。αｃおよびＰＬｃが、サービングセルｃに対するＰＵＳＣＨと共有されるかどうかは、ある上位層パラメータに基づいて、決定されてもよい。
【０３０５】
ΔＴＦ，ｃ（ｘ）は、数式（１０）に基づいて与えられてもよい。Ｋｓは、各サービングセルに対する上位層によって与えられたＭＣＳの差分に関するパラメータ（つまり、ｄｅｌｔａＭＣＳ−ｅｎａｂｌｅｄ）によって与えられてもよい。該パラメータが“ｅｎａｂｌｅｄ”に設定される場合にはＫｓ＝１．２５であり、該パラメータが“ｄｉｓａｂｌｅｄ”に設定される場合にはＫｓ＝０である。また、ｓＰＵＳＣＨに対する送信モード２に対して、Ｋｓ＝０である。
【数１０】
2020057830.tif 000012
【０３０６】
βｓＰＵＳＣＨｏｆｆｓｅｔは、ＵＬ−ＳＣＨデータを伴わないｓＰＵＳＣＨによって送信される制御データに対してはβＣＱＩｏｆｆｓｅｔであり、それ以外の場合、１である。
【０３０７】
βｓＰＵＳＣＨｏｆｆｓｅｔは、１つのコードワードの場合と複数のコードワードの場合のそれぞれに対して設定されてもよい。
【０３０８】
βｓＰＵＳＣＨｏｆｆｓｅｔは、ＣＱＩ、ＲＩ、ＡＣＫのそれぞれに対して設定されてもよい。
【０３０９】
βｓＰＵＳＣＨｏｆｆｓｅｔは、ダイナミックスケジュールドグラントに対応するｓＰＵＳＣＨおよびセミパーシステントグラントに対応するｓＰＵＳＣＨのそれぞれに対して設定されてもよい。
【０３１０】
βｓＰＵＳＣＨｏｆｆｓｅｔは、上りリンク電力制御サブフレームセットに関するパラメータ（つまり、ｔｐｃ−ＳｕｂｆｒａｍｅＳｅｔ）に基づいて、１つよりも多いサブフレームセットが設定される場合、サブフレームセットのそれぞれに対応するβｓＰＵＳＣＨｏｆｆｓｅｔが設定されてもよい。
【０３１１】
βｓＰＵＳＣＨｏｆｆｓｅｔは、１つよりも多いサブフレームセットが設定される場合、サブフレームセットのそれぞれに対して、ＣＱＩ、ＲＩ、ＡＣＫのそれぞれに対するβｓＰＵＳＣＨｏｆｆｓｅｔが設定されてもよい。
【０３１２】
βｓＰＵＳＣＨｏｆｆｓｅｔは、１つよりも多いサブフレームセットが設定される場合、サブフレームセットのそれぞれに対して、各グラントに対するβｓＰＵＳＣＨｏｆｆｓｅｔが設定されてもよい。
【０３１３】
βｓＰＵＳＣＨｏｆｆｓｅｔは、１つよりも多いサブフレームセットが設定される場合、サブフレームセットのそれぞれに対して、１つのコードワードおよび／または複数のコードワードに対するβｓＰＵＳＣＨｏｆｆｓｅｔが設定されてもよい。
【０３１４】
δｓＰＵＳＣＨ，ｃは、ＴＰＣコマンドとして参照されたｓＰＵＳＣＨの送信電力に対する補正値である。δｓＰＵＳＣＨ，ｃは、ｓＰＵＳＣＨに対するＴＰＣコマンドによって得られた補正値である。δｓＰＵＳＣＨ，ｃ、つまり、ｓＰＵＳＣＨに対するＴＰＣコマンドは、ＤＣＩフォーマット０／４／Ｘを伴うＰＤＣＣＨ／ＥＰＤＣＣＨ／ｓＰＤＣＣＨに含まれてもよい。また、ＴＰＣコマンドは、ＣＲＣパリティビットがＴＰＣ−ｓＰＵＳＣＨ−ＲＮＴＩでスクランブルされたＤＣＩフォーマット３／３Ａ／Ｚを伴うＰＤＣＣＨ／ｓＰＤＣＣＨにおいて、他の端末装置に対するＴＰＣコマンドとジョイントコーディングされてもよい。
【０３１５】
端末装置が、サービングセルｃに対して、上りリンク電力制御サブフレームセットを含む上りリンク電力制御に関するパラメータが設定され、ｓＴＴＩｘを含むサブフレームｉが、上位層パラメータである上りリンク電力制御サブフレームセットによって示された上りリンク電力制御サブフレームセット２（つまり、第２のサブフレームセット）に属するとすれば、上りリンク電力制御サブフレームセット２のサブフレームｉのｓＴＴＩｘに対する最新のｓＰＵＳＣＨ電力制御調整状態は、ｆｃ，２（ｘ）によって与えられ、端末装置は、サブフレームｉのｓＴＴＩｘにおけるｓＰＵＳＣＨの送信電力ＰＰＵＳＣＨ，ｃ（ｘ）を決定するために、ｆｃ（ｘ）の代わりに、ｆｃ，２（ｘ）を用いる。それ以外の場合、例えば、上りリンク電力制御サブフレームセットを含む上りリンク電力制御に関する
パラメータが設定されない場合、または、１つよりも多い上りリンク電力制御サブフレームセットが設定されない場合、または、サブフレームｉのｓＴＴＩｘが第１の上りリンク電力制御サブフレームセットに属する場合、最新のｓＰＵＳＣＨ電力制御調整状態は、ｆｃ（ｘ）によって与えられる。
【０３１６】
アキュムレーションが有効かどうかを示す上位層パラメータ（つまり、Ａｃｃｕｍｕｌａｔｉｏｎ−ｅｎａｂｌｅｄ）に基づいて、アキュムレーションが有効であるとすれば、または、ＴＰＣコマンドδｓＰＵＳＣＨ，ｃが、ＣＲＣがテンポラリーＣ−ＲＮＴＩによってスクランブルされたＤＣＩフォーマット０を伴うＰＤＣＣＨ／ＥＰＤＣＣＨ／ｓＰＤＣＣＨに含まれるとすれば、ｆｃ（ｘ）およびｆｃ，２（ｘ）は、数式（１１）および／または数式（１２）によって与えられてもよい。Ａｃｃｕｍｕｌａｔｉｏｎ−ｅｎａｂｌｅｄは、ＰＵＳＣＨと共有されてもよい。また、Ａｃｃｕｍｕｌａｔｉｏｎ−ｅｎａｂｌｅｄは、ｓＰＵＳＣＨに対してＰＵＳＣＨとは個別に設定されてもよい。
【数１１】
2020057830.tif 000013
【数１２】
2020057830.tif 000014
【０３１７】
δｓＰＵＳＣＨ，ｃ（ｘ−ＫｓＰＵＳＣＨ）は、ｓＴＴＩ（ｘ−ＫｓＰＵＳＣＨ）における、ＤＣＩフォーマット０／４／Ｘを伴うＰＤＣＣＨ／ＥＰＤＣＣＨ／ｓＰＤＣＣＨまたはＤＣＩフォーマット３／３Ａ／Ｚを伴うＰＤＣＣＨ／ｓＰＤＣＣＨでシグナルされる。ｆｃ（０）は、アキュムレーションのリセット後の最初の値である。
【０３１８】
ＫｓＰＵＳＣＨの値は、ＦＤＤまたはＦＤＤ−ＴＤＤおよびサービングセルＦＳ１に対して、４または所定の値であってもよい。
【０３１９】
ＴＤＤに対して、端末装置が１つよりも多いサービングセルが設定され、少なくとも２つの設定されたサービングセルのＴＤＤ  ＵＬ／ＤＬ設定が同じでないとすれば、または、端末装置が少なくとも１つのサービングセルに対してｅＩＭＴＡに関する設定が設定されるとすれば、または、ＦＤＤ−ＴＤＤおよびサービングセルＦＳ２に対して、ＴＤＤ  ＵＬ／ＤＬ設定に対するＫｓＰＵＳＣＨの値は、サービングセルｃに対する上りリンクリファレンスＵＬ／ＤＬ設定を参照してもよい。
【０３２０】
ＴＤＤ  ＵＬ／ＤＬ設定１から６に対して、ＫｓＰＵＳＣＨの値は、ｓＰＵＳＣＨに対するＴＤＤ  ＵＬ／ＤＬ設定に対応するテーブルで与えられてもよい。
【０３２１】
ＴＤＤ  ＵＬ／ＤＬ設定０に対して、サブフレーム２または７に含まれるｓＴＴＩにおけるｓＰＵＳＣＨ送信が、ＵＬインデックスのＬＳＢが“１”にセットされたＤＣＩフォーマット０／４／ＸのＰＤＣＣＨ／ＥＰＤＣＣＨ／ｓＰＤＣＣＨでスケジュールされるとすれば、ＫｓＰＵＳＣＨの値は、例えば、７サブフレーム長に対応するｓＴＴＩの数であってもよい。言い換えると、この時のＤＣＩフォーマット０／４／Ｘは、ｓＴＴＩｘが含まれるサブフレームよりも７つ前のサブフレームに含まれるｓＴＴＩで検出されてもよい。また、サブフレーム３または８に含まれるｓＴＴＩにおけるｓＰＵＳＣＨ送信が、ＵＬインデックスのＬＳＢが“１”にセットされたＤＣＩフォーマット０／４／ＸのＰＤＣＣＨ／ＥＰＤＣＣＨ／ｓＰＤＣＣＨでスケジュールされるとすれば、ＫｓＰＵＳＣＨの値は、例えば、８サブフレーム長に対応するｓＴＴＩの数であってもよい。言い換えると、この時のＤＣＩフォーマット０／４／Ｘは、ｓＴＴＩｘが含まれるサブフレームよりも８つ前のサブフレームに含まれるｓＴＴＩで検出されてもよい。また、サブフレーム４または９に含まれるｓＴＴＩにおけるｓＰＵＳＣＨ送信が、ＵＬインデックスのＬＳＢが“１”にセットされたＤＣＩフォーマット０／４／ＸのＰＤＣＣＨ／ＥＰＤＣＣＨ／ｓＰＤＣＣＨでスケジュールされるとすれば、ＫｓＰＵＳＣＨの値は、例えば、４サブフレーム長に対応するｓＴＴＩの数であってもよい。言い換えると、この時のＤＣＩフォーマット０／４／Ｘは、ｓＴＴＩｘが含まれるサブフレームよりも４つ前のサブフレームに含まれるｓＴＴＩで検出されてもよい。それ以外のｓＰＵＳＣＨ送信に対しては、ＫｓＰＵＳＣＨの値は、ｓＰＵＳＣＨに対するＴＤＤ  ＵＬ／ＤＬ設定に対応するテーブルで与えられてもよい。
【０３２２】
なお、ＫｓＰＵＳＣＨの値は、ＤＣＩフォーマット０／４／Ｘ／３／３Ａ／Ｚに含まれるｓＰＵＳＣＨの送信サブフレームまたは送信ｓＴＴＩを示すフィールドに設定された値に基づいて決定されてもよい。例えば、ｓＴＴＩｎで検出した、ｓＰＵＳＣＨに対するＴＰＣコマンドを伴うＤＣＩフォーマット０／４／Ｘ／３／３Ａ／Ｚに含まれるｓＰＵＳＣＨの送信サブフレームを示すフィールドに、“８”に対応する値が設定されているとすれば、ｓＴＴＩｎ＋８におけるｓＰＵＳＣＨ送信に対するＫｓＰＵＳＣＨの値は８であってもよい。また、ｓＰＵＳＣＨの送信サブフレームまたは送信ｓＴＴＩを示すフィールドは、ＵＬインデックスの代わりにＤＣＩフォーマット０／４／Ｘに含まれてもよい。
【０３２３】
サービングセルｃおよびＢＬ／ＣＥに関する能力をサポートしていない端末装置に対し
て、ｓＴＴＩオペレーションが設定された端末装置は、端末装置のＣ−ＲＮＴＩを伴うＤＣＩフォーマット０／４／ＸまたはＳＰＳ  Ｃ−ＲＮＴＩに対するＤＣＩフォーマット０／Ｘまたは端末装置のＴＰＣ−ｓＰＵＳＣＨ−ＲＮＴＩを伴うＤＣＩフォーマット３／３Ａ／ＺのｓＰＤＣＣＨの復号を、ＤＲＸオペレーション中またはサービングセルｃが不活性化されている時を除き、毎ｓＴＴＩにおいて、試みてもよい。
【０３２４】
次に、本実施形態に係る所定のシンボルのＤＬ−ｓＴＴＩに含まれるｓＤＣＩにＰＵＳＣＨに対するＴＰＣコマンドが含まれる場合、例えば、ｓＰＤＣＣＨにＤＣＩフォーマット０／４／３／３Ａが含まれる場合の１つのサービングセルにおけるＰＵＳＣＨの送信電力制御の一例について説明する。なお、１つのｓＴＴＩを構成するシンボルの数は、ＯＦＤＭシンボルおよび／またはＳＣ−ＦＤＭＡシンボルにそれぞれＮＣＰが付与される場合を想定して記載している。しかし、ＯＦＤＭシンボルおよび／またはＳＣ−ＦＤＭＡシンボルにそれぞれＥＣＰが付与される場合を排除するものではない。
【０３２５】
ある上位層パラメータに基づいて、ＰＵＳＣＨのスケジューリングに用いられるＤＣＩフォーマットを検出してからＰＵＳＣＨを送信するまでの時間が短縮されるかどうかが設定されてもよい。また、該ある上位層パラメータに基づいて、ＫＰＵＳＣＨの値が短縮されてもよい。例えば、ＤＬ−ｓＴＴＩのＴＴＩ長が７シンボルの場合、つまり、１つのサブフレームに２つのｓＴＴＩが含まれる場合、ＦＤＤまたはＦＤＤ−ＴＤＤおよびサービングセルＦＳ１に対して、ＫＰＵＳＣＨの値は、２サブフレームまたは４ｓＴＴＩｓであってもよい。つまり、サブフレームｉのＰＵＳＣＨに対して、４ｓＴＴＩｓ前のＤＬ−ｓＴＴＩで検出したＰＵＳＣＨに対するＴＰＣコマンドを用いて、ＰＵＳＣＨの送信電力の電力調整を行なってもよい。
【０３２６】
ＤＬ−ｓＴＴＩを構成するシンボルの数（つまり、ＤＬ−ｓＴＴＩのＴＴＩ長）が２シンボルの場合、つまり、１つのサブフレームに６つのｓＴＴＩが含まれる場合、ＦＤＤまたはＦＤＤ−ＴＤＤおよびサービングセルＦＳ１に対して、ＫＰＵＳＣＨの値は、１サブフレームまたは６ｓＴＴＩｓであってもよい。つまり、サブフレームｉのＰＵＳＣＨに対して、６ｓＴＴＩｓ前のＤＬ−ｓＴＴＩで検出したＰＵＳＣＨに対するＴＰＣコマンドを用いて、ＰＵＳＣＨの送信電力の電力調整を行なってもよい。
【０３２７】
ＤＬ−ｓＴＴＩを構成するシンボルの数が７シンボルの場合、つまり、１つのサブフレームに２つのＤＬ−ｓＴＴＩが含まれる場合、ＴＤＤ  ＵＬ／ＤＬ設定１から６に対して、ＫＰＵＳＣＨの値は、図３（ｂ）に記載のＴＤＤ  ＵＬ／ＤＬ設定に対応するテーブルに基づいて与えられてもよい。
【０３２８】
ＤＬ−ｓＴＴＩを構成するシンボルの数が７シンボルの場合、ＴＤＤ  ＵＬ／ＤＬ設定０に対して、サブフレーム３または８におけるＰＵＳＣＨ送信が、ＵＬインデックスのＬＳＢが“１”にセットされたＤＣＩフォーマット０／４を伴うＰＤＣＣＨ／ＥＰＤＣＣＨ／ｓＰＤＣＣＨでスケジュールされるとすれば、ＫＰＵＳＣＨの値は、例えば、３ｓＴＴＩｓまたは２サブフレームであってもよい。ここでは、ＵＬインデックスのＬＳＢが“１”にセットされた場合について記載しているが、例えば、ＵＬインデックスの所定のビットが“１”または“所定の値”にセットされた場合であってもよい。以降についても同様の例を含んでもよい。
【０３２９】
また、ＤＬ−ｓＴＴＩを構成するシンボルの数が７シンボルの場合、ＴＤＤ  ＵＬ／ＤＬ設定０に対して、サブフレーム４または９におけるＰＵＳＣＨ送信が、ＵＬインデックスのＬＳＢが“１”にセットされたＤＣＩフォーマット０／４を伴うＰＤＣＣＨ／ＥＰＤＣＣＨ／ｓＰＤＣＣＨでスケジュールされるとすれば、ＫＰＵＳＣＨの値は、例えば、５ｓＴＴＩｓまたは３サブフレームであってもよい。
【０３３０】
また、ＤＬ−ｓＴＴＩを構成するシンボルの数が７シンボルの場合、ＴＤＤ  ＵＬ／ＤＬ設定０に対して、上記以外の場合には、ＫＰＵＳＣＨの値は、図３（ｂ）に記載のＴＤＤ  ＵＬ／ＤＬ設定に対応するテーブルに基づいて与えられてもよい。
【０３３１】
ＤＬ−ｓＴＴＩを構成するシンボルの数が２シンボルの場合、例えば、１つのサブフレームに６つのＤＬ−ｓＴＴＩが含まれる場合には、ＴＤＤ  ＵＬ／ＤＬ設定１から６に対して、ＫＰＵＳＣＨの値は、ＴＤＤ  ＵＬ／ＤＬ設定に対応するテーブルに基づいて与えられてもよい。
【０３３２】
ＤＬ−ｓＴＴＩを構成するシンボルの数が２シンボルの場合、例えば、１つのサブフレームに６つのＤＬ−ｓＴＴＩが含まれる場合には、ＴＤＤ  ＵＬ／ＤＬ設定０に対して、サブフレーム３または８におけるＰＵＳＣＨ送信が、ＵＬインデックスのＬＳＢが“１”にセットされたＤＣＩフォーマット０／４を伴うＰＤＣＣＨ／ＥＰＤＣＣＨ／ｓＰＤＣＣＨでスケジュールされるとすれば、ＫＰＵＳＣＨの値は、例えば、６ｓＴＴＩｓまたは１サブフレームであってもよい。それ以外の場合、ＴＤＤ  ＵＬ／ＤＬ設定０に対して、ＫＰＵＳＣＨの値は、ＴＤＤ  ＵＬ／ＤＬ設定に対応するテーブルに基づいて与えられてもよい。
【０３３３】
なお、ＫＰＵＳＣＨの値は、ＤＣＩフォーマット０／４／Ｘ／３／３Ａ／Ｚに含まれるＰＵＳＣＨの送信サブフレームを示すフィールドに設定された値に基づいて決定されてもよい。例えば、ｓＴＴＩｎで検出した、ＰＵＳＣＨに対するＴＰＣコマンドを伴うＤＣＩフォーマット０／４／Ｘ／３／３Ａ／Ｚに含まれるＰＵＳＣＨの送信サブフレームを示すフィールドに、“４”に対応する値が設定されているとすれば、ｓＴＴＩｎ＋４を含むサブフレームのＰＵＳＣＨ送信に対するＫＰＵＳＣＨの値は４であってもよい。つまり、ｓＴＴＩｎで検出した、ＰＵＳＣＨに対するＴＰＣコマンドを伴うＤＣＩフォーマット０／４／Ｘ／３／３Ａ／Ｚに含まれるＰＵＳＣＨの送信サブフレームを示すフィールドに、“Ｂ（Ｂは所定の値）”に対応する値が設定されているとすれば、ｓＴＴＩｎ＋Ｂを含むサブフレームのＰＵＳＣＨ送信に対するＫＰＵＳＣＨの値はＢであってもよい。また、ｓＴＴＩｎを含むサブフレームｉで検出した、ＰＵＳＣＨに対するＴＰＣコマンドを伴うＤＣＩフォーマット０／４／Ｘ／３／３Ａ／Ｚに含まれるＰＵＳＣＨの送信サブフレームを示すフィールドに、“４”に対応する値が設定されているとすれば、サブフレームｉ＋４のＰＵＳＣＨ送信に対するＫＰＵＳＣＨの値は４であってもよい。つまり、ｓＴＴＩｎを含むサブフレームｉで検出した、ＰＵＳＣＨに対するＴＰＣコマンドを伴うＤＣＩフォーマット０／４／Ｘ／３／３Ａ／Ｚに含まれるＰＵＳＣＨの送信サブフレームを示すフィールドに、“Ｃ（Ｃは所定の値）”に対応する値が設定されているとすれば、サブフレームｉ＋ＣのＰＵＳＣＨ送信に対するＫＰＵＳＣＨの値はＣであってもよい。また、ＰＵＳＣＨの送信サブフレームを示すフィールドは、ＵＬインデックスの代わりにＤＣＩフォーマット０／４に含まれてもよい。
【０３３４】
次に、本実施形態に係る、１つのサービングセルにおいて、ｓＰＵＳＣＨおよびＰＵＳＣＨの送信が設定された場合のｓＰＵＳＣＨおよびＰＵＳＣＨに対する送信電力制御の一例について説明する。
【０３３５】
ＤＬ−ｓＴＴＩを構成するシンボルの数が７シンボルに設定される場合、ＵＬ−ｓＴＴＩを構成するシンボルの数は、７シンボルに設定されてもよい。また、ＤＬ−ｓＴＴＩを構成するシンボルの数が２シンボルに設定される場合、ＵＬ−ｓＴＴＩを構成するシンボルの数は、２シンボルまたは７シンボルに設定されてもよい。つまり、ＵＬ−ｓＴＴＩおよびＵＬ−ＴＴＩは、ＤＬ−ｓＴＴＩと同じ長さか、ＤＬ−ｓＴＴＩよりも長いＴＴＩ長であることが好ましい。
【０３３６】
図４は、本実施形態に係るＴＰＣコマンドを含むＤＣＩフォーマットと各サブフレームのｆｃ（ｉ）の対応関係の一例を示す図である。図４のサブフレームｎからｎ＋７は、同じ上りリンク電力制御サブフレームセットに属する。ｆｃ（ｉ）は、サービングセルｃにおけるサブフレームｉのＰＵＳＣＨまたはｓＰＵＳＣＨの送信電力に用いられる電力制御調整値である。図４において、少なくともサブフレームｎからサブフレーム７において、ｆｃ（ｉ）はリセットされない。また、図４において、ｆｃ（ｎ＋１）は、サブフレーム０からサブフレームｎ＋１までの、ＴＰＣアキュムレーションによって得られた電力制御調整値である。ＤＣＩフォーマット４００、４０２はそれぞれ、サービングセルｃに対するＰＵＳＣＨのスケジューリングに用いられるＤＣＩフォーマットである。ＤＣＩフォーマット４０１、４０３、４０４、４０５は、サービングセルｃに対するｓＰＵＳＣＨのスケジューリングに用いられるＤＣＩフォーマットである。ＤＣＩフォーマット４００から４０５にはそれぞれＴＰＣコマンドが含まれる。端末装置は、サブフレームｎにおけるＤＣＩフォーマット４００、４０１を検出する。また、端末装置は、サブフレームｎ＋２におけるＤＣＩフォーマット４０２、４０３を検出する。また、端末装置は、サブフレームｎ＋３におけるＤＣＩフォーマット４０４を検出する。また、端末装置は、サブフレームｎ＋５におけるＤＣＩフォーマット４０５を検出する。ＤＣＩフォーマット４００から４０５にはそれぞれ、上述したＰＵＳＣＨまたはｓＰＵＳＣＨの送信サブフレームまたは送信ｓＴＴＩを示すフィールドが含まれてもよい。図４の点線は、ＤＣＩフォーマット４００から４０５と、ＰＵＳＣＨ４１０、４１１およびｓＰＵＳＣＨ４２０、４２１、４２２、４２３間の対応関係を示す。例えば、ＤＣＩフォーマット４００は、サブフレームｎ＋３のＰＵＳＣＨ４１０のスケジューリングに用いられる。また、ＤＣＩフォーマット４０１は、サブフレームｎ＋２のｓＰＵＳＣＨ４２０のスケジューリングに用いられる。同様に、ＤＣＩフォーマット４０２から４０５もそれぞれ、ＰＵＳＣＨまたはｓＰＵＳＣＨのスケジューリングに用いられてもよい。ＤＣＩフォーマット４００から４０５に含まれるＴＰＣコマンドによって得られる補正値がそれぞれ、Ａ、Ｂ、Ｃ、Ｄ、Ｅ、Ｆである場合、且つ、同じサービングセルのＰＵＳＣＨとｓＰＵＳＣＨのｆｃ（ｉ）が共有される場合、且つ、ＴＰＣアキュムレーションが有効である場合、且つ、ＤＣＩフォーマット４００から４０５にそれぞれ、上述したＰＵＳＣＨまたはｓＰＵＳＣＨの送信サブフレームまたは送信ｓＴＴＩを示すフィールドが含まれる場合、サブフレームｎ＋２におけるｓＰＵＳＣＨ４２０の送信電力に用いられるｆｃ（ｎ＋２）は、ｆｃ（ｎ＋１）＋Ａである。同様に、サブフレームｎ＋３におけるＰＵＳＣＨ４１０の送信電力に用いられるｆｃ（ｎ＋３）は、ｆｃ（ｎ＋１）＋Ａ＋Ｂである。同様に、サブフレームｎ＋４におけるｓＰＵＳＣＨ４２１の送信電力に用いられるｆｃ（ｎ＋４）は、ｆｃ（ｎ＋１）＋Ａ＋Ｂ＋Ｃであり、サブフレームｎ＋４におけるｓＰＵＳＣＨ４２２の送信電力に用いられるｆｃ（ｎ＋４）は、ｆｃ（ｎ＋１）＋Ａ＋Ｂ＋Ｃ＋Ｄである。同様に、サブフレームｎ＋６におけるＰＵＳＣＨ４１１の送信電力に用いられるｆｃ（ｎ＋６）は、ｆｃ（ｎ＋１）＋Ａ＋Ｂ＋Ｃ＋Ｄ＋Ｅである。同様に、サブフレームｎ＋７におけるｓＰＵＳＣＨ４２３の送信電力に用いられるｆｃ（ｎ＋７）は、ｆｃ（ｎ＋１）＋Ａ＋Ｂ＋Ｃ＋Ｄ＋Ｅ＋Ｆである。
【０３３７】
ＤＣＩフォーマット４００から４０５に含まれるＴＰＣコマンドによって得られる補正値がそれぞれ、Ａ、Ｂ、Ｃ、Ｄ、Ｅ、Ｆである場合、且つ、同じサービングセルのＰＵＳＣＨとｓＰＵＳＣＨのｆｃ（ｉ）が共有される場合、且つ、ＴＰＣアキュムレーションが有効である場合、サブフレームｎ＋２におけるｓＰＵＳＣＨ４２０の送信電力に用いられるｆｃ（ｎ＋２）は、ｆｃ（ｎ＋１）＋Ａであってもよい。同様に、サブフレームｎ＋３におけるＰＵＳＣＨ４１０の送信電力に用いられるｆｃ（ｎ＋３）は、ｆｃ（ｎ＋１）＋Ａ＋Ｂである。同様に、サブフレームｎ＋４におけるｓＰＵＳＣＨ４２１の送信電力に用いられるｆｃ（ｎ＋４）は、ｆｃ（ｎ＋１）＋Ａ＋Ｂ＋Ｃであり、サブフレームｎ＋４におけるｓＰＵＳＣＨ４２２の送信電力に用いられるｆｃ（ｎ＋４）は、ｆｃ（ｎ＋１）＋Ａ＋Ｂ＋Ｃ＋Ｄであってもよい。同様に、サブフレームｎ＋６におけるＰＵＳＣＨ４１１
の送信電力に用いられるｆｃ（ｎ＋６）は、ｆｃ（ｎ＋１）＋Ａ＋Ｂ＋Ｃ＋Ｄ＋Ｅであってもよい。同様に、サブフレームｎ＋７におけるｓＰＵＳＣＨ４２３の送信電力に用いられるｆｃ（ｎ＋７）は、ｆｃ（ｎ＋１）＋Ａ＋Ｂ＋Ｃ＋Ｄ＋Ｅ＋Ｆであってもよい。
【０３３８】
また、ＤＣＩフォーマット４００から４０５に含まれるＴＰＣコマンドによって得られる補正値がそれぞれ、Ａ、Ｂ、Ｃ、Ｄ、Ｅ、Ｆである場合、且つ、同じサービングセルのＰＵＳＣＨとｓＰＵＳＣＨのｆｃ（ｉ）が共有される場合、且つ、ＴＰＣアキュムレーションが有効である場合、且つ、ＤＣＩフォーマット４００から４０５にそれぞれ、上述したＰＵＳＣＨまたはｓＰＵＳＣＨの送信サブフレームまたは送信ｓＴＴＩを示すフィールドが含まれない場合には、サブフレームｎ＋３におけるＰＵＳＣＨ４１０の送信電力に用いられるｆｃ（ｎ＋３）は、ｆｃ（ｎ＋１）＋Ａであってもよい。また、サブフレームｎ＋４におけるｓＰＵＳＣＨ４２１の送信電力に用いられるｆｃ（ｎ＋４）は、ｆｃ（ｎ＋１）＋Ａ＋Ｃであってもよい。また、サブフレームｎ＋４におけるｓＰＵＳＣＨ４２２の送信電力に用いられるｆｃ（ｎ＋４）は、ｆｃ（ｎ＋１）＋Ａ＋Ｃ＋Ｄであってもよい。また、サブフレームｎ＋６におけるＰＵＳＣＨ４１１の送信電力に用いられるｆｃ（ｎ＋６）は、ｆｃ（ｎ＋１）＋Ａ＋Ｃ＋Ｄであってもよい。また、サブフレームｎ＋７におけるｓＰＵＳＣＨ４２３の送信電力に用いられるｆｃ（ｎ＋７）は、ｆｃ（ｎ＋１）＋Ａ＋Ｃ＋Ｄ＋Ｆであってもよい。
【０３３９】
ＤＣＩフォーマット４００から４０５に含まれるＴＰＣコマンドによって得られる補正値がそれぞれ、Ａ、Ｂ、Ｃ、Ｄ、Ｅ、Ｆである場合、且つ、同じサービングセルのＰＵＳＣＨとｓＰＵＳＣＨのｆｃ（ｉ）が共有される場合、且つ、ＴＰＣアキュムレーションが有効である場合、且つ、ｓＰＵＳＣＨに対するＴＰＣコマンドを構成するビット数がＰＵＳＣＨに対するＴＰＣコマンドを構成するビット数よりも多い場合、サブフレームｎ＋３におけるＰＵＳＣＨ４１０の送信電力に用いられるｆｃ（ｎ＋３）は、ｆｃ（ｎ＋１）＋Ａであってもよい。また、サブフレームｎ＋４におけるｓＰＵＳＣＨ４２１の送信電力に用いられるｆｃ（ｎ＋４）は、ｆｃ（ｎ＋１）＋Ａ＋Ｃであってもよい。また、サブフレームｎ＋４におけるｓＰＵＳＣＨ４２２の送信電力に用いられるｆｃ（ｎ＋４）は、ｆｃ（ｎ＋１）＋Ａ＋Ｃ＋Ｄであってもよい。また、サブフレームｎ＋６におけるＰＵＳＣＨ４１１の送信電力に用いられるｆｃ（ｎ＋６）は、ｆｃ（ｎ＋１）＋Ａ＋Ｃ＋Ｄであってもよい。また、サブフレームｎ＋７におけるｓＰＵＳＣＨ４２３の送信電力に用いられるｆｃ（ｎ＋７）は、ｆｃ（ｎ＋１）＋Ａ＋Ｃ＋Ｄ＋Ｆであってもよい。
【０３４０】
ＤＣＩフォーマット４００から４０５に含まれるＴＰＣコマンドによって得られる補正値がそれぞれ、Ａ、Ｂ、Ｃ、Ｄ、Ｅ、Ｆである場合、且つ、同じサービングセルのＰＵＳＣＨとｓＰＵＳＣＨのｆｃ（ｉ）が共有される場合、且つ、ＴＰＣアキュムレーションが有効である場合、サブフレームｎ＋３におけるＰＵＳＣＨ４１０の送信電力に用いられるｆｃ（ｎ＋３）は、ｆｃ（ｎ＋１）＋Ａであってもよい。また、サブフレームｎ＋４におけるｓＰＵＳＣＨ４２１の送信電力に用いられるｆｃ（ｎ＋４）は、ｆｃ（ｎ＋１）＋Ａ＋Ｃであってもよい。また、サブフレームｎ＋４におけるｓＰＵＳＣＨ４２２の送信電力に用いられるｆｃ（ｎ＋４）は、ｆｃ（ｎ＋１）＋Ａ＋Ｃ＋Ｄであってもよい。また、サブフレームｎ＋６におけるＰＵＳＣＨ４１１の送信電力に用いられるｆｃ（ｎ＋６）は、ｆｃ（ｎ＋１）＋Ａ＋Ｃ＋Ｄであってもよい。また、サブフレームｎ＋７におけるｓＰＵＳＣＨ４２３の送信電力に用いられるｆｃ（ｎ＋７）は、ｆｃ（ｎ＋１）＋Ａ＋Ｃ＋Ｄ＋Ｆであってもよい。
【０３４１】
つまり、第１のサブフレームで検出したＤＣＩフォーマットに対応するＰＵＳＣＨを送信する前に、第１のサブフレームよりの後の第２のサブフレームで検出したＤＣＩフォーマットに対応するｓＰＵＳＣＨを送信するとすれば、第１のサブフレームで検出したＤＣＩフォーマットに含まれるＴＰＣコマンドによって得られる補正値はＰＵＳＣＨの送信電
力に適用されなくてもよい。つまり、この場合、該第１のサブフレームで検出したＤＣＩフォーマットに対応するＰＵＳＣＨの送信電力には、該第２のサブフレームで検出したＤＣＩフォーマットに含まれるＴＰＣコマンドによって得られる補正値が適用されてもよい。
【０３４２】
また、ｓＰＵＳＣＨに対するＴＰＣコマンドを構成するビット数がＰＵＳＣＨに対するＴＰＣコマンドを構成するビット数よりも多い場合、第１のサブフレームで検出したＤＣＩフォーマットに対応するＰＵＳＣＨを送信する前に、第１のサブフレームよりの後の第２のサブフレームで検出したＤＣＩフォーマットに対応するｓＰＵＳＣＨを送信するとすれば、第１のサブフレームで検出したＤＣＩフォーマットに含まれるＴＰＣコマンドによって得られる補正値はＰＵＳＣＨの送信電力に適用されなくてもよい。つまり、この場合、該第１のサブフレームで検出したＤＣＩフォーマットに対応するＰＵＳＣＨの送信電力には、該第２のサブフレームで検出したＤＣＩフォーマットに含まれるＴＰＣコマンドによって得られる補正値が適用されてもよい。
【０３４３】
なお、図４において、ＤＣＩフォーマット４００から４０５について、ＰＵＳＣＨまたはｓＰＵＳＣＨのスケジューリングに用いられる、と説明したが、ＤＣＩフォーマット３／３Ａ／Ｚのように、ＰＵＳＣＨまたはｓＰＵＳＣＨに対するＴＰＣコマンドのみを送信するために用いられてもよい。
【０３４４】
ここで、ＴＰＣアキュムレーションが無効である、つまり、ＴＰＣアキュムレーション（つまり、ＴＰＣコマンドによって得られる補正値の累算処理）を行なわない場合、サブフレームｎ＋２におけるｓＰＵＳＣＨ４２０の送信電力に用いられるｆｃ（ｎ＋２）は、Ａであってもよい。同様に、サブフレームｎ＋３におけるＰＵＳＣＨ４１０の送信電力に用いられるｆｃ（ｎ＋３）は、Ｂであってもよい。同様に、サブフレームｎ＋４におけるｓＰＵＳＣＨ４２１の送信電力に用いられるｆｃ（ｎ＋４）は、Ｃであってもよい。同様に、サブフレームｎ＋４におけるｓＰＵＳＣＨ４２２の送信電力に用いられるｆｃ（ｎ＋４）は、Ｄであってもよい。同様に、サブフレームｎ＋６におけるＰＵＳＣＨ４１１の送信電力に用いられるｆｃ（ｎ＋６）は、Ｅであってもよい。同様に、サブフレームｎ＋７におけるＰＵＳＣＨ４２３の送信電力に用いられるｆｃ（ｎ＋７）は、Ｆであってもよい。
【０３４５】
１つのサービングセルにおいて、ｓＰＵＳＣＨおよびＰＵＳＣＨの同時送信が設定されていない場合、同じサブフレーム（例えば、サブフレームｉ）においてｓＰＵＳＣＨおよびＰＵＳＣＨの送信が重複するとすれば、端末装置は、何れか一方の物理チャネルの送信をドロップしてもよい。また、端末装置は、ｓＰＵＳＣＨとＰＵＳＣＨの送信が同じサブフレームで生じるとすれば、ＰＵＳＣＨにおいて、ｓＰＵＳＣＨと重複しているリソースまたはシンボル（つまり、重複部分）をドロップしてもよい。つまり、端末装置は、ｓＰＵＳＣＨの送信を優先し、ｓＰＵＳＣＨと重複しているＰＵＳＣＨのリソースまたはシンボルの送信をドロップしてもよい。その際、ｓＰＵＳＣＨの送信電力に対して、ＰＵＳＣＨに対するＴＰＣコマンドによって得られる補正値は適用されなくてもよい。
【０３４６】
１つのサービングセル（例えば、サービングセルｃ）において、ｓＰＵＳＣＨおよびＰＵＳＣＨの送信が設定される場合、ｓＰＵＳＣＨの送信電力に用いられるパスロス値とＰＵＳＣＨの送信電力に用いられるパスロス値は共有されてもよい。つまり、同じサービングセルでｓＰＵＳＣＨとＰＵＳＣＨが送信される場合、同じサービングセルのＣＲＳに基づくＲＳＲＰ測定から得られたパスロス値は、ｓＰＵＳＣＨとＰＵＳＣＨで共有されてもよい。また、同じサービングセルでｓＰＵＳＣＨとＰＵＳＣＨが送信される場合、ｓＰＵＳＣＨに対するパスロスリファレンスリンキングとＰＵＳＣＨに対するパスロスリファレンスリンキングとは同じであってもよい。つまり、同じサービングセルでｓＰＵＳＣＨと
ＰＵＳＣＨが送信される場合、パスロスリファレンスリンキングは、サービングセル毎に設定されてもよい。
【０３４７】
ＤＬ−ｓＴＴＩが設定される場合、且つ、ＰＤＣＣＨがサブフレーム内の先頭のＤＬ−ｓＴＴＩにしか割り当てられない場合、つまり、ＰＵＳＣＨに対するＴＰＣコマンドがサブフレーム内の先頭のＤＬ−ｓＴＴＩ（言い換えると、ＰＤＣＣＨ領域に含まれるＤＣＩフォーマット）にしか割り当てられない場合、ＦＤＤまたはＦＤＤ−ＴＤＤ、および、サービングセルＦＳ１に対して、ＫＰＵＳＣＨの値は４であってもよい。また、ＴＤＤ  ＵＬ／ＤＬ設定１から６に対しては、ＫＰＵＳＣＨの値は、ＴＤＤ  ＵＬ／ＤＬ設定に対応するテーブルに基づいて与えられてもよい。ＴＤＤ  ＵＬ／ＤＬ設定０に対しては、上述したように、ＫＰＵＳＣＨの値は与えられてもよい。
【０３４８】
ＤＬ−ｓＴＴＩが設定される場合、且つ、サブフレーム内の先頭のＤＬ−ｓＴＴＩのみにおいてＰＤＣＣＨが検出された場合、つまり、サブフレーム内の先頭のＤＬ−ｓＴＴＩのみにおいてＰＵＳＣＨに対するＴＰＣコマンドを受信した場合、ＦＤＤまたはＦＤＤ−ＴＤＤ、および、サービングセルＦＳ１に対して、ＫＰＵＳＣＨの値は４であってもよい。また、ＴＤＤ  ＵＬ／ＤＬ設定１から６に対しては、ＫＰＵＳＣＨの値は、ＴＤＤ  ＵＬ／ＤＬ設定に対応するテーブルに基づいて与えられてもよい。ＴＤＤ  ＵＬ／ＤＬ設定０に対しては、上述したように、ＫＰＵＳＣＨの値は与えられてもよい。
【０３４９】
ＴＤＤに対して、ＤＬ−ｓＴＴＩを構成するシンボルの数とＵＬ−ｓＴＴＩを構成するシンボルの数は、同じ数が好ましい。
【０３５０】
ＰＵＳＣＨのスケジューリングに用いられるＤＣＩフォーマットとｓＰＵＳＣＨのスケジューリングに用いられるＤＣＩフォーマットが異なるＤＣＩフォーマットとして規定される場合には、ＰＵＳＣＨに対するｆｃ（ｉ）とｓＰＵＳＣＨに対するｆｃ（ｉ）は、個別のパラメータとして規定されてもよい。ＴＰＣアキュムレーションが有効である場合には、個別に累算処理されてもよい。
【０３５１】
ＰＵＳＣＨの送信サブフレームとｓＰＵＳＣＨの送信サブフレームがそれぞれ異なる上りリンク電力制御サブフレームセットに属する場合には、ＰＵＳＣＨに対するｆｃ（ｉ）とｓＰＵＳＣＨに対するｆｃ（ｉ）は、個別のパラメータとして規定されてもよい。ＰＵＳＣＨの送信サブフレームとｓＰＵＳＣＨの送信サブフレームがそれぞれ異なる上りリンク電力制御サブフレームセットに属する場合、且つ、ＰＵＳＣＨおよびｓＰＵＳＣＨのそれぞれに対するＴＰＣアキュムレーションが有効である場合には、端末装置は、ＰＵＳＣＨに対するｆｃ（ｉ）とｓＰＵＳＣＨに対するｆｃ（ｉ）に対して個別にＴＰＣアキュムレーションを行なってもよい。
【０３５２】
１つのサービングセルにおいて、ｓＰＵＳＣＨおよびＰＵＳＣＨの同時送信が設定されていない場合、ｓＰＵＳＣＨの送信とＰＵＳＣＨの送信が異なるサブフレームで生じるとすれば、ＰＵＳＣＨに対するｆｃ（ｉ）とｓＰＵＳＣＨに対するｆｃ（ｉ）は共有されてもよい。つまり、ＰＵＳＣＨに対するｆｃ（ｉ）が、ｓＰＵＳＣＨに対するｆｃ（ｉ）に反映されてもよいし、ｓＰＵＳＣＨに対するｆｃ（ｉ）が、ＰＵＳＣＨに対するｆｃ（ｉ）に反映されてもよい。
【０３５３】
ＰＵＳＣＨに対するｆｃ（ｉ）とｓＰＵＳＣＨに対するｆｃ（ｉ）が共有される場合、つまり、ＰＵＳＣＨに対するＴＰＣコマンドとｓＰＵＳＣＨに対するＴＰＣコマンドを用いてｆｃ（ｉ）が算出される場合、ＰＵＳＣＨに対するＴＰＣコマンドを適用するタイミングと、ｓＰＵＳＣＨに対するＴＰＣコマンドを適用するタイミングは異なってもよい。例えば、ＫＰＵＳＣＨの値とＫｓＰＵＳＣＨの値はそれぞれ、上述した条件において、異
なる値となってもよい。
【０３５４】
また、ＰＵＳＣＨに対するＴＰＣコマンドを適用するタイミングとｓＰＵＳＣＨに対するＴＰＣコマンドを適用するタイミングが上述した条件において異なるとすれば、ＰＵＳＣＨに対するｆｃ（ｉ）とｓＰＵＳＣＨに対するｆｃ（ｉ）は共有されてもよい。
【０３５５】
また、ＤＣＩフォーマット０／４／Ｘ／３／３Ａ／Ｚに、ＰＵＳＣＨの送信サブフレームを示すフィールドまたはｓＰＵＳＣＨの送信ｓＴＴＩ（送信ｓＴＴＩの代わりに送信サブフレームであってもよい。）を示すフィールドが含まれる場合、ＰＵＳＣＨに対するｆｃ（ｉ）とｓＰＵＳＣＨに対するｆｃ（ｉ）は共有されてもよい。
【０３５６】
サブフレームｉにおいて、少なくとも１つのｓＰＵＳＣＨの送信が行なわれるとすれば、サブフレームｉ＋１におけるＰＵＳＣＨの送信電力に用いられるｆｃ（ｉ＋１）に対して、ｓＰＵＳＣＨの送信電力に用いられるｆｃ（ｉ）が適用されてもよい。また、サブフレームｉとサブフレームｉ＋１が同じ上りリンク電力制御サブフレームセットに属するとすれば、サブフレームｉ＋１におけるＰＵＳＣＨの送信電力に用いられるｆｃ（ｉ＋１）に対して、ｓＰＵＳＣＨの送信電力に用いられるｆｃ（ｉ）が適用されてもよい。それ以外の場合、例えば、サブフレームｉとサブフレームｉ＋１がそれぞれ異なる上りリンク電力制御サブフレームセットに属するとすれば、サブフレームｉ＋１におけるＰＵＳＣＨの送信電力に用いられるｆｃ（ｉ＋１）に対して、ｓＰＵＳＣＨの送信電力に用いられるｆｃ（ｉ）は適用されなくてもよい。
【０３５７】
あるサービングセルｃにおける、ＰＵＳＣＨとｓＰＵＳＣＨに対するｆｃ（ｉ）および／またはＴＰＣアキュムレーションが共有される場合、つまり、ＰＵＳＣＨとｓＰＵＳＣＨのそれぞれに対するＴＰＣコマンドが１つのｆｃ（ｉ）に反映または適用される場合、且つ、ｓＰＵＳＣＨの送信が許可されることによって、ＰＵＳＣＨに対するＫＰＵＳＣＨの値が上述した条件において短縮または変更される場合、且つ、ＰＵＳＣＨの送信に対してスケジュールされた後、ｓＰＵＳＣＨの送信がスケジュールされ、ｓＰＵＳＣＨの送信の方が、ＰＵＳＣＨの送信が行なわれるサブフレームよりも前のサブフレームで行なわれる場合、ＰＵＳＣＨのスケジューリングに用いられたＤＣＩフォーマットに含まれるＴＰＣコマンドの値をｓＰＵＳＣＨの送信電力に用いられるｆｃ（ｉ）に適用されてもよい。
【０３５８】
ｓＴＴＩオペレーションを行なう場合、且つ、ＤＣＩフォーマット０／４が適用されるタイミングが変わり、且つ、ＤＣＩフォーマット３／３Ａが適用されるタイミングが変わる場合、つまり、ｓＴＴＩオペレーションによってＤＣＩフォーマット０／４／３／３Ａに対する処理時間が短縮される場合、同じサブフレームでＤＣＩフォーマット０／４とＤＣＩフォーマット３／３Ａを受信するとすれば、ＤＣＩフォーマット３／３ＡのＴＰＣコマンドから得られる補正値は、ＰＵＳＣＨの送信電力に用いられるｆｃ（ｉ）に適用されなくてもよい。
【０３５９】
ｓＴＴＩオペレーションを行なう場合、且つ、ＤＣＩフォーマット０／４が適用されるタイミングが変わらない、且つ、ＤＣＩフォーマット３／３Ａが適用されるタイミングが変わる場合、つまり、ｓＴＴＩオペレーションによってＤＣＩフォーマット０／４に対する処理時間が短縮されず、且つ、ｓＴＴＩオペレーションによってＤＣＩフォーマット３／３Ａに対する処理時間が短縮される場合、同じサブフレームでＤＣＩフォーマット０／４とＤＣＩフォーマット３／３Ａを受信するとすれば、ＤＣＩフォーマット３／３ＡのＴＰＣコマンドから得られる補正値は、ＰＵＳＣＨの送信電力に用いられるｆｃ（ｉ）に適用されてもよい。
【０３６０】
ＴＰＣアキュムレーションが有効である場合、且つ、端末装置がｓＴＴＩオペレーショ
ンを行なう場合、サブフレームｉ内の２番目のスロットに含まれるｓＰＵＳＣＨ／ｓＴＴＩに対するＴＰＣコマンドから得られる補正値は、サブフレームｉ内の２番目のスロットに含まれるｓＰＵＳＣＨ／ｓＴＴＩに対するＴＰＣコマンドのデコードがサブフレームｉにおけるＰＵＳＣＨ送信よりも早く終わらないとすれば、サブフレームｉにおけるＰＵＳＣＨ／ＴＴＩの送信電力に反映または適用されなくてもよい。ただし、次のサブフレームのために、サブフレームｉ内の２番目のスロットに含まれるｓＰＵＳＣＨ／ｓＴＴＩに対するＴＰＣコマンドによって得られる補正値は、サブフレームｉ＋１のＰＵＳＣＨまたはｓＰＵＳＣＨに対するｆｃ（ｉ＋１）に適用されてもよい。つまり、ＰＵＳＣＨまたはｓＰＵＳＣＨに対するｆｃ（ｉ＋１）は、該ｆｃ（ｉ）に基づいて与えられてもよい。
【０３６１】
ＴＰＣアキュムレーションが有効である場合、且つ、端末装置がｓＴＴＩオペレーションを行なう場合、且つ、サブフレームｉでＰＵＳＣＨの送信とｓＰＵＳＣＨの送信が衝突する場合、且つ、ｓＰＵＳＣＨの送信が、サブフレームｉ内の１番目のスロットに含まれる場合、サブフレームｉにおけるＰＵＳＣＨの送信はドロップされてもよい。サブフレームｉにおいて、ＰＵＳＣＨに対するＴＰＣコマンドによって得られる補正値は適用されなくてもよい。
【０３６２】
ＴＰＣアキュムレーションが有効である場合、且つ、端末装置がｓＴＴＩオペレーションを行なう場合、且つ、サービングセルｃにおいて、サブフレームｉとサブフレームｉ−２が同じ上りリンク電力制御サブフレームセットに属する場合、且つ、サブフレームｉにおけるＰＵＳＣＨの送信がサブフレームｉ−４でスケジュールされた後に、サブフレームｉ−２におけるｓＰＵＳＣＨの送信がサブフレームｉ−３でスケジュールされる場合には、サブフレームｉ−４で受信したＴＰＣコマンドから得られる補正値は、サブフレームｉ−２に対するｓＰＵＳＣＨの送信電力に適用されてもよい。
【０３６３】
また、ＴＰＣアキュムレーションが有効である場合、且つ、端末装置がｓＴＴＩオペレーションを行なう場合、且つ、サービングセルｃにおいて、サブフレームｉとサブフレームｉ−２が同じ上りリンク電力制御サブフレームセットに属する場合、且つ、サブフレームｉにおけるＰＵＳＣＨの送信がサブフレームｉ−４でスケジュールされた後に、サブフレームｉ−２におけるｓＰＵＳＣＨの送信がサブフレームｉ−３でスケジュールされる場合には、サブフレームｉ−４で受信したＴＰＣコマンドから得られる補正値は、サブフレームｉに対するＰＵＳＣＨの送信電力に適用されなくてもよい。つまり、サブフレームｉ−４で検出したＴＰＣコマンドはドロップされてもよい。また、サブフレームｉとサブフレームｉ−２が同じ上りリンク電力制御サブフレームセットに属さないとすれば、ＰＵＳＣＨに対するＴＰＣコマンドとｓＰＵＳＣＨに対するＴＰＣコマンドから得られる補正値は、それぞれの上りリンク電力制御サブフレームセットにおいて、ＰＵＳＣＨまたはｓＰＵＳＣＨの送信電力に用いられるｆｃ（ｉ）またはｆｃ，２（ｉ）に適用されてもよい。
【０３６４】
ＴＰＣアキュムレーションが無効である場合（つまり、ＴＰＣアブソリュートである場合）、且つ、端末装置がｓＴＴＩオペレーションを行なう場合、且つ、ＴＰＣアブソリュートにおいて、同じサービングセルのｓＰＵＳＣＨとＰＵＳＣＨのｆｃ（ｉ）が共有される場合、サブフレームｉ内の２番目のスロットに含まれるｓＰＵＳＣＨ／ｓＴＴＩに対するＴＰＣコマンドから得られる補正値は、サブフレームｉ内の２番目のスロットに含まれるｓＰＵＳＣＨ／ｓＴＴＩに対するＴＰＣコマンドのデコードがサブフレームｉにおけるＰＵＳＣＨ送信よりも前に完了しないとすれば、サブフレームｉにおけるＰＵＳＣＨ／ＴＴＩの送信電力に反映または適用されなくてもよい。ただし、次のサブフレーム（サブフレームｉ＋１）のＰＵＳＣＨ送信に対して、サブフレームｉ内の２番目のスロットに含まれるｓＰＵＳＣＨ／ｓＴＴＩに対するＴＰＣコマンドによって得られる補正値は、適用されてもよい。例えば、サブフレームｉとサブフレームｉ−２が同じ上りリンク電力制御サブフレームセットに属する場合、且つ、サブフレームｉにおけるＰＵＳＣＨの送信がサブ
フレームｉ−４でスケジュールされた後に、サブフレームｉ−２におけるｓＰＵＳＣＨの送信がサブフレームｉ−３でスケジュールされる場合には、サブフレームｉ−３で受信したｓＰＵＳＣＨに対するＴＰＣコマンドから得られる補正値は、サブフレームｉ−２におけるｓＰＵＳＣＨの送信電力およびサブフレームｉにおけるＰＵＳＣＨの送信電力に適用されてもよい。つまり、サブフレームｉにおけるＰＵＳＣＨまたはｓＰＵＳＣＨの送信電力に対して、同じサブフレームセットの直近のＴＰＣコマンドから得られる補正値が適用されてもよい。また、それ以外の場合、例えば、サブフレームｉとサブフレームｉ−２が同じ上りリンク電力制御サブフレームセットに属さないとすれば、ＰＵＳＣＨに対するＴＰＣコマンドとｓＰＵＳＣＨに対するＴＰＣコマンドから得られる補正値は、それぞれの上りリンク電力制御サブフレームセットにおいて、ＰＵＳＣＨまたはｓＰＵＳＣＨの送信電力に用いられるｆｃ（ｉ）またはｆｃ，２（ｉ）に対して適用されてもよい。また、ＴＰＣアブソリュートにおいて、同じサービングセルのｓＰＵＳＣＨとＰＵＳＣＨのｆｃ（ｉ）が共有されないとすれば、ＰＵＳＣＨに対するＴＰＣコマンドから得られる補正値は、ＰＵＳＣＨに対する送信電力に適用され、ｓＰＵＳＣＨに対するＴＰＣコマンドから得られる補正値は、ｓＰＵＳＣＨに対する送信電力に適用されてもよい。
【０３６５】
例えば、同じ下りリンクサブフレームで、同じ上りリンク電力制御サブフレームセットに属する上りリンクサブフレームで送信されるＰＵＳＣＨとｓＰＵＳＣＨのスケジューリングに用いられるＤＣＩフォーマット（つまり、第１のＤＣＩフォーマットと第２のＤＣＩフォーマット）を検出した場合、ｓＰＵＳＣＨの送信タイミングがＰＵＳＣＨの送信タイミングよりも早い場合、ｓＰＵＳＣＨの送信電力に対して、ｓＰＵＳＣＨのスケジューリングに用いられるＤＣＩフォーマットに含まれるＴＰＣコマンドだけでなく、ＰＵＳＣＨのスケジューリングに用いられるＤＣＩフォーマットに含まれるＴＰＣコマンドによって得られる補正値も適用されてもよい。また、ＰＵＳＣＨの送信電力に対して、ＰＵＳＣＨのスケジューリングに用いられるＤＣＩフォーマットに含まれるＴＰＣコマンドだけでなく、ｓＰＵＳＣＨのスケジューリングに用いられるＤＣＩフォーマットに含まれるＴＰＣコマンドによって得られる補正値も適用されてもよい。
【０３６６】
また、ｓＴＴＩオペレーションが設定される場合、且つ、同じサービングセルのＰＵＳＣＨとｓＰＵＳＣＨの上りリンク電力制御が共有される場合、且つ、ＰＵＳＣＨに対するＴＰＣコマンドを含むＤＣＩフォーマットおよび／またはｓＰＵＳＣＨに対するＴＰＣコマンドを含むＤＣＩフォーマットに、ＴＰＣコマンドを適用するサブフレームまたはｓＴＴＩを示すフィールドが設定される場合、ＴＰＣコマンドをそのフィールドが示すサブフレームまたはｓＴＴＩにおいて適用されてもよい。ＴＰＣコマンドを適用するサブフレームまたはｓＴＴＩを示すフィールドは、ＤＣＩフォーマットの種類によって名称が変わってもよい。例えば、ＤＣＩフォーマット０／４／Ｘに、該フィールドが含まれる場合は、該フィールドは、ＰＵＳＣＨまたはｓＰＵＳＣＨの送信サブフレームまたは送信ｓＴＴＩを示すフィールドと称されてもよい。該フィールドがＤＣＩフォーマットに含まれるかどうかは、上位層パラメータに基づいて決定されてもよい。例えば、同じ下りリンクサブフレーム（例えば、サブフレームｎ）において、ＰＵＳＣＨのスケジューリングに用いられる第１のＤＣＩフォーマットとｓＰＵＳＣＨのスケジューリングに用いられる第２のＤＣＩフォーマットを検出した場合、該第１のＤＣＩフォーマットに含まれる該フィールドが、３サブフレーム後での送信（例えば、サブフレームｎ＋３でのＰＵＳＣＨ送信）を示し、該第２のＤＣＩフォーマットに含まれる該フィールドが、２サブフレーム後での送信（例えば、サブフレームｎ＋２でのｓＰＵＳＣＨ送信）を示すとすれば、サブフレームｎ＋２におけるｓＰＵＳＣＨの送信電力に対しては、該第１のＤＣＩフォーマットに含まれるＴＰＣコマンドによって得られる補正値は適用されなくてもよい。また、サブフレームｎ＋２とサブフレームｎ＋３が同じ上りリンク電力制御サブフレームセットに属するとすれば、サブフレームｎ＋３におけるＰＵＳＣＨの送信電力に対しては、該第２のＤＣＩフォーマットに含まれるＴＰＣコマンドによって得られる補正値が適用されてもよい。
【０３６７】
なお、サービングセルｃに対する、ＰＵＳＣＨに対する上りリンク電力制御に関するパラメータ（例えば、ＰＯ＿ＮＯＭＩＮＡＬ＿ＰＵＳＣＨやＰＯ＿ＵＥ＿ＰＵＳＣＨ）とｓＰＵＳＣＨに対する上りリンク電力制御に関するパラメータ（例えば、ＰＯ＿ＮＯＭＩＮＡＬ＿ｓＰＵＳＣＨやＰＯ＿ＵＥ＿ｓＰＵＳＣＨ）が同じ値に設定される場合、ＰＵＳＣＨに対するｆｃ（ｉ）とｓＰＵＳＣＨに対するｆｃ（ｉ）が共有されてもよい。また、ｓＰＵＳＣＨに対する送信電力が、ＰＵＳＣＨに対する上りリンク電力制御に関するパラメータを用いてセットされる場合、ＰＵＳＣＨに対するｆｃ（ｉ）とｓＰＵＳＣＨに対するｆｃ（ｉ）が共有されてもよい。また、ある上位層パラメータに基づいてＰＵＳＣＨに対するｆｃ（ｉ）とｓＰＵＳＣＨに対するｆｃ（ｉ）が共有されることが設定された場合、ＰＵＳＣＨに対するｆｃ（ｉ）とｓＰＵＳＣＨに対するｆｃ（ｉ）が共有されてもよい。それ以外の場合、ＰＵＳＣＨに対するｆｃ（ｉ）とｓＰＵＳＣＨに対するｆｃ（ｉ）は共有されなくてもよい。つまり、条件に応じて、ＰＵＳＣＨに対するｆｃ（ｉ）とｓＰＵＳＣＨに対するｆｃ（ｉ）が個別に設定される場合と、共通のパラメータとして設定される場合があってもよい。
【０３６８】
ｓＰＵＳＣＨに対してＳＰＳが設定される場合、同じサブフレームで、ＰＵＳＣＨに対するＤＣＩフォーマット０／４とｓＰＵＳＣＨに対するＤＣＩフォーマット３／３Ａを受信する場合、ＤＣＩフォーマット３／３Ａに含まれるＴＰＣコマンドによって得られる補正値が適用されてもよい。
【０３６９】
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数および／または異なる周波数のエリアに混在して一つの通信システムを形成している無線ネットワークのことを、ヘテロジニアスネットワークと称する。
【０３７０】
端末装置は、電源を入れた直後など（例えば、起動時）において、いずれのネットワーク（ネットワークが管理するサービングセル）とも非接続状態である。このような非接続状態をアイドルモード（ＲＲＣアイドル）と称する。アイドルモードの端末装置は通信を行なうために、いずれかのネットワークと接続する必要がある。つまり、端末装置は、接続モード（ＲＲＣ接続）になる必要がある。ここで、ネットワークは、ネットワークに属する基地局装置やアクセスポイント、ネットワークサーバ、モデムなどを含んでもよい。
【０３７１】
端末装置と基地局装置は、ＣＡによって複数の異なる周波数バンド（周波数帯）の周波数（コンポーネントキャリア、または、周波数帯域）を集約（アグリゲート）して一つの周波数（周波数帯域）のように扱う技術を適用してもよい。コンポーネントキャリアには、上りリンク（上りリンクセル）に対応する上りリンクコンポーネントキャリアと、下りリンク（下りリンクセル）に対応する下りリンクコンポーネントキャリアとがある。本実施形態において、周波数と周波数帯域は同義的に使用され得る。
【０３７２】
例えば、ＣＡによって周波数帯域幅が２０ＭＨｚのコンポーネントキャリアを５つ集約した場合、ＣＡを可能な能力を持つ端末装置はこれらを１００ＭＨｚの周波数帯域幅とみなして送受信を行なってもよい。なお、集約するコンポーネントキャリアは連続した周波数であっても、すべてまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。端末装置および／または基地局装置は、それらのオペレーティングバンドに属するコンポーネントキャ
リア（セルに相当するコンポーネントキャリア）を用いて同時に、送信および／または受信を行なってもよい。
【０３７３】
また、同一周波数帯の連続または不連続の複数のコンポーネントキャリアを集約することも可能である。各コンポーネントキャリアの周波数帯域幅は端末装置の受信可能周波数帯域幅（例えば、２０ＭＨｚ）よりも狭い周波数帯域幅（例えば、５ＭＨｚや１０ＭＨｚ）であってもよく、集約する周波数帯域幅が各々異なっていてもよい。ＮＲ（Ｎｅｗ  Ｒａｄｉｏ，Ｎｅｗ  Ｒａｄｉｏ  Ａｃｃｅｓｓ  Ｔｅｃｈｎｏｌｏｇｙ）の機能を有する端末装置および／または基地局装置は、ＬＴＥセルと後方互換性を持つセルと、後方互換性を持たないセルの両方をサポートしてもよい。
【０３７４】
また、ＬＲの機能を有する端末装置および／または基地局装置は、ＬＴＥと後方互換性のない複数のコンポーネントキャリア（キャリアタイプ、セル）を集約してもよい。なお、基地局装置が端末装置に割り当てる（設定する、追加する）上りリンクコンポーネントキャリアの数は、下りリンクコンポーネントキャリアの数と同じか少なくてもよい。
【０３７５】
無線リソース要求のための上りリンク制御チャネルの設定が行なわれる上りリンクコンポーネントキャリアと、当該上りリンクコンポーネントキャリアとセル固有接続される下りリンクコンポーネントキャリアから構成されるセルは、ＰＣｅｌｌと称される。また、ＰＣｅｌｌ以外のコンポーネントキャリアから構成されるセルは、ＳＣｅｌｌと称される。端末装置は、ＰＣｅｌｌでページングメッセージの受信、報知情報の更新の検出、初期アクセス手順、セキュリティ情報の設定などを行なう一方、ＳＣｅｌｌではこれらを行なわなくてもよい。
【０３７６】
ＰＣｅｌｌは活性化（Ａｃｔｉｖａｔｉｏｎ）および不活性化（Ｄｅａｃｔｉｖａｔｉｏｎ）の制御の対象外であるが（つまり必ず活性化しているとみなされる）、ＳＣｅｌｌは活性化および不活性化という状態（ｓｔａｔｅ）を持ち、これらの状態の変更は、基地局装置から明示的に指定されるほか、コンポーネントキャリア毎に端末装置に設定されるタイマーに基づいて状態が変更される。ＰＣｅｌｌとＳＣｅｌｌとを合わせてサービングセル（在圏セル）と称する。
【０３７７】
ＬＴＥセルとＬＲセルの両方をサポートしている端末装置および／または基地局装置は、ＬＴＥセルとＬＲセルの両方を用いて通信を行なう場合、ＬＴＥセルに関するセルグループとＬＲセルに関するセルグループを構成してもよい。つまり、ＬＴＥセルに関するセルグループとＬＲセルに関するセルグループのそれぞれにおいて、ＰＣｅｌｌに相当するセルが含まれてもよい。
【０３７８】
なお、ＣＡは、複数のコンポーネントキャリア（周波数帯域）を用いた複数のセルによる通信であり、セル・アグリゲーションとも称される。なお、端末装置は、周波数毎に中継局装置（またはリピーター）を介して基地局装置と無線接続（ＲＲＣ接続）されてもよい。すなわち、本実施形態の基地局装置は、中継局装置に置き換えられてもよい。
【０３７９】
基地局装置は端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。さらに、スモールセルは、そのエリアの大きさに応じて、フェムトセル、ピコセル、ナノセルに分類される。また、端末装置がある基地局装置と通信可能であるとき、その基地局装置のセルのうち、端末装置との通信に使用されるように設定されているセルはサービングセルであり、その他の通信に使用されないセルは周辺セルと称される。
【０３８０】
言い換えると、ＣＡにおいて、設定された複数のサービングセルは、１つのＰＣｅｌｌと１つまたは複数のＳＣｅｌｌとを含む。
【０３８１】
ＰＣｅｌｌは、初期コネクション（初期ＲＲＣコネクション）確立手順が行なわれたサービングセル、コネクション（ＲＲＣコネクション）再確立手順を開始したサービングセル、または、ハンドオーバ手順においてＰＣｅｌｌと指示されたセルである。ＰＣｅｌｌは、プライマリ周波数でオペレーションする。コネクションが（再）確立された時点、または、その後に、ＳＣｅｌｌが設定されてもよい。ＳＣｅｌｌは、セカンダリ周波数でオペレーションする。なお、コネクションは、ＲＲＣコネクションと称されてもよい。ＣＡをサポートしている端末装置に対して、１つのＰＣｅｌｌと１つ以上のＳＣｅｌｌで集約されてもよい。
【０３８２】
端末装置は、１つよりも多いサービングセルが設定されるか、セカンダリセルグループが設定されるとすれば、各サービングセルに対して、少なくとも所定の数のトランスポートブロックに対して、トランスポートブロックのコードブロックのデコーディング失敗に応じて、少なくとも所定の範囲に相当する受信したソフトチャネルビットを保持してもよい。
【０３８３】
ＬＡＡ端末は、２つ以上の無線アクセス技術（ＲＡＴ）に対応する機能をサポートしてもよい。
【０３８４】
ＬＡＡ端末は、２つ以上のオペレーティングバンドをサポートする。つまり、ＬＡＡ端末は、ＣＡに関する機能をサポートしている。
【０３８５】
また、ＬＡＡ端末は、ＴＤＤやＨＤ−ＦＤＤをサポートしてもよい。また、ＬＡＡ端末は、ＦＤ−ＦＤＤをサポートしてもよい。ＬＡＡ端末は、どのデュプレックスモード／フレーム構造タイプをサポートしているかを、能力情報などの上位層シグナリングを介して示してもよい。
【０３８６】
また、ＬＡＡ端末は、カテゴリーＸ（Ｘは所定の値）のＬＴＥ端末であってもよい。つまり、ＬＡＡ端末は、１つのＴＴＩで送信／受信可能なトランスポートブロックの最大ビット数が拡張されてもよい。ＬＴＥでは、１ＴＴＩは１サブフレームに相当する。
【０３８７】
なお、本実施形態において、ＴＴＩとサブフレームは個別に定義されてもよい。
【０３８８】
また、ＬＡＡ端末は、複数のデュプレックスモード／フレーム構造タイプをサポートしてもよい。
【０３８９】
ＦＳ１は、ＦＤ−ＦＤＤとＨＤ−ＦＤＤの両方に対して適用できる。ＦＤＤでは、各１０ｍｓ間隔で、下りリンク送信と上りリンク送信のそれぞれに対して１０サブフレームずつ利用できる。また、上りリンク送信と下りリンク送信は、周波数領域で分けられる。ＨＤ−ＦＤＤオペレーションにおいて、端末装置は、同時に送信と受信はできないが、ＦＤ−ＦＤＤオペレーションにおいてはその制限がない。
【０３９０】
周波数ホッピングや使用周波数が変更された際の、再チューニング時間（チューニングに必要な時間（サブフレーム数またはシンボル数））は上位層シグナリングによって設定されてもよい。
【０３９１】
例えば、ＬＡＡ端末において、サポートする下りリンク送信モード（ＰＤＳＣＨ送信モ
ード）の数は削減されてもよい。つまり、基地局装置は、ＬＡＡ端末から能力情報として、下りリンク送信モードの数、または、そのＬＡＡ端末がサポートしている下りリンク送信モードが示された場合には、その能力情報に基づいて、下りリンク送信モードを設定する。なお、ＬＡＡ端末は、自身がサポートしてない下りリンク送信モードに対するパラメータが設定された場合、その設定を無視してもよい。つまり、ＬＡＡ端末は、サポートしていない下りリンク送信モードに対する処理を行なわなくてもよい。ここで、下りリンク送信モードは、設定された下りリンク送信モードやＲＮＴＩの種類、ＤＣＩフォーマット、サーチスペースに基づいて、ＰＤＣＣＨ／ＥＰＤＣＣＨに対応するＰＤＳＣＨの送信方式を示すために用いられる。端末装置は、それらの情報に基づいて、ＰＤＳＣＨが、アンテナポート０で送信されるのか、送信ダイバーシティで送信されるのか、複数のアンテナポートで送信されるのか、などが分かる。端末装置は、それらの情報に基づいて、受信処理を適切に行なうことができる。同じ種類のＤＣＩフォーマットからＰＤＳＣＨのリソース割り当てに関するＤＣＩを検出しても、下りリンク送信モードやＲＮＴＩの種類が異なる場合には、そのＰＤＳＣＨは、同じ送信方式で送信されるとは限らない。
【０３９２】
端末装置が、ＰＵＣＣＨとＰＵＳＣＨの同時送信に関する機能をサポートしている場合、且つ、ＰＵＳＣＨの繰り返し送信および／またはＰＵＣＣＨの繰り返し送信に関する機能をサポートしている場合には、ＰＵＳＣＨの送信が生じたタイミングまたはＰＵＣＣＨの送信が生じたタイミングにおいて、ＰＵＣＣＨとＰＵＳＣＨは、所定の回数、繰り返し送信が行なわれてもよい。つまり、同じタイミング（つまり、同じサブフレーム）でＰＵＣＣＨとＰＵＳＣＨの同時送信を行なってもよい。
【０３９３】
このような場合において、ＰＵＣＣＨには、ＣＳＩレポートやＨＡＲＱ−ＡＣＫ、ＳＲが含まれてもよい。
【０３９４】
ＰＣｅｌｌでは、すべての信号が送受信可能であるが、ＳＣｅｌｌでは、送受信できない信号があってもよい。例えば、ＰＵＣＣＨは、ＰＣｅｌｌでのみ送信される。また、ＰＲＡＣＨは、セル間で、複数のＴＡＧ（Ｔｉｍｉｎｇ  Ａｄｖａｎｃｅ  Ｇｒｏｕｐ）が設定されない限り、ＰＣｅｌｌでのみ送信される。また、ＰＢＣＨは、ＰＣｅｌｌでのみ送信される。また、ＭＩＢは、ＰＣｅｌｌでのみ送信される。しかし、端末装置に、ＳＣｅｌｌでＰＵＣＣＨやＭＩＢを送信する機能がサポートされている場合には、基地局装置は、その端末装置に対して、ＰＵＣＣＨやＭＩＢをＳＣｅｌｌ（ＳＣｅｌｌに対応する周波数）で送信することを指示してもよい。つまり、端末装置がその機能をサポートしている場合には、基地局装置は、その端末装置に対して、ＰＵＣＣＨやＭＩＢをＳＣｅｌｌで送信するためのパラメータを設定してもよい。
【０３９５】
ＰＣｅｌｌでは、ＲＬＦ（Ｒａｄｉｏ  Ｌｉｎｋ  Ｆａｉｌｕｒｅ）が検出される。ＳＣｅｌｌでは、ＲＬＦが検出される条件を満たしてもＲＬＦが検出されたと認識しない。ＰＣｅｌｌの下位層において、ＲＬＦの条件を満たした場合、ＰＣｅｌｌの下位層は、ＰＣｅｌｌの上位層へＲＬＦの条件が満たされたことを通知する。ＰＣｅｌｌでは、ＳＰＳ（Ｓｅｍｉ−Ｐｅｒｓｉｓｔｅｎｔ  Ｓｃｈｅｄｕｌｉｎｇ）やＤＲＸ（Ｄｉｓｃｏｎｔｉｎｕｏｕｓ  Ｒｅｃｅｐｔｉｏｎ）が行なわれてもよい。ＳＣｅｌｌでは、ＰＣｅｌｌと同じＤＲＸが行なわれてもよい。ＳＣｅｌｌにおいて、ＭＡＣの設定に関する情報／パラメータは、基本的に、同じセルグループのＰＣｅｌｌと共有している。一部のパラメータ（例えば、ｓＴＡＧ−Ｉｄ）は、ＳＣｅｌｌ毎に設定されてもよい。一部のタイマーやカウンタが、ＰＣｅｌｌに対してのみ適用されてもよい。ＳＣｅｌｌに対してのみ、適用されるタイマーやカウンタが設定されてもよい。
【０３９６】
図５は、本実施形態に係る基地局装置２のブロック構成の一例を示す概略図である。基地局装置２は、上位層（上位層制御情報通知部）５０１、制御部（基地局制御部）５０２
、コードワード生成部５０３、下りリンクサブフレーム生成部５０４、ＯＦＤＭ信号送信部（下りリンク送信部）５０６、送信アンテナ（基地局送信アンテナ）５０７、受信アンテナ（基地局受信アンテナ）５０８、ＳＣ−ＦＤＭＡ信号受信部（チャネル状態測定部および／またはＣＳＩ受信部）５０９、上りリンクサブフレーム処理部５１０を有する。下りリンクサブフレーム生成部５０４は、下りリンク参照信号生成部５０５を有する。また、上りリンクサブフレーム処理部５１０は、上りリンク制御情報抽出部（ＣＳＩ取得部／ＨＡＲＱ−ＡＣＫ取得部／ＳＲ取得部）５１１を有する。なお、ＳＣ−ＦＤＭＡ信号受信部５０９は、受信信号やＣＣＡ、干渉雑音電力の測定部も兼ねている。なお、ＳＣ−ＦＤＭＡ信号受信部は、端末装置がＯＦＤＭ信号の送信をサポートしている場合には、ＯＦＤＭ信号受信部であってもよいし、ＯＦＤＭ信号受信部を含んでもよい。なお、下りリンクサブフレーム生成部は、下りリンクＴＴＩ生成部であってもよいし、下りリンクＴＴＩ生成部を含んでもよい。下りリンクＴＴＩ生成部は、下りリンクＴＴＩを構成する物理チャネルおよび／または物理信号の生成部であってもよい。なお、上りリンクについても同様であってもよい。なお、図示しないが、基地局装置は、下りリンク信号の送信電力を制御／セットするための電力制御部（下りリンク電力制御部）を含んでもよい。基地局装置には、ＴＡコマンドを送信する送信部が含まれてもよい。また、基地局装置には、端末装置から報告された受信と送信間の時間差に関する測定結果を受信する受信部が含まれてもよい。
【０３９７】
図６は、本実施形態に係る端末装置１のブロック構成の一例を示す概略図である。端末装置１は、受信アンテナ（端末受信アンテナ）６０１、ＯＦＤＭ信号受信部（下りリンク受信部）６０２、下りリンクサブフレーム処理部６０３、トランスポートブロック抽出部（データ抽出部）６０５、制御部（端末制御部）６０６、上位層（上位層制御情報取得部）６０７、チャネル状態測定部（ＣＳＩ生成部）６０８、上りリンクサブフレーム生成部６０９、ＳＣ−ＦＤＭＡ信号送信部（ＵＣＩ送信部）６１１および６１２、送信アンテナ（端末送信アンテナ）６１３および６１４を有する。下りリンクサブフレーム処理部６０３は、下りリンク参照信号抽出部６０４を有する。また、上りリンクサブフレーム生成部６０９は、上りリンク制御情報生成部（ＵＣＩ生成部）６１０を有する。なお、ＯＦＤＭ信号受信部６０２は、受信信号やＣＣＡ、干渉雑音電力の測定部も兼ねている。つまり、ＯＦＤＭ信号受信部６０２において、ＲＲＭ測定が行なわれてもよい。端末装置がＯＦＤＭ信号の送信をサポートしている場合には、ＳＣ−ＦＤＭＡ信号送信部は、ＯＦＤＭ信号送信部であってもよいし、ＯＦＤＭ信号送信部を含んでもよい。なお、上りリンクサブフレーム生成部は、上りリンクＴＴＩ生成部であってもよいし、下りリンクＴＴＩ生成部を含んでもよい。なお、図示しないが、端末装置は、上りリンク信号の送信電力を制御／セットするための電力制御部（上りリンク電力制御部）を含んでもよい。端末装置には、端末装置の受信と送信間の時間差を測定するための測定部が含まれてもよい。また、端末装置には、時間差の測定結果を報告する送信部が含まれてもよい。
【０３９８】
図５と図６のそれぞれにおいて、上位層は、ＭＡＣ（Ｍｅｄｉｕｍ  Ａｃｃｅｓｓ  Ｃｏｎｔｒｏｌ）層やＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層、ＲＲＣ（Ｒａｄｉｏ  Ｒｅｓｏｕｒｃｅ  Ｃｏｎｔｒｏｌ）層を含んでもよい。
【０３９９】
ＲＬＣ層は、上位層へＴＭ（Ｔｒａｎｓｐａｒｅｎｔ  Ｍｏｄｅ）データ伝送、ＵＭ（Ｕｎａｃｋｎｏｗｌｅｄｇｅｄ  Ｍｏｄｅ）データ伝送、上位層のＰＤＵ（Ｐａｃｋｅｔ
Ｄａｔａ  Ｕｎｉｔ）の伝送が成功したことを示すインディケーションを含むＡＭ（Ａｃｋｎｏｗｌｅｄｇｅｄ  Ｍｏｄｅ）データ伝送を行なう。また、下位層へはデータ伝送と、送信機会において送信されたＲＬＣ  ＰＤＵの全サイズとともに、送信機会の通知を行なう。
【０４００】
ＲＬＣ層は、上位層ＰＤＵの伝送に関する機能、（ＡＭデータ伝送に対してだけ）ＡＲＱ（Ａｕｔｏｍａｔｉｃ  Ｒｅｐｅａｔ  ｒｅＱｕｅｓｔ）を介したエラー補正に関する機能、（ＵＭとＡＭデータ伝送に対してだけ）ＲＬＣ  ＳＤＵ（Ｓｅｒｖｉｃｅ  Ｄａｔａ  Ｕｎｉｔ）の結合／分割／再構築に関する機能、（ＡＭデータ伝送に対して）ＲＬＣデータＰＤＵの再分割に関する機能、（ＡＭデータ伝送に対してだけ）ＲＬＣデータＰＤＵの並び替えに関する機能、（ＵＭとＡＭデータ伝送に対してだけ）重複検出に関する機能、（ＵＭとＡＭデータ伝送に対してだけ）ＲＬＣ  ＳＤＵの破棄に関する機能、ＲＬＣの再確立に関する機能、（ＡＭデータ伝送に対してだけ）プロトコルエラー検出に関する機能をサポートしている。
【０４０１】
まず、図５および図６を用いて、下りリンクデータの送受信の流れについて説明する。基地局装置２において、制御部５０２は、下りリンクにおける変調方式および符号化率などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いる情報（リダンダンシーバージョン、ＨＡＲＱプロセス番号、ＮＤＩ（Ｎｅｗ  Ｄａｔａ  Ｉｎｄｉｃａｔｏｒ））を保持し、これらに基づいてコードワード生成部５０３や下りリンクサブフレーム生成部５０４を制御する。上位層５０１から送られてくる下りリンクデータ（下りリンクトランスポートブロック、ＤＬ−ＳＣＨデータ、ＤＬ−ＳＣＨトランスポートブロックとも称す）は、コードワード生成部５０３において、制御部５０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部５０４では、制御部５０２の指示により、下りリンクサブフレームが生成される。まず、コードワード生成部５０３において生成されたコードワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。また、変調シンボル系列は、一部のＲＢ内のＲＥにマッピングされ、プレコーディング処理によりアンテナポート毎の下りリンクサブフレームが生成される。このとき、上位層５０１から送られてくる送信データ系列は、上位層における制御情報（例えば専用（個別の）ＲＲＣシグナリング）である上位層制御情報を含む。また、下りリンク参照信号生成部５０５では、下りリンク参照信号が生成される。下りリンクサブフレーム生成部５０４は、制御部５０２の指示により、下りリンク参照信号を下りリンクサブフレーム内のＲＥにマッピングする。下りリンクサブフレーム生成部５０４で生成された下りリンクサブフレームは、ＯＦＤＭ信号送信部５０６においてＯＦＤＭ信号に変調され、送信アンテナ５０７を介して送信される。なお、ここではＯＦＤＭ信号送信部５０６と送信アンテナ５０７を一つずつ有する構成を例示しているが、複数のアンテナポートを用いて下りリンクサブフレームを送信する場合は、ＯＦＤＭ信号送信部５０６と送信アンテナ５０７とを複数有する構成であってもよい。また、下りリンクサブフレーム生成部５０４は、ＰＤＣＣＨ／ＥＰＤＣＣＨ／ｓＰＤＣＣＨまたはＰＤＣＣＨ／ＥＰＤＣＣＨ／ｓＰＤＣＣＨに相当する制御チャネル／共用チャネルなどの物理層の下りリンク制御チャネルを生成して下りリンクサブフレーム内のＲＥにマッピングする能力も有することができる。複数の基地局装置は、それぞれ個別の下りリンクサブフレームを送信する。
【０４０２】
端末装置１では、受信アンテナ６０１を介して、ＯＦＤＭ信号受信部６０２においてＯＦＤＭ信号が受信され、ＯＦＤＭ復調処理が施される。
【０４０３】
下りリンクサブフレーム処理部６０３は、まずＰＤＣＣＨ／ＥＰＤＣＣＨ／ｓＰＤＣＣＨまたはＰＤＣＣＨ／ＥＰＤＣＣＨ／ｓＰＤＣＣＨに相当する制御チャネルなどの物理層の下りリンク制御チャネルを検出する。より具体的には、下りリンクサブフレーム処理部６０３は、ＰＤＣＣＨ／ＥＰＤＣＣＨ／ｓＰＤＣＣＨまたはＰＤＣＣＨ／ＥＰＤＣＣＨ／
ｓＰＤＣＣＨに相当する制御チャネル／共用チャネルが割り当てられる領域においてＰＤＣＣＨ／ＥＰＤＣＣＨ／ｓＰＤＣＣＨまたはＰＤＣＣＨ／ＥＰＤＣＣＨ／ｓＰＤＣＣＨに相当する制御チャネルが送信されたものとして復号し、予め付加されているＣＲＣビットを確認する（ブラインド復号）。すなわち、下りリンクサブフレーム処理部６０３は、ＰＤＣＣＨ／ＥＰＤＣＣＨ／ｓＰＤＣＣＨまたはＰＤＣＣＨ／ＥＰＤＣＣＨ／ｓＰＤＣＣＨに相当する制御チャネル／共用チャネルをモニタリングする。ＣＲＣビットが予め基地局装置から割り当てられたＩＤ（Ｃ−ＲＮＴＩ、ＳＰＳ−Ｃ−ＲＮＴＩなど１つの端末に対して１つ割り当てられる端末固有識別子（ＵＥＩＤ）、あるいはＴｅｍｐｏｒａｌｙ  Ｃ−ＲＮＴＩ）と一致する場合、下りリンクサブフレーム処理部６０３は、ＰＤＣＣＨ／ＥＰＤＣＣＨ／ｓＰＤＣＣＨまたはＰＤＣＣＨ／ＥＰＤＣＣＨ／ｓＰＤＣＣＨに相当する制御チャネル／共用チャネルを検出できたものと認識し、検出したＰＤＣＣＨ／ＥＰＤＣＣＨ／ｓＰＤＣＣＨまたはＰＤＣＣＨ／ＥＰＤＣＣＨ／ｓＰＤＣＣＨに相当する制御チャネルに含まれる制御情報を用いてＰＤＳＣＨ／ｓＰＤＳＣＨまたはＰＤＳＣＨ／ｓＰＤＳＣＨに相当するデータチャネル／共用チャネルを取り出す。
【０４０４】
制御部６０６は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部６０３やトランスポートブロック抽出部６０５などを制御する。より具体的には、制御部６０６は、下りリンクサブフレーム生成部５０４におけるＲＥマッピング処理や変調処理に対応するＲＥデマッピング処理や復調処理などを行なうように制御する。受信した下りリンクサブフレームから取り出されたＰＤＳＣＨ／ｓＰＤＳＣＨは、トランスポートブロック抽出部６０５に送られる。また、下りリンクサブフレーム処理部６０３内の下りリンク参照信号抽出部６０４は、下りリンクサブフレームからＤＬＲＳを取り出す。
【０４０５】
トランスポートブロック抽出部６０５では、コードワード生成部５０３におけるレートマッチング処理、誤り訂正符号化に対応するレートマッチング処理、誤り訂正復号化などが施され、トランスポートブロックが抽出され、上位層６０７に送られる。トランスポートブロックには、上位層制御情報が含まれており、上位層６０７は上位層制御情報に基づいて制御部６０６に必要な物理層パラメータを知らせる。なお、複数の基地局装置２は、それぞれ個別の下りリンクサブフレームを送信しており、端末装置１ではこれらを受信するため、上述の処理を複数の基地局装置２毎の下りリンクサブフレームに対して、それぞれ行うようにしてもよい。このとき、端末装置１は複数の下りリンクサブフレームが複数の基地局装置２から送信されていると認識してもよいし、認識しなくてもよい。認識しない場合、端末装置１は、単に複数のセルにおいて複数の下りリンクサブフレームが送信されていると認識するだけでもよい。また、トランスポートブロック抽出部６０５では、トランスポートブロックが正しく検出できたか否かを判定し、判定結果は制御部６０６に送られる。
【０４０６】
ここで、トランスポートブロック抽出部６０５には、バッファ部（ソフトバッファ部）を含んでもよい。バッファ部において、抽出したトランスポートブロックの情報を一時的に記憶することができる。例えば、トランスポートブロック抽出部６０５は、同じトランスポートブロック（再送されたトランスポートブロック）を受信した場合、このトランスポートブロックに対するデータの復号が成功していないとすれば、バッファ部に一時的に記憶したこのトランスポートブロックに対するデータと新たに受信したデータを結合（合成）し、結合したデータを復号しようと試みる。バッファ部は、一時的に記憶したデータが必要なくなれば、もしくは、所定の条件を満たせば、そのデータをフラッシュする。フラッシュするデータの条件は、データに対応するトランスポートブロックの種類によって異なる。バッファ部は、データの種類毎に、用意されてもよい。例えば、バッファ部として、メッセージ３バッファやＨＡＲＱバッファが用意されてもよいし、Ｌ１／Ｌ２／Ｌ３
などレイヤ毎に用意されてもよい。なお、情報／データをフラッシュするとは、情報やデータが格納されたバッファをフラッシュすることを含む。
【０４０７】
次に、上りリンク信号の送受信の流れについて説明する。端末装置１では制御部６０６の指示の下で、下りリンク参照信号抽出部６０４で抽出された下りリンク参照信号がチャネル状態測定部６０８に送られ、チャネル状態測定部６０８においてチャネル状態および／または干渉が測定され、さらに測定されたチャネル状態および／または干渉に基づいて、ＣＳＩが算出される。また、制御部６０６は、トランスポートブロックが正しく検出できたか否かの判定結果に基づいて、上りリンク制御情報生成部６１０にＨＡＲＱ−ＡＣＫ（ＤＴＸ（未送信）、ＡＣＫ（検出成功）またはＮＡＣＫ（検出失敗））の生成および下りリンクサブフレームへのマッピングを指示する。端末装置１は、これらの処理を複数のセル毎の下りリンクサブフレームに対して、それぞれ行う。上りリンク制御情報生成部６１０では、算出されたＣＳＩおよび／またはＨＡＲＱ−ＡＣＫを含むＰＵＣＣＨまたはＰＵＣＣＨに相当する制御チャネル／共用チャネルが生成される。上りリンクサブフレーム生成部６０９では、上位層６０７から送られる上りリンクデータを含むＰＵＳＣＨ／ｓＰＵＳＣＨまたはＰＵＳＣＨ／ｓＰＵＳＣＨに相当するデータチャネル／共用チャネルと、上りリンク制御情報生成部６１０において生成されるＰＵＣＣＨ／ｓＰＵＣＣＨまたはＰＵＣＣＨ／ｓＰＵＣＣＨに相当する制御チャネルとが上りリンクサブフレーム内のＲＢにマッピングされ、上りリンクサブフレームが生成される。
【０４０８】
受信アンテナ５０８を介して、ＳＣ−ＦＤＭＡ信号受信部５０９においてＳＣ−ＦＤＭＡ信号が受信され、ＳＣ−ＦＤＭＡ復調処理が施される。上りリンクサブフレーム処理部５１０では、制御部５０２の指示により、ＰＵＣＣＨがマッピングされたＲＢを抽出し、上りリンク制御情報抽出部５１１においてＰＵＣＣＨに含まれるＣＳＩを抽出する。抽出されたＣＳＩは制御部５０２に送られる。ＣＳＩは、制御部５０２による下りリンク送信パラメータ（ＭＣＳ、下りリンクリソース割り当て、ＨＡＲＱなど）の制御に用いられる。なお、ＳＣ−ＦＤＭＡ信号受信部は、ＯＦＤＭ信号受信部であってもよい。また、ＳＣ−ＦＤＭＡ信号受信部は、ＯＦＤＭ信号受信部を含んでもよい。
【０４０９】
基地局装置は、パワーヘッドルームレポートから、端末装置が設定した最大出力電力ＰＣＭＡＸを想定し、端末装置から受信した物理上りリンクチャネルに基づいて、各物理上りリンクチャネルに対する電力の上限値を想定する。基地局装置は、それらの想定に基づいて、物理上りリンクチャネルに対する送信電力制御コマンドの値を決定し、下りリンク制御情報フォーマットを伴うＰＤＣＣＨ／ＥＰＤＣＣＨ／ｓＰＤＣＣＨを用いて、端末装置に送信する。そうすることによって、端末装置から送信される物理上りリンクチャネル／信号（または上りリンク物理チャネル／物理信号）の送信電力の電力調整が行なわれる。
【０４１０】
基地局装置は、端末装置に対してＰＤＣＣＨ（ＥＰＤＣＣＨ）／ＰＤＳＣＨ（またはこれらに相当するＬＲセルの共用チャネル（ｓＰＤＳＣＨ）／制御チャネル（ｓＰＤＣＣＨ））を送信する場合、ＰＢＣＨ（またはＰＢＣＨに相当する報知チャネル）のリソースに割り当てないようにＰＤＣＣＨ／ＰＤＳＣＨのリソース割り当てを行なう。
【０４１１】
ＰＤＳＣＨ／ｓＰＤＳＣＨは、端末装置に対するＳＩＢ／ＲＡＲ／ページング／ユニキャストのそれぞれに関するメッセージ／情報を伝送するために用いられてもよい。
【０４１２】
ＰＵＳＣＨ／ｓＰＵＳＣＨに対する周波数ホッピングは、グラントの種類に応じて個別に設定されてもよい。例えば、ダイナミックスケジュールグラント、セミパーシステントグラント、ＲＡＲグラントのそれぞれに対応するＰＵＳＣＨ／ｓＰＵＳＣＨの周波数ホッピングに用いられるパラメータの値は個別に設定されてもよい。それらのパラメータは、
上りリンクグラントで示されなくてもよい。また、それらのパラメータは、システムインフォメーションを含む上位層シグナリングを介して設定されてもよい。
【０４１３】
上述した種々のパラメータは物理チャネル毎に設定されてもよい。また、上述した種々のパラメータは端末装置毎に設定されてもよい。また、上述したパラメータは端末装置間で共通に設定されてもよい。ここで、上述した種々のパラメータはシステムインフォメーションを用いて設定されてもよい。また、上述した種々のパラメータは上位層シグナリング（ＲＲＣシグナリング、ＭＡＣ  ＣＥ）を用いて設定されてもよい。また、上述した種々のパラメータはＰＤＣＣＨ／ＥＰＤＣＣＨ／ｓＰＤＣＣＨを用いて設定されてもよい。上述した種々のパラメータはブロードキャストインフォメーションとして設定されてもよい。また、上述した種々のパラメータはユニキャストインフォメーションとして設定されてもよい。
【０４１４】
なお、上述した実施形態では、各ＰＵＳＣＨ／ｓＰＵＳＣＨ送信に要求される電力値は、上位層により設定されるパラメータ、リソースアサインメントによってそのＰＵＳＣＨ送信に割り当てられたＰＲＢ数によって決まる調整値、下りリンクパスロスおよびそれに乗算される係数、ＵＣＩに適用されるＭＣＳのオフセットを示すパラメータによって決まる調整値、ＴＰＣコマンドによって得られる補正値などに基づいて算出されるものとして説明した。また、各ＰＵＣＣＨ／ｓＰＵＣＣＨ送信に要求される電力値は、上位層により設定されるパラメータ、下りリンクパスロス、そのＰＵＣＣＨ／ｓＰＵＣＣＨで送信されるＵＣＩによって決まる調整値、ＰＵＣＣＨフォーマットまたはｓＰＵＣＣＨフォーマットによって決まる調整値、そのＰＵＣＣＨ／ｓＰＵＣＣＨの送信に用いられるアンテナポート数によって決まる調整値、ＴＰＣコマンドに基づく値などに基づいて算出されるものとして説明した。しかしながら、これに限るものではない。要求される電力値に対して上限値を設け、上記パラメータに基づく値と上限値（例えば、サービングセルｃにおける最大出力電力値であるＰＣＭＡＸ，ｃ）との間の最小値を、要求される電力値として用いることもできる。
【０４１５】
本実施形態に係る基地局装置および端末装置で動作するプログラムは、本実施形態に係る機能を実現するように、ＣＰＵ（Ｃｅｎｔｒａｌ  Ｐｒｏｃｅｓｓｉｎｇ  Ｕｎｉｔ）等を制御するプログラム（コンピュータを機能させるプログラム）であってもよい。そして、これら装置で取り扱われる情報は、その処理時に一時的にＲＡＭ（Ｒａｎｄｏｍ  Ａｃｃｅｓｓ  Ｍｅｍｏｒｙ）に蓄積され、その後、Ｆｌａｓｈ  ＲＯＭ（Ｒｅａｄ  Ｏｎｌｙ  Ｍｅｍｏｒｙ）などの各種ＲＯＭやＨＤＤ（Ｈａｒｄ  Ｄｉｓｋ  Ｄｒｉｖｅ）に格納され、必要に応じてＣＰＵによって読み出し、修正・書き込みが行なわれる。
【０４１６】
なお、本実施形態における端末装置および／または基地局装置の一部をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。
【０４１７】
なお、「コンピュータシステム」とは、端末装置または基地局装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０４１８】
さらに、「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュ
ータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０４１９】
また、上述した実施形態における基地局装置は、複数の装置から構成される集合体（装置グループ）として実現することもできる。装置グループを構成する装置の各々は、上述した実施形態に係る基地局装置の各機能または各機能ブロックの一部、または、全部を備えてもよい。装置グループとして、基地局装置の一通りの各機能または各機能ブロックを有していればよい。また、上述した実施形態に関わる端末装置は、集合体としての基地局装置と通信することも可能である。
【０４２０】
また、上述した実施形態における基地局装置は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってもよい。また、上述した実施形態における基地局装置は、ｅＮｏｄｅＢに対する上位ノードの機能の一部または全部を有してもよい。
【０４２１】
また、上述した実施形態における端末装置、基地局装置の一部、または、全部を典型的には集積回路であるＬＳＩとして実現してもよいし、チップセットとして実現してもよい。端末装置、基地局装置の各機能ブロックは個別にチップ化してもよいし、一部、又は全部を集積してチップ化してもよい。また、集積回路化の手法はＬＳＩに限らず専用回路、または、汎用プロセッサで実現してもよい。また、半導体技術の進歩によりＬＳＩに代替する集積回路化の技術が出現した場合、当該技術による集積回路を用いることも可能である。
【０４２２】
また、上述した実施形態では、端末装置もしくは通信装置の一例としてセルラー移動局装置（携帯電話、携帯端末）を記載したが、本願発明は、これに限定されるものではなく、屋内外に設置される据え置き型、または非可動型の電子機器、たとえば、ＡＶ機器、キッチン機器（例えば、冷蔵庫や電子レンジなど）、掃除・洗濯機器、空調機器、オフィス機器、自動販売機、カーナビゲーションなどの車載搭載機、その他生活機器などの端末装置もしくは通信装置にも適用できる。
【０４２３】
以上、本実施形態に関して図面を参照して詳述してきたが、具体的な構成は本実施形態に限られるものではなく、本実施形態の要旨を逸脱しない範囲の設計変更等も含まれる。また、本実施形態は、請求項に示した範囲で種々の変更が可能であり、異なる実施形態にそれぞれ開示された技術的手段を適宜組み合わせて得られる実施形態についても本実施形態の技術的範囲に含まれる。また、上述した実施形態に記載された要素であり、同様の効果を奏する要素同士を置換した構成も含まれる。
【０４２４】
以上のことから、本実施形態は、以下の特徴を有する。
【０４２５】
（１）本発明の一態様による端末装置は、基地局装置と通信する端末装置であって、ＴＰＣ（Ｔｒａｎｓｍｉｓｓｉｏｎ  Ｐｏｗｅｒ  Ｃｏｎｔｒｏｌ）コマンドを含むＤＣＩ（Ｄｏｗｎｌｉｎｋ  Ｃｏｎｔｒｏｌ  Ｉｎｆｏｒｍａｔｉｏｎ）フォーマットを受信する受信部と、サブフレームｎで第１のＤＣＩフォーマットを検出すると、サブフレームｎ＋Ａで前記第１のＤＣＩフォーマットに対応するＰＵＳＣＨ（Ｐｈｙｓｉｃａｌ  Ｕｐｌｉｎｋ  Ｓｈａｒｅｄ  Ｃｈａｎｎｅｌ）を送信し、サブフレームｍで第２のＤＣＩフォーマットを検出すると、サブフレームｍ＋Ｂで前記第２のＤＣＩフォーマットに対応するｓＰＵＳＣＨ（ｓｈｏｒｔｅｎｅｄ  ＰＵＳＣＨ）を送信し、前記Ｂは前記Ａよりも小さい値である、送信部と、前記サブフレームｍが前記サブフレームｎより後のサブフレーム
であり、前記ｓＰＵＳＣＨを送信するサブフレームｍ＋Ｂが前記ＰＵＳＣＨを送信するサブフレームｎ＋Ａよりも前のサブフレームである場合、且つ、前記ＰＵＳＣＨの送信サブフレームと前記ｓＰＵＳＣＨの送信サブフレームが第１のサービングセルで同じ上りリンク電力制御サブフレームセットに属する場合、前記第１のＤＣＩフォーマットに含まれるＴＰＣコマンドによって得られる第１の補正値を、前記ＰＵＳＣＨの送信電力に対して適用せず、且つ、前記第２のＤＣＩフォーマットに含まれるＴＰＣコマンドによって得られる第２の補正値を、前記ｓＰＵＳＣＨの送信電力に対して適用する上りリンク電力制御部と、を備える。
【０４２６】
（２）本発明の一態様による端末装置は、上記の端末装置であって、前記上りリンク電力制御部は、前記サブフレームｍが前記サブフレームｎより後のサブフレームであり、前記ｓＰＵＳＣＨを送信するサブフレームｍ＋Ｂが前記ＰＵＳＣＨを送信するサブフレームｎ＋Ａよりも後のサブフレームである場合、且つ、前記ＰＵＳＣＨの送信サブフレームと前記ｓＰＵＳＣＨの送信サブフレームが前記第１のサービングセルで同じ上りリンク電力制御サブフレームセットに属する場合、前記第１の補正値を、前記ＰＵＳＣＨの送信電力に対して適用し、前記第２の補正値を、前記ｓＰＵＳＣＨの送信電力に対して適用する。
【０４２７】
（３）本発明の一態様による端末装置は、上記の端末装置であって、前記上りリンク電力制御部は、前記サブフレームｍが前記サブフレームｎより前のサブフレームであり、前記ｓＰＵＳＣＨを送信するサブフレームｍ＋Ｂが前記ＰＵＳＣＨを送信するサブフレームｎ＋Ａよりも前のサブフレームである場合、且つ、前記ＰＵＳＣＨの送信サブフレームと前記ｓＰＵＳＣＨの送信サブフレームが前記第１のサービングセルで同じ上りリンク電力制御サブフレームセットに属する場合、前記第１の補正値を、前記ＰＵＳＣＨの送信電力に対して適用し、前記第２の補正値を、前記ｓＰＵＳＣＨの送信電力に対して適用する。
【０４２８】
（４）本発明の一態様による端末装置は、上記の端末装置であって、前記上りリンク電力制御部は、前記ＰＵＳＣＨの送信サブフレームと前記ｓＰＵＳＣＨの送信サブフレームが前記第１のサービングセルで異なる上りリンク電力制御サブフレームセットに属するとすれば、前記第１の補正値を、前記ＰＵＳＣＨの送信電力に対して適用し、前記第２の補正値を、前記ｓＰＵＳＣＨの送信電力に対して適用する。
【０４２９】
（５）本発明の一態様による端末装置は、上記の端末装置であって、前記上りリンク電力制御部は、前記第１のサービングセルの第１のサブフレームで、前記ＰＵＳＣＨの送信と前記ｓＰＵＳＣＨの送信が衝突する場合、且つ、前記ｓＰＵＳＣＨの送信が前記第１のサブフレーム内の２番目のスロットに含まれる場合、前記ＰＵＳＣＨの送信電力に対して前記第２の補正値を適用しない。
【０４３０】
（６）本発明の一態様による端末装置は、上記の端末装置であって、前記上りリンク電力制御部は、前記第１のサービングセルの前記第１のサブフレームで、前記ＰＵＳＣＨの送信と前記ｓＰＵＳＣＨの送信が衝突する場合、且つ、前記ｓＰＵＳＣＨの送信が前記第１のサブフレーム内の２番目のスロットに含まれる場合、前記第１のサブフレームの次のサブフレームにおいて、前記第１の補正値および前記第２の補正値を適用する。
【０４３１】
（７）本発明の一態様による端末装置は、上記の端末装置であって、前記送信部は、前記第１のサービングセルの前記第１のサブフレームで、前記ＰＵＳＣＨの送信と前記ｓＰＵＳＣＨの送信が衝突する場合、且つ、前記ｓＰＵＳＣＨの送信が前記第１のサブフレーム内の１番目のスロットに含まれる場合、前記ＰＵＳＣＨの送信をドロップし、前記上りリンク電力制御部は、前記第１のサービングセルの前記第１のサブフレームにおける前記ｓＰＵＳＣＨの送信電力に対して、前記第１の補正値を適用せずに、前記第２の補正値を適用する。
【０４３２】
（８）本発明の一態様による方法は、基地局装置と通信する端末装置における方法であって、ＴＰＣ（Ｔｒａｎｓｍｉｓｓｉｏｎ  Ｐｏｗｅｒ  Ｃｏｎｔｒｏｌ）コマンドを含むＤＣＩ（Ｄｏｗｎｌｉｎｋ  Ｃｏｎｔｒｏｌ  Ｉｎｆｏｒｍａｔｉｏｎ）フォーマットを受信するステップと、サブフレームｎで第１のＤＣＩフォーマットを検出すると、サブフレームｎ＋Ａで前記第１のＤＣＩフォーマットに対応するＰＵＳＣＨ（Ｐｈｙｓｉｃａｌ  Ｕｐｌｉｎｋ  Ｓｈａｒｅｄ  Ｃｈａｎｎｅｌ）を送信するステップと、サブフレームｍで第２のＤＣＩフォーマットを検出すると、サブフレームｍ＋Ｂで前記第２のＤＣＩフォーマットに対応するｓＰＵＳＣＨ（ｓｈｏｒｔｅｎｅｄ  ＰＵＳＣＨ）を送信するステップと、前記Ｂは前記Ａよりも小さい値であり、前記サブフレームｍが前記サブフレームｎより後のサブフレームであり、前記ｓＰＵＳＣＨを送信するサブフレームｍ＋Ｂが前記ＰＵＳＣＨを送信するサブフレームｎ＋Ａよりも前のサブフレームである場合、且つ、前記ＰＵＳＣＨの送信サブフレームと前記ｓＰＵＳＣＨの送信サブフレームが第１のサービングセルで同じ上りリンク電力制御サブフレームセットに属する場合、前記第１のＤＣＩフォーマットに含まれるＴＰＣコマンドによって得られる第１の補正値を、前記ＰＵＳＣＨの送信電力に対して適用しないステップと、前記第２のＤＣＩフォーマットに含まれるＴＰＣコマンドによって得られる第２の補正値を、前記ｓＰＵＳＣＨの送信電力に対して適用するステップと、を有する。
【符号の説明】
【０４３３】
５０１  上位層
５０２  制御部
５０３  コードワード生成部
５０４  下りリンクサブフレーム生成部
５０５  下りリンク参照信号生成部
５０６  ＯＦＤＭ信号送信部
５０７  送信アンテナ
５０８  受信アンテナ
５０９  ＳＣ−ＦＤＭＡ信号受信部
５１０  上りリンクサブフレーム処理部
５１１  上りリンク制御情報抽出部
６０１  受信アンテナ
６０２  ＯＦＤＭ信号受信部
６０３  下りリンクサブフレーム処理部
６０４  下りリンク参照信号抽出部
６０５  トランスポートブロック抽出部
６０６  制御部
６０７  上位層
６０８  チャネル状態測定部
６０９  上りリンクサブフレーム生成部
６１０  上りリンク制御情報生成部
６１１、６１２  ＳＣ−ＦＤＭＡ信号送信部
６１３、６１４  送信アンテナ
【図１】
2020057830.tif 000015
【図２】
2020057830.tif 000016
【図３】
2020057830.tif 000017
【図４】
2020057830.tif 000018
【図５】
2020057830.tif 000019
【図６】
2020057830.tif 000020